(57)【要約】本発明の実施形態は、第２のＵＥによって送信された第１のメッセージを第１のユーザ機器ＵＥによって受信するステップであって、第１のメッセージは、第２のＵＥが中継ＵＥとして作動することが可能であることの指示情報を含むステップと、第１のＵＥによって、第２のＵＥを介して基地局とデータ伝送を遂行するステップであって、第２のＵＥは中継ＵＥとして作動するステップとを含むデータ伝送方法を提供する。本発明の実施形態では、第１のＵＥが基地局とのデータ伝送を直接遂行することができないとき、第１のＵＥは、第２のＵＥによって送信された、第２のＵＥが中継ＵＥとして作動することが可能であるとの指示情報に従って中継ＵＥとして第２のＵＥを使用し、次いで、中継ＵＥを介してデータ伝送を遂行することができなくなる。したがってデータ伝送の成功率が保証されることが可能となり、伝送効率がさらに向上されることが可能となる。
2018513632.tif 000002
【特許請求の範囲】
【請求項１】
第２のＵＥによって送信された第１のメッセージを第１のユーザ機器ＵＥによって受信するステップであって、前記第１のメッセージは、前記第２のＵＥが中継ＵＥとして作動することが可能であることの指示情報を備えるステップと、
前記第１のＵＥによって、前記第２のＵＥを介して基地局とデータ伝送を遂行するステップであって、前記第２のＵＥは中継ＵＥとして作動するステップと
を備えるデータ伝送方法。
【請求項２】
第２のＵＥによって送信された第１のメッセージを第１のＵＥによって受信する前記ステップの前に、前記第１のＵＥによって中継要求メッセージを送信するステップをさらに備える方法であって、
前記第１のメッセージは中継応答メッセージである請求項１に記載の方法。
【請求項３】
前記第１のＵＥによって中継要求メッセージを送信する前記ステップの前に、
前記基地局によって送信されたデバイスツーデバイスＤ２Ｄ中継構成情報を前記第１のＵＥによって受信するステップをさらに備える方法であって、
前記Ｄ２Ｄ中継構成情報は、前記基地局によって、ブロードキャストのやり方で、または専用シグナリングを使用することによって送信される請求項２に記載の方法。
【請求項４】
第２のＵＥによって送信された第１のメッセージを第１のＵＥによって受信する前記ステップは、
少なくとも１つのＵＥによって送信された少なくとも１つの中継応答メッセージを前記第１のＵＥによって受信するステップであって、前記少なくとも１つの中継応答メッセージが前記少なくとも１つのＵＥと一対一で対応し、前記少なくとも１つのＵＥが前記第２のＵＥを備えるステップを備え、
前記第１のＵＥによって前記第２のＵＥを介して前記基地局とデータ伝送を遂行する前記ステップの前に、前記方法は、
前記第１のＵＥによって、前記少なくとも１つのＵＥの中の前記第２のＵＥを前記中継ＵＥとして判定するステップ
をさらに備える請求項３に記載の方法。
【請求項５】
前記中継応答メッセージは、
前記第２のＵＥと前記基地局の間のチャネルの品質情報、前記第２のＵＥと前記第１のＵＥの間のＤ２Ｄチャネルの品質情報、前記第２のＵＥの現在の中継サービス状態、前記第１のＵＥと前記第２のＵＥの間にＤ２Ｄ接続を確立するためのパラメータ、前記第２のＵＥが現在とどまっているセルのアイデンティティＩＤ、または前記第２のＵＥが現在とどまっているセルの基地局のＩＤ
のうちの少なくとも１つを備える請求項４に記載の方法。
【請求項６】
前記第１のＵＥにより、前記少なくとも１つのＵＥの中の前記第２のＵＥを前記中継ＵＥとして判定する前記ステップは、
前記第１のＵＥにより、所定の基準に基づき、前記中継応答メッセージに従って、前記少なくとも１つのＵＥから前記第２のＵＥを選択するステップと、前記第２のＵＥを前記中継ＵＥとして判定するステップと
を備える請求項４または５に記載の方法。
【請求項７】
前記所定の基準は、前記中継応答メッセージのフィードバックが最も高速であること、および／または前記中継応答メッセージの遅延が最も小さいことを備える請求項６に記載の方法。
【請求項８】
前記第１のＵＥによって中継要求メッセージを送信する前記ステップは、
前記第１のＵＥによって前記基地局へ前記中継要求メッセージを送信し、それにより、前記基地局が前記第２のＵＥへ前記中継要求メッセージを転送するステップを備え、
前記中継要求メッセージは、中継要求理由、優先的に保証されることを要求されたサービスのアイデンティティＩＤ、または前記第１のＵＥの位置情報およびバッファ状態情報といった情報のうちの少なくとも１つを備える請求項２乃至７のいずれか一項に記載の方法。
【請求項９】
第２のＵＥによって送信された第１のメッセージを第１のＵＥによって受信する前記ステップの後に、
前記第１のＵＥによって中継要求メッセージを送信するステップと、
前記第２のＵＥによって送信された中継応答メッセージを前記第１のＵＥによって受信するステップと
をさらに備える請求項１に記載の方法。
【請求項１０】
前記第１のメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項９に記載の方法。
【請求項１１】
前記中継要求メッセージは、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、またはグループ通信のターゲットＩＤ
のうちの少なくとも１つを備える請求項２乃至１０のいずれか一項に記載の方法。
【請求項１２】
前記第１のＵＥがタイマによって設定された期間内に前記中継応答メッセージを受信しないとき、前記方法は、前記第１のＵＥによって前記中継要求メッセージを再伝送するステップ
をさらに備える請求項２乃至１１のいずれか一項に記載の方法。
【請求項１３】
前記第１のメッセージは、前記第２のＵＥによってＤ２Ｄブロードキャストのやり方で送信され、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤのうちの少なくとも１つをさらに備える請求項１に記載の方法。
【請求項１４】
前記第１のメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続のチャネル品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項１３に記載の方法。
【請求項１５】
前記第１のＵＥによって前記第２のＵＥを介して基地局とデータ伝送を遂行する前記ステップの前に、
前記第１のＵＥが前記基地局とデータ伝送を直接遂行することができないとき、支援中継サービスを開始することを前記第１のＵＥによって判定するステップ
をさらに備える請求項１乃至１４のいずれか一項に記載の方法。
【請求項１６】
前記第１のＵＥが前記基地局とデータ伝送を直接遂行することができないことは、
前記第１のＵＥが前記基地局のサービス範囲の内部に配置されていないこと、または
前記第１のＵＥと前記基地局の間の信号品質が前記事前設定の信号品質閾値よりも低いこと、または
前記第１のＵＥの電力量が事前設定の電力量閾値未満であること、または
前記第１のＵＥが前記基地局への無線リソース制御ＲＲＣ接続を確立することができないこと
を備える請求項１５に記載の方法。
【請求項１７】
前記第１のＵＥによって前記第２のＵＥを介して前記基地局とデータ伝送を遂行する前記ステップは、
前記第１のＵＥによってデバイスツーデバイスＤ２Ｄ通信のやり方で前記第２のＵＥへアップリンクデータを送信し、それにより、前記第２のＵＥが前記基地局へ前記アップリンクデータを転送するステップ、および／または
前記第１のＵＥによってデバイスツーデバイスＤ２Ｄ通信のやり方で前記第２のＵＥからダウンリンクデータを受信するステップであって、前記ダウンリンクデータは前記第２のＵＥによって前記基地局から受信されるステップ
を備える請求項１乃至１６のいずれか一項に記載の方法。
【請求項１８】
前記第１のＵＥによってＤ２Ｄ通信のやり方で前記第２のＵＥへアップリンクデータを送信する前記ステップは、
前記第１のＵＥによって、あらかじめ構成されたＤ２Ｄリソースプールを使用することにより、前記第２のＵＥへ前記アップリンクデータを送信するステップ
を備える請求項１７に記載の方法。
【請求項１９】
前記第１のメッセージはＤ２Ｄリソースプールを備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールであり、
前記第１のＵＥによってＤ２Ｄ通信のやり方で前記第２のＵＥへアップリンクデータを送信する前記ステップは、
前記第１のＵＥによって、前記Ｄ２Ｄリソースプールを使用することにより、前記第２のＵＥへ前記アップリンクデータを送信するステップを備え、
前記第１のＵＥによってＤ２Ｄ通信のやり方で前記第２のＵＥからダウンリンクデータを受信する前記ステップは、
前記第１のＵＥによって、前記Ｄ２Ｄリソースプールを使用することにより、前記第２のＵＥから前記ダウンリンクデータを受信するステップを備える請求項１７に記載の方法。
【請求項２０】
前記第１のＵＥによって前記第２のＵＥを介して前記基地局とデータ伝送を遂行する前記ステップの後に、
前記第１のＵＥによって前記第２のＵＥへ中継解放要求メッセージを送信するステップと、
前記第１のＵＥによって前記第２のＵＥに対する前記Ｄ２Ｄ接続を解放するステップと
をさらに備える請求項１乃至１９のいずれか一項に記載の方法。
【請求項２１】
前記第１のＵＥによって前記第２のＵＥに対する前記Ｄ２Ｄ接続を解放する前記ステップの前に、
前記第２のＵＥによって送信された中継解放応答メッセージを前記第１のＵＥによって受信するステップ
をさらに備える請求項２０に記載の方法。
【請求項２２】
前記第１のＵＥによって前記第２のＵＥを介して前記基地局とデータ伝送を遂行する前記ステップの後に、
前記第２のＵＥによって送信された中継解放要求メッセージを第１のＵＥによって受信するステップと、
前記第１のＵＥによって、前記中継解放要求メッセージに従って、前記第２のＵＥに対する前記Ｄ２Ｄ接続を解放するステップと
をさらに備える請求項１乃至１９のいずれか一項に記載の方法。
【請求項２３】
前記第１のＵＥによって、前記中継解放要求メッセージに従って、前記第２のＵＥに対する前記Ｄ２Ｄ接続を解放する前記ステップの前に、
前記第１のＵＥによって前記第２のＵＥへ中継解放応答メッセージを送信するステップ
をさらに備える請求項２２に記載の方法。
【請求項２４】
前記第１のＵＥは前記基地局の前記受信可能範囲の内部に配置されており、前記第１のＵＥによって前記第２のＵＥを介して前記基地局とデータ伝送を遂行する前記ステップの後に、前記方法は、
前記第１のＵＥによって前記基地局へ中継解放要求メッセージを送信するステップと、
前記第１のＵＥによって、前記第２のＵＥに対する前記Ｄ２Ｄ接続を解放するステップと
をさらに備える請求項１乃至１９のいずれか一項に記載の方法。
【請求項２５】
前記第１のＵＥによって前記第２のＵＥに対する前記Ｄ２Ｄ接続を解放する前記ステップの前に、
前記基地局によって送信された中継解放応答メッセージを前記第１のＵＥによって受信するステップ
をさらに備える請求項２４に記載の方法。
【請求項２６】
前記第１のＵＥは前記基地局の前記受信可能範囲の内部に配置されており、前記第１のＵＥによって前記第２のＵＥを介して前記基地局とデータ伝送を遂行する前記ステップの後に、前記方法は、
前記基地局によって送信された中継解放要求メッセージを前記第１のＵＥによって受信するステップと、
前記第１のＵＥによって、前記中継解放要求メッセージに従って、前記第２のＵＥに対する前記Ｄ２Ｄ接続を解放するステップと
をさらに備える請求項１乃至１９のいずれか一項に記載の方法。
【請求項２７】
前記第１のＵＥによって、前記中継解放要求メッセージに従って、前記第２のＵＥに対する前記Ｄ２Ｄ接続を解放する前記ステップの前に、
前記第１のＵＥによって前記基地局へ中継解放応答メッセージを送信するステップ
をさらに備える請求項２６に記載の方法。
【請求項２８】
第１のＵＥまたは基地局によって送信された中継要求メッセージを第２のユーザ機器ＵＥによって受信するステップであって、前記中継要求メッセージは、前記第１のＵＥが支援中継サービスを必要とすることを指示するステップと、
前記第２のＵＥによって、前記中継要求メッセージに従って、前記第２のＵＥは前記第１のＵＥに対する中継ＵＥとして作動することが可能であると判定するステップと、
前記第２のＵＥによって、前記第１のＵＥが前記基地局とデータ伝送を遂行するのを支援する中継ＵＥとして作動するステップと
を備えるデータ伝送方法。
【請求項２９】
前記第２のＵＥは前記第１のＵＥに対する中継ＵＥとして作動することができると判定する前記ステップの後に、
前記第２のＵＥによって前記第１のＵＥへ中継応答メッセージを送信するステップ
をさらに備える請求項２８に記載の方法。
【請求項３０】
前記中継要求メッセージは、前記基地局により、下方へのセルラーリンクを使用することによって送信され、
要求理由、優先的に保証されることを要求されたサービスのＩＤ、または前記第１のＵＥの位置情報およびバッファ状態情報
のうちの少なくとも１つをさらに備える請求項２９に記載の方法。
【請求項３１】
前記中継要求メッセージは、前記第１のＵＥにより、デバイスツーデバイスＤ２Ｄリンクを使用することによって送信され、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、前記第１のＵＥが最後にとどまるセルの基地局のＩＤ、またはグループ通信のターゲットＩＤ
のうちの少なくとも１つを備える請求項２９に記載の方法。
【請求項３２】
第１のＵＥによって送信された中継要求メッセージを第２のＵＥによって受信する前記ステップの前に、
前記基地局によって、ブロードキャストのやり方で、または専用シグナリングを使用することによって送信されたデバイスツーデバイスＤ２Ｄ中継構成情報を前記第２のＵＥによって受信するステップと、
前記第２のＵＥが、前記Ｄ２Ｄ中継構成情報に従って、前記第２のＵＥが中継サービスを提供する能力を有すると判定したとき、前記第２のＵＥによってＤ２Ｄブロードキャストのやり方でブロードキャストメッセージを送信するステップであって、前記ブロードキャストメッセージは、前記第２のＵＥが中継ＵＥとして作動することが可能であることを指示するために使用される指示情報を備えるステップと
をさらに備える請求項３１に記載の方法。
【請求項３３】
前記ブロードキャストメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項３２に記載の方法。
【請求項３４】
前記ブロードキャストメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続の信号品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項３２または３３に記載の方法。
【請求項３５】
前記中継応答メッセージは、
前記第２のＵＥと前記基地局の間のチャネルの品質情報、前記第２のＵＥと前記第１のＵＥの間のデバイスツーデバイスＤ２Ｄチャネルの品質情報、前記第２のＵＥの現在の中継サービス状態、前記第２のＵＥが現在とどまっている前記セルの前記アイデンティティＩＤ、または前記第２のＵＥが現在とどまっている前記セルの前記基地局の前記ＩＤ
のうちの少なくとも１つを備える請求項２９乃至３４のいずれか一項に記載の方法。
【請求項３６】
前記中継応答メッセージはＤ２Ｄリソースプールをさらに備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールである請求項３５に記載の方法。
【請求項３７】
前記第２のＵＥによって、前記第１のＵＥが前記基地局とデータ伝送を遂行するのを支援する中継ＵＥとして作動する前記ステップの前に、
前記第２のＵＥによって中継準備を遂行するステップ
をさらに備える請求項２９乃至３６のいずれか一項に記載の方法。
【請求項３８】
前記中継準備は、
前記第２のＵＥがアイドル状態にある場合、前記第２のＵＥによって無線リソース制御ＲＲＣ接続を確立するステップ、
前記第２のＵＥが、接続された状態にあるものの、前記アップリンクにおいて現在同期ずれである場合、前記第２のＵＥによってランダムアクセスチャネルＲＡＣＨ処理を実行して前記アップリンクの同期を保つステップ、または
前記第２のＵＥが接続された状態にあり、前記基地局に対して正常に接続されているものの、アップリンク伝送リソースを有しない場合、前記第２のＵＥによって前記基地局からアップリンク伝送リソースを要求するステップ
を備える請求項３７に記載の方法。
【請求項３９】
前記第２のＵＥによって前記基地局から前記アップリンク伝送リソースを要求する前記ステップは、
前記第２のＵＥによって前記基地局へ中継送信リソース要求メッセージを送信するステップと、
前記基地局によって送信された中継送信リソーススケジューリング情報を前記第２のＵＥによって受信するステップと
を備える請求項３８に記載の方法。
【請求項４０】
前記中継送信リソース要求メッセージは、
中継を必要とする前記第１のＵＥのデータの識別情報、中継を必要とする前記第１のＵＥのデータのデータ量の大きさ、中継を必要とする前記第１のＵＥのデータの出所アドレスおよび／もしくは宛先アドレス、中継を必要とする前記第１のＵＥのデータのサービス品質ＱｏＳクラス、または前記第１のＵＥの信号品質情報
のうちの少なくとも１つを含むことがある請求項３９に記載の方法。
【請求項４１】
前記第２のＵＥによって、前記第１のＵＥが前記基地局とデータ伝送を遂行するのを支援する中継ＵＥとして作動する前記ステップは、
前記第１のＵＥによって送信されたアップリンクデータをデバイスツーデバイスＤ２Ｄ通信のやり方で前記第２のＵＥによって受信して、前記アップリンクデータを前記基地局へ送信するステップ、および／または
前記基地局によって送信されたダウンリンクデータを前記第２のＵＥによって受信して、前記ダウンリンクデータをデバイスツーデバイスＤ２Ｄ通信のやり方で前記第１のＵＥへ送信するステップ
を備える請求項２９乃至４０のいずれか一項に記載の方法。
【請求項４２】
前記第２のＵＥによって、前記第１のＵＥが前記基地局とデータ伝送を遂行するのを支援する中継ＵＥとして作動する前記ステップの後に、
前記第１のＵＥによって送信された中継解放要求メッセージを第２のＵＥによって受信するステップと、
前記第２のＵＥにより、前記中継解放要求メッセージに従って、前記第１のＵＥに対するＤ２Ｄ接続を解放するステップと
をさらに備える請求項２９乃至４１のいずれか一項に記載の方法。
【請求項４３】
前記第１のＵＥに対するＤ２Ｄ接続を解放する前記ステップの前に、
前記第２のＵＥによって前記第１のＵＥへ中継解放応答メッセージを送信するステップ
をさらに備える請求項４２に記載の方法。
【請求項４４】
前記第２のＵＥによって、前記第１のＵＥが前記基地局とデータ伝送を遂行するのを支援する中継ＵＥとして作動する前記ステップの後に、
前記第２のＵＥによって前記第１のＵＥへ中継解放要求メッセージを送信するステップと、
前記第２のＵＥによって前記第１のＵＥに対するＤ２Ｄ接続を解放するステップと
をさらに備える請求項２９乃至４１のいずれか一項に記載の方法。
【請求項４５】
前記第２のＵＥによって前記第１のＵＥに対するＤ２Ｄ接続を解放する前記ステップの前に、
前記第１のＵＥによって送信された中継解放応答メッセージを前記第２のＵＥによって受信するステップ
をさらに備える請求項４４に記載の方法。
【請求項４６】
前記第２のＵＥによって、前記第１のＵＥが前記基地局とデータ伝送を遂行するのを支援する中継ＵＥとして作動する前記ステップの後に、
前記基地局によって送信された中継解放要求メッセージを前記第２のＵＥによって受信するステップと、
前記第２のＵＥにより、前記中継解放要求メッセージに従って、前記第１のＵＥに対するＤ２Ｄ接続を解放するステップと
をさらに備える請求項２９乃至４１のいずれか一項に記載の方法。
【請求項４７】
前記第１のＵＥに対するＤ２Ｄ接続を解放する前記ステップの前に、
前記第２のＵＥによって前記基地局へ中継解放応答メッセージを送信するステップ
をさらに備える請求項４６に記載の方法。
【請求項４８】
前記中継要求メッセージは、前記第１のＵＥにより、デバイスツーデバイスＤ２Ｄリンクを使用することによって送信され、支援中継を必要とするデータを備え、支援中継を必要とする前記データの宛先アドレスは前記基地局である請求項２８に記載の方法。
【請求項４９】
前記中継要求メッセージは、
支援中継を必要とする前記データの指示情報、支援中継を必要とする前記データのデータ量の大きさ、支援中継を必要とする前記データのバッファサイズ、支援中継を必要とする前記データのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、中継データの宛先セルのＩＤ、またはグループ通信のターゲットＩＤ
のうちの少なくとも１つをさらに備える請求項４８に記載の方法。
【請求項５０】
前記第２のＵＥによって、前記第１のＵＥが前記基地局とデータ伝送を遂行するのを支援する中継ＵＥとして作動する前記ステップは、
前記第２のＵＥによって、支援中継を必要とする前記データを前記基地局へ転送するステップ
を備える請求項４８または４９に記載の方法。
【請求項５１】
前記第２のＵＥが前記第１のＵＥに対する中継ＵＥとして作動することが可能であると判定する前記ステップの間に使用される基準は、
前記第２のＵＥのネットワーク状態、前記第２のＵＥと前記基地局の間のチャネル品質、前記第２のＵＥの電力消費、前記第２のＵＥの残存電力量、前記第２のＵＥのバッファ領域、前記第２のＵＥと前記第１のＵＥの間のデバイスツーデバイスＤ２Ｄチャネル品質、または前記第２のＵＥと前記第１のＵＥの間の相対距離
のうちの少なくとも１つを備える請求項２８乃至５０のいずれか一項に記載の方法。
【請求項５２】
第１のＵＥによって送信された中継要求メッセージを基地局によって受信するステップと、
前記基地局によって前記中継要求メッセージを第２のＵＥへ転送して、前記第２のＵＥに、中継ＵＥとして作動するように命令するステップと、
前記基地局によって、前記第２のＵＥを介して、前記第１のＵＥとデータ伝送を遂行するステップと
を備えるデータ伝送方法。
【請求項５３】
前記中継要求メッセージは、
要求理由、優先的に保証されることを要求されたサービスのアイデンティティＩＤ、または前記第１のＵＥの位置情報およびバッファ状態情報
のうちの少なくとも１つをさらに備える請求項５２に記載の方法。
【請求項５４】
前記基地局によって、前記第２のＵＥを介して、前記第１のＵＥとデータ伝送を遂行する前記ステップは、
前記基地局によって前記第２のＵＥからアップリンクデータを受信するステップであって、前記アップリンクデータは前記第２のＵＥによって前記第１のＵＥから受信されたものであるステップ、および／または
前記基地局によって前記第２のＵＥへダウンリンクデータを送信し、それにより、前記第２のＵＥが前記第１のＵＥへ前記ダウンリンクデータを転送するステップ
を備える請求項５２または５３に記載の方法。
【請求項５５】
前記基地局によって前記第２のＵＥを介して前記第１のＵＥとデータ伝送を遂行する前記ステップの後に、
前記基地局によって前記第２のＵＥへ中継解放要求メッセージを送信し、それにより、前記第２のＵＥが前記第１のＵＥに対するＤ２Ｄ接続を解放するステップ
をさらに備える請求項５２乃至５４のいずれか一項に記載の方法。
【請求項５６】
前記第２のＵＥによって送信された中継解放応答メッセージを前記基地局によって受信するステップ
をさらに備える請求項５５に記載の方法。
【請求項５７】
前記基地局によって前記第１のＵＥへ前記中継解放要求メッセージを送信し、それにより、前記第１のＵＥが前記第２のＵＥに対する前記Ｄ２Ｄ接続を解放するステップ
をさらに備える請求項５５に記載の方法。
【請求項５８】
前記第１のＵＥによって送信された中継解放応答メッセージを前記基地局によって受信するステップ
をさらに備える請求項５７に記載の方法。
【請求項５９】
前記基地局によって前記第２のＵＥへ中継解放要求メッセージを送信する前記ステップの前に、
前記第１のＵＥによって送信された中継解放要求メッセージを前記基地局によって受信するステップ
をさらに備える請求項５５に記載の方法。
【請求項６０】
前記基地局によって前記第１のＵＥへ中継解放応答メッセージを送信するステップ
をさらに備える請求項５９に記載の方法。
【請求項６１】
前記基地局によって前記第２のＵＥを介して前記第１のＵＥとデータ伝送を遂行する前記ステップの後に、
前記第２のＵＥによって送信された中継解放要求メッセージを前記基地局によって受信するステップと、
前記基地局によって前記中継解放要求メッセージを前記第１のＵＥへ転送し、それにより、前記第１のＵＥが前記第２のＵＥに対するＤ２Ｄ接続を解放するステップと
をさらに備える請求項５２乃至５４のいずれか一項に記載の方法。
【請求項６２】
前記基地局によって前記第２のＵＥへ中継解放応答メッセージを送信するステップ
をさらに備える請求項６１に記載の方法。
【請求項６３】
ユーザ機器であって、前記ユーザ機器ＵＥは第１のＵＥであり、
第２のＵＥによって送信された第１のメッセージを受信するように構成された受信ユニットであって、前記第１のメッセージは、前記第２のＵＥが中継ＵＥとして作動することが可能であることの指示情報を備える受信ユニットと、
前記第２のＵＥを介して基地局とデータ伝送を遂行するように構成された処理ユニットであって、前記第２のＵＥは中継ＵＥとして作動する処理ユニットと
を備えるユーザ機器。
【請求項６４】
中継要求メッセージを送信するように構成された送信ユニットであって、前記第１のメッセージは中継応答メッセージである送信ユニットをさらに備える請求項６３に記載のユーザ機器。
【請求項６５】
前記受信ユニットは、
前記基地局によって、ブロードキャストのやり方で、または専用シグナリングを使用することによって送信されたデバイスツーデバイスＤ２Ｄ中継構成情報を受信するようにさらに構成されている請求項６４に記載のユーザ機器。
【請求項６６】
前記受信ユニットは、
少なくとも１つのＵＥによって送信された少なくとも１つの中継応答メッセージを受信するように特に構成されており、前記少なくとも１つの中継応答メッセージは前記少なくとも１つのＵＥと一対一で対応し、前記少なくとも１つのＵＥは前記第２のＵＥを備え、
前記処理ユニットは、前記少なくとも１つのＵＥの中の前記第２のＵＥを前記中継ＵＥとして判定するようにさらに構成されている請求項６５に記載のユーザ機器。
【請求項６７】
前記中継応答メッセージは、
前記第２のＵＥと前記基地局の間のチャネルの品質情報、前記第２のＵＥと前記第１のＵＥの間のＤ２Ｄチャネルの品質情報、前記第２のＵＥの現在の中継サービス状態、前記第１のＵＥと前記第２のＵＥの間にＤ２Ｄ接続を確立するためのパラメータ、前記第２のＵＥが現在とどまっているセルのアイデンティティＩＤ、または前記第２のＵＥが現在とどまっているセルの基地局のＩＤ
のうちの少なくとも１つを備える請求項６６に記載のユーザ機器。
【請求項６８】
前記処理ユニットは、所定の基準に基づき、前記中継応答メッセージに従って、前記少なくとも１つのＵＥから前記第２のＵＥを選択し、前記第２のＵＥを前記中継ＵＥとして判定するように特に構成されている請求項６６または６７に記載のユーザ機器。
【請求項６９】
前記所定の基準は、前記中継応答メッセージのフィードバックが最も高速であること、および／または前記中継応答メッセージの遅延が最も小さいことを備える請求項６８に記載のユーザ機器。
【請求項７０】
前記送信ユニットは、前記基地局へ前記中継要求メッセージを送信し、それにより、前記基地局が前記中継要求メッセージを前記第２のＵＥへ転送するように特に構成されており、
前記中継要求メッセージは、中継要求理由、優先的に保証されることを要求されたサービスのアイデンティティＩＤ、または前記第１のＵＥの位置情報およびバッファ状態情報といった情報のうちの少なくとも１つを備える請求項６４乃至６９のいずれか一項に記載のユーザ機器。
【請求項７１】
中継要求メッセージを送信するように構成された送信ユニットをさらに備え、
前記受信ユニットは、前記第２のＵＥによって送信された中継応答メッセージを受信するようにさらに構成されている請求項６３に記載のユーザ機器。
【請求項７２】
前記第１のメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項７１に記載のユーザ機器。
【請求項７３】
前記中継要求メッセージは、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、またはグループ通信のターゲットＩＤ
のうちの少なくとも１つを備える請求項６４乃至７２のいずれか一項に記載のユーザ機器。
【請求項７４】
前記送信ユニットは、
前記プロセッサのタイマによって設定された期間内に前記中継応答メッセージが受信されないとき、前記中継要求メッセージを再伝送する
ようにさらに構成されている請求項６４乃至７３のいずれか一項に記載のユーザ機器。
【請求項７５】
前記第１のメッセージは、前記第２のＵＥによってＤ２Ｄブロードキャストのやり方で送信され、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項６３に記載のユーザ機器。
【請求項７６】
前記第１のメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続のチャネル品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項７５に記載のユーザ機器。
【請求項７７】
前記処理ユニットは、
前記第１のＵＥが前記基地局とデータ伝送を直接遂行することができないとき、支援中継サービスを開始することを判定する
ようにさらに構成されている請求項６３乃至７６のいずれか一項に記載のユーザ機器。
【請求項７８】
前記第１のＵＥが前記基地局とデータ伝送を直接遂行することができないことは、
前記第１のＵＥが前記基地局のサービス範囲の内部に配置されていないこと、または
前記第１のＵＥと前記基地局の間の信号品質が前記事前設定の信号品質閾値よりも低いこと、または
前記第１のＵＥの電力量が事前設定の電力量閾値未満であること、または
前記第１のＵＥが前記基地局への無線リソース制御ＲＲＣ接続を確立することができないこと
を備える請求項７７に記載のユーザ機器。
【請求項７９】
前記処理ユニットは、
デバイスツーデバイスＤ２Ｄ通信のやり方で前記第２のＵＥへアップリンクデータを送信するように前記送信ユニットを制御し、それにより、前記第２のＵＥが前記基地局へ前記アップリンクデータを転送するように特に構成されており、かつ／または
デバイスツーデバイスＤ２Ｄ通信のやり方で前記第２のＵＥからダウンリンクデータを受信するように前記受信ユニットを制御し、前記ダウンリンクデータが前記第２のＵＥによって前記基地局から受信されるように特に構成されている請求項６３乃至７８のいずれか一項に記載のユーザ機器。
【請求項８０】
前記送信ユニットは、
あらかじめ構成されたＤ２Ｄリソースプールを使用することにより、前記第２のＵＥへ前記アップリンクデータを送信する
ように特に構成されている請求項７９に記載のユーザ機器。
【請求項８１】
前記第１のメッセージはＤ２Ｄリソースプールを備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールであり、
前記送信ユニットは、前記Ｄ２Ｄリソースプールを使用することによって前記第２のＵＥへ前記アップリンクデータを送信するように特に構成されており、
前記受信ユニットは、前記Ｄ２Ｄリソースプールを使用することによって前記第２のＵＥから前記ダウンリンクデータを受信するように特に構成されている請求項７９に記載のユーザ機器。
【請求項８２】
前記送信ユニットは、前記第２のＵＥへ中継解放要求メッセージを送信するようにさらに構成されており、
前記処理ユニットは、前記第２のＵＥに対する前記Ｄ２Ｄ接続を解放するようにさらに構成されている請求項６３乃至８１のいずれか一項に記載のユーザ機器。
【請求項８３】
前記受信ユニットは、前記第２のＵＥによって送信された中継解放応答メッセージを受信するようにさらに構成されている請求項８２に記載のユーザ機器。
【請求項８４】
前記受信ユニットは、前記第２のＵＥによって送信された中継解放要求メッセージを受信するようにさらに構成されており、
前記処理ユニットは、前記中継解放要求メッセージに従って、前記第２のＵＥに対する前記Ｄ２Ｄ接続を解放するようにさらに構成されている請求項６３乃至８１のいずれか一項に記載のユーザ機器。
【請求項８５】
前記送信ユニットは、前記第２のＵＥへ中継解放応答メッセージを送信するようにさらに構成されている請求項８４に記載のユーザ機器。
【請求項８６】
前記第１のＵＥは前記基地局の前記受信可能範囲の内部に配置されており、
前記送信ユニットは、前記基地局へ中継解放要求メッセージを送信するようにさらに構成されており、
前記処理ユニットは、前記第２のＵＥに対する前記Ｄ２Ｄ接続を解放するようにさらに構成されている請求項６３乃至８１のいずれか一項に記載のユーザ機器。
【請求項８７】
前記受信ユニットは、前記基地局によって送信された中継解放応答メッセージを受信するようにさらに構成されている請求項８６に記載のユーザ機器。
【請求項８８】
前記第１のＵＥは前記基地局の前記受信可能範囲の内部に配置されており、
前記受信ユニットは、前記基地局によって送信された中継解放要求メッセージを受信するようにさらに構成されており、
前記処理ユニットは、前記中継解放要求メッセージに従って、前記第２のＵＥに対する前記Ｄ２Ｄ接続を解放するようにさらに構成されている請求項６３乃至８１のいずれか一項に記載のユーザ機器。
【請求項８９】
前記送信ユニットは、前記基地局へ中継解放応答メッセージを送信するようにさらに構成されている請求項８８に記載のユーザ機器。
【請求項９０】
ユーザ機器であって、前記ユーザ機器ＵＥは第２のＵＥであり、
第１のＵＥまたは基地局によって送信された中継要求メッセージを前記ＵＥのために受信するように構成された受信ユニットであって、前記中継要求メッセージは、前記第１のＵＥが支援中継サービスを必要とすることを指示する受信ユニットと、
前記中継要求メッセージに従って、前記第２のＵＥが前記第１のＵＥに対する中継ＵＥとして作動することができると判定するように構成された処理ユニットであって、
前記第１のＵＥが前記基地局とデータ伝送を遂行するのを支援するための中継ＵＥとして前記第２のＵＥを使用するようにさらに構成されている処理ユニットと
を備えるユーザ機器。
【請求項９１】
前記第１のＵＥへ中継応答メッセージを送信するよう構成された送信ユニットをさらに備える請求項９０に記載のユーザ機器。
【請求項９２】
前記中継要求メッセージは、前記基地局により、下方へのセルラーリンクを使用することによって送信され、
要求理由、優先的に保証されることを要求されたサービスのＩＤ、または前記第１のＵＥの位置情報およびバッファ状態情報
のうちの少なくとも１つをさらに備える請求項９１に記載のユーザ機器。
【請求項９３】
前記中継要求メッセージは、前記第１のＵＥにより、デバイスツーデバイスＤ２Ｄリンクを使用することによって送信され、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、またはグループ通信のターゲットＩＤ
のうちの少なくとも１つを備える請求項９１に記載のユーザ機器。
【請求項９４】
前記受信ユニットは、前記基地局により、ブロードキャストのやり方で、または専用シグナリングを使用することによって送信されたデバイスツーデバイスＤ２Ｄ中継構成情報を受信するようにさらに構成されており、
前記処理ユニットが、前記Ｄ２Ｄ中継構成情報に従って、前記第２のＵＥが中継サービスを提供する能力を有すると判定したとき、前記送信ユニットは、Ｄ２Ｄブロードキャストのやり方でブロードキャストメッセージを送信するようにさらに構成され、前記ブロードキャストメッセージは、前記第２のＵＥが中継ＵＥとして作動することが可能であることを指示するために使用される指示情報を備える請求項９３に記載のユーザ機器。
【請求項９５】
前記ブロードキャストメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項９４に記載のユーザ機器。
【請求項９６】
前記ブロードキャストメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続の信号品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項９４または９５に記載のユーザ機器。
【請求項９７】
前記中継応答メッセージは、
前記第２のＵＥと前記基地局の間のチャネルの品質情報、前記第２のＵＥと前記第１のＵＥの間のデバイスツーデバイスＤ２Ｄチャネルの品質情報、前記第２のＵＥの前記現在の中継サービス状態、前記第２のＵＥが現在とどまっている前記セルの前記アイデンティティＩＤ、または前記第２のＵＥが現在とどまっている前記セルの前記基地局の前記ＩＤ
のうちの少なくとも１つを備える請求項９１乃至９６のいずれか一項に記載のユーザ機器。
【請求項９８】
前記中継応答メッセージはＤ２Ｄリソースプールをさらに備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールである請求項９７に記載のユーザ機器。
【請求項９９】
前記処理ユニットは、中継準備を遂行するようにさらに構成されている請求項９１乃至９８のいずれか一項に記載のユーザ機器。
【請求項１００】
前記処理ユニットは、
前記第２のＵＥがアイドル状態にある場合、無線リソース制御ＲＲＣ接続を確立し、
前記第２のＵＥが、接続された状態にあるものの、前記アップリンクにおいて現在同期ずれである場合、ランダムアクセスチャネルＲＡＣＨ処理を実行して前記アップリンクの同期を保ち、または
前記第２のＵＥが接続された状態にあり、前記基地局に対して正常に接続されているものの、アップリンク伝送リソースを有しない場合、前記基地局からアップリンク伝送リソースを要求する
ように特に構成されている請求項９９に記載のユーザ機器。
【請求項１０１】
前記基地局から前記アップリンク伝送リソースを要求するステップは、
前記送信ユニットによって前記基地局へ中継送信リソース要求メッセージを送信するステップと、
前記基地局によって送信された中継送信リソーススケジューリング情報を前記受信ユニットによって受信するステップと
を備える請求項１００に記載のユーザ機器。
【請求項１０２】
前記中継送信リソース要求メッセージは、
中継を必要とする前記第１のＵＥのデータの識別情報、中継を必要とする前記第１のＵＥのデータのデータ量の大きさ、中継を必要とする前記第１のＵＥのデータの出所アドレスおよび／もしくは宛先アドレス、中継を必要とする前記第１のＵＥのデータのサービス品質ＱｏＳクラス、または前記第１のＵＥの信号品質情報
のうちの少なくとも１つを備えることがある請求項１０１に記載のユーザ機器。
【請求項１０３】
前記処理ユニットは、
前記第１のＵＥによって送信されたアップリンクデータをデバイスツーデバイスＤ２Ｄ通信のやり方で受信するように前記受信ユニットを制御し、前記基地局へ前記アップリンクデータを送信するように前記送信ユニットを制御するように、特に構成されており、かつ／または
前記基地局によって送信されたダウンリンクデータを受信するように前記受信ユニットを制御し、前記ダウンリンクデータをデバイスツーデバイスＤ２Ｄ通信のやり方で前記第１のＵＥへ送信するように前記送信ユニットを制御するように、特に構成されている請求項９１乃至１０２のいずれか一項に記載のユーザ機器。
【請求項１０４】
前記受信ユニットは、前記第１のＵＥによって送信された中継解放要求メッセージを受信するようにさらに構成されており、
前記処理ユニットは、前記中継解放要求メッセージに従って、前記第１のＵＥに対するＤ２Ｄ接続を解放するようにさらに構成されている請求項９１乃至１０３のいずれか一項に記載のユーザ機器。
【請求項１０５】
前記送信ユニットは、前記第１のＵＥへ中継解放応答メッセージを送信するようにさらに構成されている請求項１０４に記載のユーザ機器。
【請求項１０６】
前記送信ユニットは、前記第１のＵＥへ中継解放要求メッセージを送信するようにさらに構成されており、
前記処理ユニットは、前記第１のＵＥに対するＤ２Ｄ接続を解放するようにさらに構成されている請求項９１乃至１０３のいずれか一項に記載のユーザ機器。
【請求項１０７】
前記受信ユニットは、前記第１のＵＥによって送信された中継解放応答メッセージを受信するようにさらに構成されている請求項１０６に記載のユーザ機器。
【請求項１０８】
前記受信ユニットは、前記基地局によって送信された中継解放要求メッセージを受信するようにさらに構成されており、
前記処理ユニットは、前記中継解放要求メッセージに従って、前記第１のＵＥに対するＤ２Ｄ接続を解放するようにさらに構成されている請求項９１乃至１０３のいずれか一項に記載のユーザ機器。
【請求項１０９】
前記送信ユニットは、前記基地局へ中継解放応答メッセージを送信するようにさらに構成されている請求項１０８に記載のユーザ機器。
【請求項１１０】
前記中継要求メッセージは、前記第１のＵＥにより、デバイスツーデバイスＤ２Ｄリンクを使用することによって送信され、支援中継を必要とするデータを備え、支援中継を必要とする前記データの宛先アドレスは前記基地局である請求項９０に記載のユーザ機器。
【請求項１１１】
前記中継要求メッセージは、
支援中継を必要とする前記データの指示情報、支援中継を必要とする前記データのデータ量の大きさ、支援中継を必要とする前記データのバッファサイズ、支援中継を必要とする前記データのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、中継データの宛先セルのＩＤ、またはグループ通信のターゲットＩＤ
のうちの少なくとも１つをさらに備える請求項１１０に記載のユーザ機器。
【請求項１１２】
前記処理ユニットは、
支援中継を必要とする前記データを前記基地局へ転送する
ように特に構成されている請求項１１０または１１１に記載のユーザ機器。
【請求項１１３】
前記第２のＵＥが前記第１のＵＥに対する中継ＵＥとして作動することができると判定するために前記処理ユニットによって使用される基準は、
前記第２のＵＥのネットワーク状態、前記第２のＵＥと前記基地局の間のチャネル品質、前記第２のＵＥの電力消費、前記第２のＵＥの残存電力量、前記第２のＵＥのバッファ領域、前記第２のＵＥと前記第１のＵＥの間のデバイスツーデバイスＤ２Ｄチャネル品質、または前記第２のＵＥと前記第１のＵＥの間の相対距離
のうちの少なくとも１つを備える請求項９０乃至１１２のいずれか一項に記載のユーザ機器。
【請求項１１４】
第１のＵＥによって送信された中継要求メッセージを受信するように構成された受信ユニットと、
前記中継要求メッセージを第２のＵＥへ転送して、前記第２のＵＥに、中継ＵＥとして作動するように命令するように構成された送信ユニットと、
前記第２のＵＥを介して前記第１のＵＥとデータ伝送を遂行するように構成された処理ユニットと
を備えるデータ伝送基地局。
【請求項１１５】
前記中継要求メッセージは、
要求理由、優先的に保証されることを要求されたサービスのアイデンティティＩＤ、または前記第１のＵＥの位置情報およびバッファ状態情報
のうちの少なくとも１つをさらに備える請求項１１４に記載の基地局。
【請求項１１６】
前記処理ユニットは、
前記第２のＵＥによって前記第１のＵＥから受信されたアップリンクデータを前記第２のＵＥから受信するように前記受信ユニットを制御するように、特に構成されており、かつ／または
前記第２のＵＥへダウンリンクデータを送信するように前記送信ユニットを制御し、それにより、前記第２のＵＥが前記ダウンリンクデータを前記第１のＵＥへ転送するように、特に構成されている請求項１１４または１１５に記載の基地局。
【請求項１１７】
前記送信ユニットは、前記第２のＵＥへ中継解放要求メッセージを送信し、それにより、前記第２のＵＥが前記第１のＵＥに対するＤ２Ｄ接続を解放するようにさらに構成されている請求項１１４乃至１１６のいずれか一項に記載の基地局。
【請求項１１８】
前記受信ユニットは、前記第２のＵＥによって送信された中継解放応答メッセージを受信するようにさらに構成されている請求項１１７に記載の基地局。
【請求項１１９】
前記受信ユニットは、前記第１のＵＥへ前記中継解放要求メッセージを送信し、それにより、前記第１のＵＥが前記第２のＵＥに対する前記Ｄ２Ｄ接続を解放するようにさらに構成されている請求項１１７に記載のユーザ機器。
【請求項１２０】
前記受信ユニットは、前記第１のＵＥによって送信された中継解放応答メッセージを受信するようにさらに構成されている請求項１１９に記載の基地局。
【請求項１２１】
前記受信ユニットは、前記第１のＵＥによって送信された中継解放要求メッセージを受信するようにさらに構成されている請求項１１７に記載の基地局。
【請求項１２２】
前記送信ユニットは、前記第１のＵＥへ中継解放応答メッセージを送信するようにさらに構成されている請求項１２１に記載の基地局。
【請求項１２３】
前記受信ユニットは、前記第２のＵＥによって送信された中継解放要求メッセージを受信するようにさらに構成されており、
前記送信ユニットは、前記中継解放要求メッセージを前記第１のＵＥへ転送し、それにより、前記第１のＵＥが前記第２のＵＥに対するＤ２Ｄ接続を解放するようにさらに構成されている請求項１１４乃至１１６のいずれか一項に記載の基地局。
【請求項１２４】
前記送信ユニットは、前記第２のＵＥへ中継解放応答メッセージを送信するようにさらに構成されている請求項１２３に記載の基地局。
【発明の詳細な説明】
【技術分野】
【０００１】
本発明の実施形態は通信分野に関し、より具体的には、データ伝送方法、ユーザ機器、および基地局に関する。
【背景技術】
【０００２】
基地局は、セルラーリンクを使用することにより、基地局のセルに配置されているユーザ機器（Ｕｓｅｒ  Ｅｑｕｉｐｍｅｎｔ、ＵＥ）とデータ通信を遂行することができる。図１に示されるように、ＵＥ３０は基地局１０のセル４０に配置され、次いで、セルラーリンクを使用することにより、基地局１０とＵＥ３０の間でアップリンクデータおよびダウンリンクデータが伝送される。
【０００３】
しかしながら、ＵＥ２０が基地局５０のセル６０に配置されているので、データ通信は、基地局１０とＵＥ２０の間で直接遂行されることが可能ではない。代わりに、基地局５０を介して基地局１０とＵＥ２０の間のデータ伝送が遂行される必要がある。たとえば、ＵＥ２０が基地局１０へアップリンクデータを送信する必要がある場合、ＵＥ２０は、最初にセルラーリンクを使用することによって基地局５０へアップリンクデータを送信する必要があり、次いで、基地局５０が基地局１０へアップリンクデータを転送する。たとえば基地局１０がＵＥ２０へダウンリンクデータを送信する必要がある場合、基地局１０は、最初に基地局５０へダウンリンクデータを送信する必要があり、次いで、基地局５０が、セルラーリンクを使用することによってＵＥ２０へダウンリンクデータを転送する。
【０００４】
このようにして、セルラーリンク停滞が引き起こされるばかりでなく、データ伝送の遅延も長くなる。結果的にデータ伝送効率が低くなる。
【発明の概要】
【０００５】
本発明の実施形態は、データ伝送の効率を保証することができるデータ伝送方法を提供する。
【０００６】
第１の態様によれば、
第２のＵＥによって送信された第１のメッセージを第１のユーザ機器ＵＥによって受信するステップであって、第１のメッセージは、第２のＵＥが中継ＵＥとして作動することが可能であることの指示情報を含むステップと、
第１のＵＥによって、第２のＵＥを介して基地局とデータ伝送を遂行するステップであって、第２のＵＥは中継ＵＥとして作動するステップと
を含むデータ伝送方法が提供される。
【０００７】
第２の態様によれば、
第１のＵＥまたは基地局によって送信された中継要求メッセージを第２のユーザ機器ＵＥによって受信するステップであって、中継要求メッセージは、第１のＵＥが支援中継サービスを必要とすることを指示するステップと、
第２のＵＥによって、中継要求メッセージに従って、第２のＵＥは第１のＵＥに対する中継ＵＥとして作動することが可能であると判定するステップと、
第２のＵＥによって、第１のＵＥが基地局とデータ伝送を遂行するのを支援する中継ＵＥとして作動するステップと
を含むデータ伝送方法が提供される。
【０００８】
第３の態様によれば、
第１のＵＥによって送信された中継要求メッセージを基地局によって受信するステップと、
基地局によって中継要求メッセージを第２のＵＥへ転送して、第２のＵＥに、中継ＵＥとして作動するように命令するステップと、
基地局によって、第２のＵＥを介して、第１のＵＥとデータ伝送を遂行するステップと
を含むデータ伝送方法が提供される。
【０００９】
第４の態様によればユーザ機器が提供され、ユーザ機器ＵＥは、第１のＵＥであり、
第２のＵＥによって送信された第１のメッセージを受信するように構成された受信ユニットであって、第１のメッセージは、第２のＵＥが中継ＵＥとして作動することが可能であることの指示情報を含む受信ユニットと、
第２のＵＥを介して基地局とデータ伝送を遂行するように構成された処理ユニットであって、第２のＵＥは中継ＵＥとして作動する処理ユニットと
を含む。
【００１０】
第５の態様によればユーザ機器が提供され、ユーザ機器ＵＥは、第２のＵＥであり、
第１のＵＥまたは基地局によって送信された中継要求メッセージをこのＵＥのために受信するように構成された受信ユニットであって、中継要求メッセージは、第１のＵＥが支援中継サービスを必要とすることを指示する受信ユニットと、
中継要求メッセージに従って、第２のＵＥが第１のＵＥのための中継ＵＥとして作動することが可能であると判定するように構成された処理ユニットであって、第２のＵＥを、第１のＵＥが基地局とのデータ伝送を遂行するのを支援するための中継ＵＥとして使用するようにさらに構成されている処理ユニットと
を含む。
【００１１】
第６の態様によれば、
第１のＵＥによって送信された中継要求メッセージを受信するように構成された受信ユニットと、
中継要求メッセージを第２のＵＥへ転送して、第２のＵＥに、中継ＵＥとして作動するように命令するように構成された送信ユニットと、
第２のＵＥを介して第１のＵＥとデータ伝送を遂行するように構成された処理ユニットと
を含む基地局が提供される。
【００１２】
第７の態様によればユーザ機器が提供され、ユーザ機器ＵＥは、第１のＵＥであり、
第２のＵＥによって送信された第１のメッセージを受信するように構成された受信器であって、第１のメッセージは、第２のＵＥが中継ＵＥとして作動することが可能であることの指示情報を含む受信器と、
第２のＵＥを介して基地局とデータ伝送を遂行するように構成されたプロセッサであって、第２のＵＥは中継ＵＥとして作動するプロセッサと
を含む。
【００１３】
第８の態様によればユーザ機器が提供され、ユーザ機器ＵＥは、第２のＵＥであり、
第１のＵＥまたは基地局によって送信された中継要求メッセージをこのＵＥのために受信するように構成された受信器であって、中継要求メッセージは、第１のＵＥが支援中継サービスを必要とすることを指示する受信器と、
中継要求メッセージに従って、第２のＵＥが第１のＵＥのための中継ＵＥとして作動することが可能であると判定するように構成されたプロセッサであって、第２のＵＥを、第１のＵＥが基地局とのデータ伝送を遂行するのを支援するための中継ＵＥとして使用するようにさらに構成されているプロセッサと
を含む。
【００１４】
第９の態様によれば、
第１のＵＥによって送信された中継要求メッセージを受信するように構成された受信器と、
中継要求メッセージを第２のＵＥへ転送して、第２のＵＥに、中継ＵＥとして作動するように命令するように構成された送信器と、
第２のＵＥを介して第１のＵＥとデータ伝送を遂行するように構成されたプロセッサと
を含む基地局が提供される。
【００１５】
本発明の実施形態では、第１のＵＥが基地局とのデータ伝送を直接遂行することができないとき、第１のＵＥは、第２のＵＥによって送信された、第２のＵＥが中継ＵＥとして作動することが可能であるとの指示情報に従って中継ＵＥとして第２のＵＥを使用し、次いで、中継ＵＥを介してデータ伝送を遂行することができなくなる。したがってデータ伝送の成功率が保証されることが可能となり、伝送効率がさらに向上されることが可能となる。
【図面の簡単な説明】
【００１６】
以下は、本発明の実施形態における技術的解決策をより明確に説明するために、実施形態または従来技術を説明するのに必要な添付図面を簡潔に説明するものである。明らかに、以下の説明における添付図面は、単に本発明のいくつかの実施形態を示すのみであり、当業者なら、創造的な努力をすることなく、これらの添付図面から他の図面をさらに導出することがある。
【図１】バックグラウンドにおいて記述されたシナリオの概略図である。
【図２】本発明の実施形態によるアプリケーションシナリオの概略図である。
【図３】本発明の実施形態によるデータ伝送方法の相互作用フローチャートである。
【図４】本発明の実施形態による中継接続を解放するための方法の相互作用フローチャートである。
【図５】本発明の別の実施形態による、中継接続を解放するための方法の相互作用フローチャートである。
【図６】本発明の別の実施形態による、中継接続を解放するための方法の相互作用フローチャートである。
【図７】本発明の別の実施形態による、中継接続を解放するための方法の相互作用フローチャートである。
【図８】本発明の別の実施形態による、中継接続を解放するための方法の相互作用フローチャートである。
【図９】本発明の別の実施形態によるデータ伝送方法の相互作用フローチャートである。
【図１０】本発明の別の実施形態によるデータ伝送方法の相互作用フローチャートである。
【図１１】本発明の別の実施形態によるデータ伝送方法の相互作用フローチャートである。
【図１２】本発明の別の実施形態によるデータ伝送方法の相互作用フローチャートである。
【図１３】本発明の別の実施形態によるデータ伝送方法の相互作用フローチャートである。
【図１４】本発明の実施形態によるデータ伝送方法のフローチャートである。
【図１５】本発明の別の実施形態によるデータ伝送方法のフローチャートである。
【図１６】本発明の別の実施形態によるデータ伝送方法のフローチャートである。
【図１７】本発明の実施形態によるユーザ機器の構造のブロック図である。
【図１８】本発明の別の実施形態によるユーザ機器の構造のブロック図である。
【図１９】本発明の別の実施形態によるユーザ機器の構造のブロック図である。
【図２０】本発明の別の実施形態によるユーザ機器の構造のブロック図である。
【図２１】本発明の実施形態による基地局の構造のブロック図である。
【図２２】本発明の別の実施形態による基地局の構造のブロック図である。
【発明を実施するための形態】
【００１７】
以下は、本発明の実施形態の添付図面を参照しながら、本発明の実施形態の技術的解決策を明確かつ十分に説明するものである。明らかに、説明される実施形態は、本発明の実施形態のすべてというわけではなく、いくつかにすぎない。当業者によって、創造的な努力をすることなく、本発明の実施形態に基づいて得られるすべての他の実施形態は、本発明の保護範囲内に入るものとする。
【００１８】
本発明の実施形態の技術的解決策は、汎欧州デジタル移動電話（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割双方向（Ｆｒｅｑｕｅｎｃｙ  Ｄｉｖｉｓｉｏｎ  Ｄｕｐｌｅｘ、ＦＤＤ）システム、ＬＴＥ時分割双方向（Ｔｉｍｅ  Ｄｉｖｉｓｉｏｎ  Ｄｕｐｌｅｘ、ＴＤＤ）システム、およびユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）を含む様々な通信システムに適用されることがあることを理解されたい。
【００１９】
本発明の実施形態では、基地局はＧＳＭまたはＣＤＭＡの基地局（Ｂａｓｅ  Ｔｒａｎｓｃｅｉｖｅｒ  Ｓｔａｔｉｏｎ、ＢＴＳ）であることがあり、ＷＣＤＭＡの基地局（ＮｏｄｅＢ、ＮＢ）であることがあり、ＬＴＥの進化型ＮｏｄｅＢ（Ｅｖｏｌｕｔｉｏｎａｌ  Ｎｏｄｅ  Ｂ、ｅＮＢ、またはｅＮｏｄｅＢ）または将来の５Ｇネットワークの基地局デバイスであることがあることをさらに理解されたい。これは本発明では限定されない。
【００２０】
本発明の実施形態では、ＵＥは、無線アクセスネットワーク（Ｒａｄｉｏ  Ａｃｃｅｓｓ  Ｎｅｔｗｏｒｋ、ＲＡＮ）を介して１つまたは複数のコアネットワーク（Ｃｏｒｅ  Ｎｅｔｗｏｒｋ）との通信を遂行することがあることをさらに理解されたい。ＵＥは、アクセス端末、端末デバイス、ユーザユニット、ユーザサイト、モバイルサイト、移動局、遠隔局、遠隔端末、モバイルデバイス、ユーザ端末、端末、ワイヤレス通信デバイス、ユーザプロキシ、またはユーザ装置と称されることがある。ＵＥは、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、ワイヤレス通信機能を有する携帯用デバイス、コンピューティングデバイス、ワイヤレスモデムに接続された別の処理デバイス、車両内デバイス、ウェアラブルデバイス、または将来の５Ｇネットワークの端末デバイスであることがある。
【００２１】
デバイスツーデバイス通信は直接通信技術である。ＵＥの間で交換されたデータは基地局によって転送される必要はない。ＵＥは直接相互作用することがあり、またはネットワークの支援を伴って直接相互作用することがある。
【００２２】
デバイスツーデバイス通信は、それぞれ受信可能範囲内作業シナリオ、受信可能範囲外作業シナリオ、および部分的な受信可能範囲内作業シナリオといった３つの作業シナリオを有する。受信可能範囲内作業シナリオでは、デバイスツーデバイス通信に関与するすべてのユーザ機器は、基地局のサービス範囲の内部に配置されている。受信可能範囲外シナリオでは、デバイスツーデバイス通信に関与するすべてのユーザ機器は、基地局のサービス範囲外に配置されている。部分的な受信可能範囲内のシナリオでは、デバイスツーデバイス通信に関与するいくつかのユーザ機器が基地局のサービス範囲の内部に配置されており、他のユーザ機器は基地局のサービス範囲外に配置されている。
【００２３】
デバイスツーデバイス通信は、デバイスツーデバイス（Ｄｅｖｉｃｅ  ｔｏ  Ｄｅｖｉｃｅ、Ｄ２Ｄ）発見（Ｄ２Ｄ  ｄｉｓｃｏｖｅｒｙ）およびＤ２Ｄ通信（Ｄ２Ｄ  ｃｏｍｍｕｎｉｃａｔｉｏｎ）を含む。
【００２４】
Ｄ２Ｄ発見は、ユーザ機器が発見メッセージ（ｄｉｓｃｏｖｅｒｙ  ｍｅｓｓａｇｅ）を送信して、別のユーザ機器が、発見メッセージを読み取ることにより、発見メッセージを送信するユーザ機器に関する情報を取得することを意味する。発見メッセージは、発見メッセージを送信するユーザ機器のアイデンティティ（ｉｄｅｎｔｉｔｙ）などの識別情報を含むことがある。
【００２５】
Ｄ２Ｄ発見は、タイプ１（ｔｙｐｅ  １）およびタイプ２（ｔｙｐｅ  ２）といった２つのタイプ（ｔｙｐｅ）を含む。タイプ１は、Ｄ２Ｄ発見用の複数のユーザ機器のリソースプール（タイプ１  Ｄ２Ｄ発見用のリソースプールと称されることもある）が、ユーザ自身によって構成された、または選択されたものであることを意味する。タイプ２は、Ｄ２Ｄ発見用の１つのユーザ機器の送信リソースが基地局によって構成されることを意味する。
【００２６】
Ｄ２Ｄ通信は、ユーザ機器が制御情報およびデータを送信し、別のユーザ機器が、後続のデータを正確に受信するように制御情報を読み取ることにより、後続のデータの送信フォーマットなどの情報を取得することを意味する。
【００２７】
Ｄ２Ｄ通信は、モード１（ｍｏｄｅ  １）およびモード２（ｍｏｄｅ  ２）といった２つのモード（ｍｏｄｅ）を含む。モード１は、基地局または中継（ｒｅｌａｙ）ノードが、デバイスツーデバイス通信のデータおよび制御情報を伝送するためにユーザ機器によって使用されるリソースをスケジューリングすることを意味する。具体的には、制御情報はスケジューリング割当て（Ｓｃｈｅｄｕｌｉｎｇ  Ａｓｓｉｇｎｍｅｎｔ、ＳＡ）メッセージであることがある。Ｄ２Ｄ通信のモード１では、基地局は、ダウンリンクシグナリングを使用することにより、ユーザ機器によってスケジューリング割当ておよびデータを送信するのに使用されるリソース、フォーマット、または同種のものなどを指示する。モード２は、ユーザ機器が、リソースプール（リソースプールは、モード２  Ｄ２Ｄ通信用のリソースプールと称されることがある）から、直接通信のデータおよびＳＡメッセージを伝送するために使用されるリソースを選択することを意味する。モード２  Ｄ２Ｄ通信用のリソースプールは、ＳＡメッセージリソースプールおよびＳＡメッセージに対応するデータ用のリソースプールを含むことがある。言い換えれば、ユーザ機器は、ＳＡメッセージリソースプールから、ＳＡメッセージを伝送するのに使用されるリソースを選択することがあり、ＳＡメッセージに対応するデータ用のリソースプールから、ＳＡメッセージに対応するデータを伝送するのに使用されるリソースを選択することがある。リソースプールは、通信リソースのグループであり、これは複数の通信リソースのセットである。
【００２８】
図２は本発明の実施形態によるアプリケーションシナリオの概略図である。具体的には、本発明のこの実施形態は、主として基地局１０とＵＥ２０の間のデータ通信を実施するために使用されるものである。加えて、図２は、基地局１０のセル４０に配置されているＵＥ３０をさらに示す。すなわち、基地局１０はＵＥ３０に応対する基地局である。加えて、本発明のこの実施形態では、ＵＥ２０とＵＥ３０の間でＤ２Ｄ通信が遂行されることが可能であると想定されている。
【００２９】
図２（ａ）に示されるように、ＵＥ２０は基地局１０のセル４０の外部に配置されている。ＵＥ２０は、当初は基地局１０のセル４０の中に配置されており、後に、位置変化のためにセル４０の外部へ移動し、結果的に、基地局１０との通信を直接遂行することができないと想定されている。この場合、ＵＥ３０は、ＵＥ２０と基地局１０の間のデータ伝送を支援するために中継ＵＥとして作動することがある。この場合、ＵＥ２０は遠隔ＵＥ（ｒｅｍｏｔｅ  ＵＥ）と称されることがあり、中継として作動するＵＥ３０は中継ＵＥ（ｒｅｌａｙ  ＵＥ）と称されることがある。
【００３０】
本発明のこの実施形態では、遠隔ＵＥとして作動するＵＥ２０は基地局１０のセルの中に配置されていない、またはＵＥ２０は基地局の受信可能範囲の内部に配置されていない、またはＵＥ２０は基地局１０のサービス範囲の内部に配置されていない、といった説明の意味は一致している。
【００３１】
図２（ａ）に示されたＵＥ２０とＵＥ３０の間のＤ２Ｄ通信は、部分的な受信可能範囲内（ｐａｒｔｉａｌ−ｉｎ−ｃｏｖｅｒａｇｅ）シナリオであることが理解されることがある。
【００３２】
図２（ｂ）に示されるように、ＵＥ２０は、空間において基地局１０のセルの内部に配置されているが、別の理由のために基地局１０との通信を正常に遂行することができない。たとえばＵＥ２０と基地局１０の間のセルラーリンクに障害が生じる。別の例については、ＵＥ２０の電力量が著しく小さい。さらに別の例については、ＵＥ２０は空間においてセルの内部に配置されているが、ＵＥと基地局１０の間の信号品質が著しく低い（たとえば、ＵＥ２０は、ネットワーク信号が比較的劣った地下に配置されている）。さらに他の例がある。この場合、ＵＥ３０は、ＵＥ２０と基地局１０の間のデータ伝送を支援するために中継ＵＥとして作動することもある。
【００３３】
図２（ｂ）に示されたＵＥ２０とＵＥ３０の間のＤ２Ｄ通信は、受信可能範囲内（ｉｎ−ｃｏｖｅｒａｇｅ）シナリオであることが理解されることがある。
【００３４】
このようにして、図２に示されたシナリオでは１つまたは複数のＵＥ３０が中継ノードとして作動することがあり、したがってＵＥ２０と基地局１０の間の直接リンクは少なくとも２つのリンクである。中継ネットワークは、通信システムの、高周波数利用および高度なデータ伝送能力に対する増加する要求を満たすための重要な方向であることを理解されたい。
【００３５】
アプリケーションシナリオにおける、中継ＵＥを選択するための方法、および中継ＵＥを介してデータ伝送方法をさらに遂行するための方法は、本発明の後続の実施形態において詳細に説明される。
【００３６】
図３は本発明の実施形態によるデータ伝送方法の相互作用流れ図である。図３は、基地局１０、第１のＵＥ２０、第２のＵＥ３１、および第３のＵＥ３２を示す。
【００３７】
基地局１０は図２の基地局１０と見なされることがある。第１のＵＥ２０は、図２（ａ）または図２（ｂ）のＵＥ２０と見なされることがある。第２のＵＥ３１は、図２のＵＥ３０のうちの１つと見なされることがある。第３のＵＥ３２は、図２のＵＥ３０のうちの別の１つと見なされることがある。第２のＵＥ３１および第３のＵＥ３２は基地局１０のセルの中に配置されている。すなわち、基地局１０は第２のＵＥ３１および第３のＵＥ３２に応対する基地局である。加えて、第１のＵＥ２０は、第２のＵＥ３１とＤ２Ｄ通信を遂行することがある。第１のＵＥ２０は、第３のＵＥ３２とＤ２Ｄ通信を遂行することがある。第２のＵＥ３１は、セルラーリンクを使用することにより、基地局１０との通信を遂行することがある。第３のＵＥ３２は、セルラーリンクを使用することにより、基地局１０との通信を遂行することがある。
【００３８】
本発明のこの実施形態では、第１のＵＥ２０は、当初は基地局１０との通信を正常に遂行することができ、後に、（たとえば第１のＵＥ２０と基地局１０の間のセルラーリンクにおいて障害が生じる。たとえば第１のＵＥ２０が基地局１０のサービス範囲の外部へ移動する）といった理由のために、基地局１０との通信を遂行することができなくなると想定されている。
【００３９】
３０１：基地局１０はＤ２Ｄ中継構成情報を送信する。
【００４０】
具体的には、基地局１０は、ブロードキャストのやり方で、または専用シグナリングを使用することにより、規定時間において、または周期的に、Ｄ２Ｄ中継構成情報を送信することがある。たとえば、専用シグナリングは無線リソース制御（Ｒａｄｉｏ  Ｒｅｓｏｕｒｃｅ  Ｃｏｎｔｒｏｌ、ＲＲＣ）シグナリングであることがある。
【００４１】
Ｄ２Ｄ中継構成情報は、Ｄ２Ｄ  ＵＥ中継構成に関連づけられたパラメータを含む。たとえば、パラメータは、支援中継サービスを開始するために必要とされるパラメータを含むことがある。
【００４２】
本発明のこの実施形態では、Ｄ２Ｄ  ＵＥ中継構成に関連づけられたパラメータは、中継ＵＥによって使用されるＤ２Ｄリソースプール、遠隔ＵＥによるＤ２Ｄ中継を開始するための条件に関連づけられたパラメータ、中継ＵＥによって分担されるＤ２Ｄ中継タスクに関連づけられたパラメータ、または同種のものを含むことがある。
【００４３】
たとえば、Ｄ２Ｄ中継構成情報は、セルラー伝送の信号品質限界（本明細書では第１の閾値と称されることがある）、または遠隔ＵＥが中継要求メッセージを送信する再伝送の回数（本明細書では第２の閾値と称されることがある）、または中継ＵＥによって中継を遂行するための残りの電力量の限界（本明細書では第３の閾値と称されることがある）を含むことがある。
【００４４】
Ｄ２Ｄ中継構成情報は、基地局１０のサービス範囲の内部に配置されているすべてのＵＥによって受信されることがあることが理解されることがある。第１のＵＥ２０、第２のＵＥ３１、および第３のＵＥ３２のすべてが、Ｄ２Ｄ中継構成情報を受信できることが理解されることがある。
【００４５】
Ｄ２Ｄリソースプールは、基地局の受信可能範囲の内部にあってＤ２Ｄ通信のために使用されることがあるリソースプールを、主として意味する。ＵＥは、基地局がブロードキャストのやり方でＤ２Ｄリソースプールをブロードキャストするやり方、および基地局がＲＲＣシグナリングを使用することによってＵＥのためのリソースプールを構成するやり方、といった２つのやり方でリソースプールを取得することがある。加えて、中継ＵＥは、基地局がリソースプールの伝送リソースをスケジューリングするやり方、およびＵＥがリソースプールの伝送リソースを選択するやり方、といった２つのやり方でＤ２Ｄリソースプール内の伝送リソースを取得することがある。
【００４６】
３０２：第１のＵＥ２０は、支援中継サービスを開始することを判定する。
【００４７】
具体的には、第１のＵＥ２０は、基地局１０とデータ伝送を直接遂行することができないとき、支援中継サービスを開始することを判定する。
【００４８】
たとえば、支援中継サービスは以下の場合のうちのいずれか１つで開始されることがある。
【００４９】
（１）第１のＵＥ２０が基地局１０の受信可能範囲の内部になく、それゆえに基地局１０へデータを直接送信することができない。
【００５０】
この場合は、第１のＵＥ２０の位置変化であることがある。すなわち、第１のＵＥ２０は、基地局１０の受信可能範囲内から受信可能範囲外へ移動する。
【００５１】
（２）第１のＵＥ２０は、第１のＵＥ２０と基地局１０の間の信号品質が事前設定の信号品質閾値未満であることを検知し、それゆえに基地局１０へデータを直接送信することができない。
【００５２】
任意選択で、本明細書の信号品質閾値は、３０１におけるＤ２Ｄ中継構成情報に含まれた信号品質限界（すなわち第１の閾値）であることがある。
【００５３】
第１のＵＥ２０は、通常は、第１のＵＥ２０と基地局１０の間の信号品質が著しく低いことを検知したとき、信号品質がより優れている新規のセルを検索することを試みて、セル切換えを遂行することが理解されることがある。したがって、任意選択で、本明細書では、第１のＵＥ２０が、第１のＵＥ２０と基地局１０の間の信号品質が事前設定の信号品質閾値よりも低いことを検知することは、第１のＵＥ２０が、第１のＵＥ２０と基地局１０の間の信号品質が事前設定の信号品質閾値よりも低く、しかも第１のＵＥ２０が切換え条件を満たすセルを見つけないことを検知することを指すことがある。
【００５４】
（３）第１のＵＥ２０の電力量は事前設定の電力量閾値未満であり、それゆえに基地局１０へデータを送信するのに不十分である。
【００５５】
（４）第１のＵＥ２０は、セルに正常にとどまること、もしくはアクセスすること、または、基地局１０に対してＲＲＣ接続を正常に確立することができず、それゆえに基地局１０へデータを直接送信することができない。
【００５６】
たとえば、セルに対するアクセスが禁止されており、またはセルのサービスが制限されており、それゆえに第１のＵＥ２０はＲＲＣ接続を正常に確立することができない。
【００５７】
妨げられたセル、利用不可能なセル、または他の理由のために、この場合が引き起こされることがある。第１のＵＥは、セルに、正常にとどまることまたはアクセスすることができず、別のセルにとどまることまたはアクセスすることもできない。
【００５８】
別の例では、第１のＵＥ２０において無線リンク障害（Ｒａｄｉｏ  Ｌｉｎｋ  Ｆａｉｌｕｒｅ、ＲＬＦ）が生じ、ＲＲＣ再確立が完成されることは可能でなく、セルは再選択されることが可能でない。それゆえに、第１のＵＥ２０はＲＲＣ接続を正常に確立することができない。
【００５９】
データが基地局１０へ直接送信されることが可能でない別の場合では、第１のＵＥ２０は支援中継サービスを開始することを判定することがあることが理解されることがある。
【００６０】
３０３：第１のＵＥ  ２０は中継要求メッセージを送信する。
【００６１】
具体的には、第１のＵＥ  ２０は、Ｄ２Ｄブロードキャストのやり方で中継要求メッセージ（ｒｅｌａｙ  ｒｅｑｕｅｓｔ  ｍｅｓｓａｇｅ）を送信する。このようにして、第１のＵＥ２０とＤ２Ｄ通信を遂行することができるすべてのＵＥが中継要求メッセージを受信し得る。
【００６２】
任意選択で、第１のＵＥ２０は、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）に従って中継要求メッセージの伝送電力を判定することがある。代替として、第１のＵＥ２０は、最大の伝送電力で中継要求メッセージを送信することがある。本明細書の最大の伝送電力は、Ｄ２Ｄ送信リソースプールにおいて判定され、またはＵＥの最大の伝送電力であることがある。
【００６３】
任意選択で、第１のＵＥ２０は、あらかじめ構成されたＤ２Ｄリソースプールを使用することによって中継要求メッセージを送信することがある。代替として、第１のＵＥ２０は、Ｄ２Ｄリソースプールを使用することによって中継要求メッセージを送信することがある。たとえば、第１のＵＥは、基地局の受信可能範囲外に配置されていてＤ２Ｄ中継を開始するときには、あらかじめ構成されたＤ２Ｄリソースプールを使用する必要がある。第１のＵＥは、不十分な電力量などの理由のためにＤ２Ｄ中継を開始するときには、Ｄ２Ｄリソースプールを使用する。Ｄ２Ｄリソースプールは、基地局の受信可能範囲の内部に配置されているＵＥによって使用されるＤ２Ｄ通信リソースであり、システムメッセージブロードキャストのやり方、およびＲＲＣシグナリングによる構成のやり方、といった２つのやり方で取得される。
【００６４】
本発明のこの実施形態では、中継要求メッセージは、第１のＵＥ２０の、支援中継を必要とするデータの出所アドレスおよび宛先アドレスを含む。たとえば、出所アドレスは第１のＵＥ２０のＩＤであることがある。宛先アドレスは、基地局１０のＩＤまたは基地局１０のセルのＩＤ（ｃｅｌｌ  ＩＤ）であることがある。
【００６５】
たとえば、セルのＩＤは、グローバルセルアイデンティティ（ＥＵＴＲＡＮ  ｃｅｌｌ  ｇｌｏｂａｌ  ＩＤ、ＥＣＧＩ）であることがある。
【００６６】
任意選択で、中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのＩＤ、第１のＵＥ２０が最後にとどまるセルのＩＤ、第１のＵＥ２０が最後にとどまるセルの基地局のＩＤ、またはグループ通信のターゲットＩＤのうちの少なくとも１つをさらに含むことがある。
【００６７】
第１のＵＥ２０が現在とどまっているセルが判定され得る場合、第１のＵＥ２０が最後にとどまるセルは、第１のＵＥ２０が現在とどまっているセルである。第１のＵＥ２０が現在いかなるセルにもとどまっていない場合、第１のＵＥ２０が最後にとどまるセルは、第１のＵＥ２０が現在の瞬間の前に最後にとどまったセルである。
【００６８】
グループ通信のターゲットＩＤはグループＩＤ（Ｇｒｏｕｐ  ＩＤ）である。
【００６９】
加えて、中継要求メッセージは、支援中継を必要とするデータのデータ方向をさらに含むことがあり、データ方向はアップリンクおよび／またはダウンリンクであることがある。
【００７０】
加えて、中継要求メッセージは、支援中継を必要とするサービスタイプをさらに含むことがある。たとえば、サービスタイプは、基地局１０との通信を直接遂行することがあり、または別の基地局を介して基地局１０との通信を間接的に遂行することがある。
【００７１】
任意選択で、第１のＵＥ  ２０が中継要求メッセージを送信するのと同時にタイマが開始されることがある。タイマによって設定される期間はＴ１であると想定されている。この場合、３０３の後の期間Ｔ１の間に、中継要求メッセージに対応する中継応答メッセージが受信されなければ、第１のＵＥ  ２０は中継要求メッセージを再伝送することがある。本明細書の再伝送の回数は事前設定されていてよく、または３０１におけるＤ２Ｄ中継構成情報に含まれることがある（すなわち第２の閾値）。本明細書では、Ｔ１はゼロであることがある。
【００７２】
第１のＵＥ２０が、中継要求メッセージを送信する回数が再伝送の回数に到達しても中継要求メッセージに対応する中継応答メッセージをまだ受信しない場合、それは、利用可能な中継ＵＥが第１のＵＥ２０の近くにないことを指示することが理解されることがある。この場合、第１のＵＥは、３０１の中継構成情報において構成されたＴ１’の期間の後に別の中継要求メッセージを送信することがある。代替として、第１のＵＥは、期間を置いた後に、利用可能なセルを検索する。利用可能なセルが見いだされることができない場合、第１のＵＥは、中継要求メッセージを送信することにより、利用可能な中継ＵＥを再び検索する。
【００７３】
３０４：第１のＵＥ２０によって送信された中継要求メッセージを受信したＵＥは、このＵＥが中継サービスを提供することができるかどうかを判定する。
【００７４】
具体的には、図３は、第２のＵＥ  ３１および第３のＵＥ  ３２が、それらが第１のＵＥ  ２０に対して中継サービスを提供することができるかどうかを判定することを示す。
【００７５】
それは、第１のＵＥ２０によって送信された中継要求メッセージを受信したＵＥが自己評価を遂行することとして理解されることもある。
【００７６】
具体的には、この実施形態では、第２のＵＥ３１および第３のＵＥ３２は、それぞれのネットワーク状態および中継サービス状態、ならびに中継要求メッセージに含まれる内容に従って、それらが第１のＵＥ２０に対して中継サービスを提供することが可能かどうかということを判定することがある。
【００７７】
たとえば、判定は、第２のＵＥ３１および第３のＵＥ３２がアイドル（Ｉｄｌｅ）状態または接続された（ｃｏｎｎｅｃｔｅｄ）状態であるかどうかということ、ＲＲＣ接続が確立されているかどうかということ、ＲＲＣ接続が確立されていなければ、ＲＲＣ接続が確立されることが可能かどうかということ、基地局１０へのセルラーチャネルの品質が条件を満たす（第１のＵＥ２０の指定された宛先アドレスへデータが伝送されることが保証されることが可能）かどうかということ、残存電力があるかどうかということ（閾値は、あらかじめ構成されることがあり、または構成されることがあり、加えて、最新のＰＨＲ報告結果に従って評価が遂行されることがあり、またはいくつかの最新のＰＨＲ報告結果の平均が見いだされることがあり、またはＵＥの別の値に従って評価が遂行されることがある）、残存電力量が閾値（あらかじめ構成されることがあり、３０１のＤ２Ｄ中継構成情報に含まれることがある（すなわち第３の閾値））よりも大きいかどうかいうこと、提供されることが可能なサービスのタイプが第１のＵＥ２０の要求を満たすかどうか（たとえば基地局１０と通信が直接遂行されることが可能かどうか）ということ、または、中継能力が第１のＵＥ２０の要求（たとえばサービス優先度、または第１のＵＥ２０の接続量に対する制限）を満たすかどうかいうこと、バッファ（ｂｕｆｆｅｒ）領域が、第１のＵＥ２０の、支援中継を必要とするデータを記憶するのに十分であるかどうかということ、を含むことがある。
【００７８】
バッファ（ｂｕｆｆｅｒ）領域が、第１のＵＥ２０の、支援中継を必要とするデータを記憶するのに十分であるかどうかということは、中継要求メッセージに含まれている、支援中継を必要とするデータのバッファサイズに従って判定されることがある。提供されることが可能なサービスのタイプが第１のＵＥ２０の要求を満たすかどうかということは、中継要求メッセージに含まれている、支援中継を必要とするサービスのタイプに従って判定されることがある。バッファ領域のサイズは、あらかじめ構成されることがあり、または３０１において構成された閾値であることがある。
【００７９】
たとえば、３０４において判定を遂行するＵＥが、判定を遂行するＵＥの信号品質が第１の信号品質閾値未満であることを検知すると、それは、このＵＥが、このＵＥに応対するセルのエッジＵＥであることを指示する。３０４において判定を遂行するＵＥが、判定を遂行するＵＥの信号品質が第２の信号品質閾値を上回ることを検知すると、それは、このＵＥが、中継ＵＥとして作動する通信条件を満たすことを指示する。第１の信号品質閾値および第２の信号品質閾値は、あらかじめ構成されることがあり、または３０１におけるＤ２Ｄ中継構成情報に含まれることがある。
【００８０】
３０４における自己評価を遂行するための基準は、上記に列挙された複数の基準を組み合わせることがあることが理解されることがある。すなわち、ＵＥが、第１のＵＥ  ２０に対して中継サービスを提供することができると判定され得るのは、複数の基準が満たされたときのみである。
【００８１】
自己評価が遂行された後、第１のＵＥ２０によって送信された中継要求メッセージを受信したＵＥは、第１のＵＥ２０に対して中継サービスが提供されることができないと判定した場合には、第１のＵＥ２０へ中継拒否メッセージを送信することがあり、またはメッセージを送信しないことがある。
【００８２】
自己評価が遂行された後、第１のＵＥ２０によって送信された中継要求メッセージを受信したＵＥは、このＵＥが第１のＵＥ２０に対して中継サービスを提供することができると判定した場合には、第１のＵＥ２０へ中継応答メッセージを送信することがある。
【００８３】
複数のＵＥが、それらが第１のＵＥ２０に対して中継サービスを提供することができると判定することがあることが理解されることがある。
【００８４】
本発明のこの実施形態では、第２のＵＥ３１が、自己評価の遂行後、それが第１のＵＥ  ２０に対して中継サービスを提供することができると判定した場合、３０５が遂行されると想定されている。
【００８５】
３０５：第２のＵＥ３１は中継応答メッセージを送信する。
【００８６】
任意選択で、第２のＵＥ３１は、第２のＵＥ３１と第１のＵＥ２０の間のＤ２Ｄリンクを使用することにより、第１のＵＥ２０へ中継応答メッセージを送信することがある。
【００８７】
代替として、任意選択で、第２のＵＥ３１は、Ｄ２Ｄブロードキャストのやり方で中継応答メッセージを送信することがある。このようにして、別のＵＥは、第２のＵＥ３１によって送信された中継応答メッセージを受信した後には、この別のＵＥが、第１のＵＥ２０に対して中継サービスを提供することができると判定した別のＵＥは、第１のＵＥ２０へ別の中継応答メッセージを送信しないことがある。
【００８８】
この実施形態では、別の第４のＵＥが、自己評価を遂行した後、この別の第４のＵＥが第１のＵＥ２０に対して中継サービスを提供することができると判定するが、第４のＵＥが第１のＵＥ２０へ中継応答メッセージを送信する前に、３０５において、第２のＵＥ３１によってＤ２Ｄブロードキャストのやり方で送信された中継応答メッセージが第４のＵＥによって受信されると想定されている。この場合、第４のＵＥは第１のＵＥ２０へ中継応答メッセージを送信しない。このようにして、Ｄ２Ｄ伝送リソースが節約されることが可能となる。
【００８９】
しかしながら、第５のＵＥと第１のＵＥ２０の間でＤ２Ｄ通信が遂行されることが可能だが、第５のＵＥと第２のＵＥ３１の間ではＤ２Ｄ通信が遂行されることが可能でない、と想定されているような場合があることが理解されることがある。この場合、第１のＵＥ３１がＤ２Ｄブロードキャストのやり方で中継応答メッセージを送信しても、第５のＵＥは中継応答メッセージを受信することができない。したがって、第５のＵＥは、自己評価を遂行した後、第５のＵＥが第１のＵＥ２０に対して中継サービスを提供することができる場合には、第１のＵＥ３１へ（エンドツーエンド形式で、またはＤ２Ｄブロードキャストのやり方で）中継応答メッセージを送信する。
【００９０】
任意選択で、第２のＵＥ３１によって送信される中継応答メッセージは、第２のＵＥと基地局の間のチャネルの品質情報、第２のＵＥと第１のＵＥの間のＤ２Ｄチャネルの品質情報、第２のＵＥの現在の中継サービス状態、第１のＵＥと第２のＵＥの間にＤ２Ｄ接続を確立するためのパラメータ、第２のＵＥが現在とどまっているセルのＩＤ、または第２のＵＥが現在とどまっているセルの基地局のＩＤのうちの少なくとも１つを含むことがある。
【００９１】
第２のＵＥの現在の中継サービス状態は、別の遠隔ＵＥに対して現在中継サービスを提供するべきかどうか、別の遠隔ＵＥに対して現在提供されている中継サービスの量、別の遠隔ＵＥに対して現在提供されている中継サービスのサービスタイプ、または同種のもののうちの１つ、またはこれらの組合せを含むことがある。
【００９２】
第２のＵＥ３１によってＤ２Ｄブロードキャストのやり方で送信される中継応答メッセージは、中継を必要とする後続のデータを伝送するために、第１のＵＥ２０が第２のＵＥ３１に対してＤ２Ｄ接続を確立するように、第１のＵＥと第２のＵＥの間のＤ２Ｄ接続を確立するためのパラメータを含むことがあることが理解されることがある。
【００９３】
たとえば、第２のＵＥ  ３１と基地局１０の間のチャネルの品質情報はＬ３測定結果であることがあり、またはチャネル品質指標（Ｃｈａｎｎｅｌ  Ｑｕａｌｉｔｙ  Ｉｎｄｉｃａｔｏｒ、ＣＱＩ）であることがある。第２のＵＥ３１の現在の中継サービス状態は、別のＵＥに対して中継サービスを提供するべきかどうか、中継サービスを提供されている遠隔ＵＥの量、現在提供されている中継サービスのサービスタイプもしくは優先度、または同種のものを含むことがある。第２のＵＥ３１が現在とどまっているセルのＩＤはＥＣＧＩであることがある。
【００９４】
任意選択で、中継応答メッセージはＤ２Ｄリソースプールをさらに含むことがある。Ｄ２Ｄリソースプールは、基地局１０により、ブロードキャストのやり方で、もしくは専用シグナリングを使用することによって、第２のＵＥ３１に分配されたＤ２Ｄリソースプール、または第２のＵＥ３１によって選択されたＤ２Ｄリソースプールである。Ｄ２Ｄリソースプールは、第１のＵＥ２０によって後続のデータ伝送のために使用されることがある。
【００９５】
任意選択で、第２のＵＥ３１が中継応答メッセージを送信するのと同時にタイマが開始されることがある。タイマによって設定される期間はＴ２であると想定されている。この場合、３０５の後、中継応答メッセージに対応する承認メッセージが期間Ｔ２の範囲内で受信されなければ、第２のＵＥ３１は、第１のＵＥ１０が、第２のＵＥ３１を中継ＵＥとして使用することはないと見なすことがある。
【００９６】
３０４および３０５の説明から、自己評価が遂行された後、複数のＵＥが、それらが第１のＵＥ２０に対して中継サービスを提供することができると判定することがあることが知られ得る。したがって、この場合、第１のＵＥ２０は、複数のＵＥによって送信された中継応答メッセージを受信することがある。この場合、３０６が遂行されることがある。
【００９７】
３０６：第１のＵＥ２０は中継ＵＥを選択する。
【００９８】
第１のＵＥ  ２０は、複数のＵＥによって別個に送信された複数の中継応答メッセージを受信した後、複数のＵＥから１つのＵＥを選択し、選択された１つのＵＥを中継ＵＥとして使用する。本発明のこの実施形態では、複数のＵＥは、候補中継ＵＥと称されることがある。
【００９９】
任意選択で、第１のＵＥ  ２０は、中継応答メッセージに従い、所定の基準に基づいて、複数のＵＥから１つのＵＥを選択することがある。
【０１００】
本明細書では、所定の基準は、中継応答メッセージのフィードバックが最も高速であること、および／または中継応答メッセージの遅延が最も小さいことを含むことがある。このメッセージは、遅延の計算を実施するために、タイムスタンプなどの情報を担持することがある。
【０１０１】
代替として、所定の基準は、１つのＵＥと第１のＵＥ２０の間のＤ２Ｄチャネル品質が最適であること、１つのＵＥと基地局１０のＵｕインターフェースの間のチャネル品質が最適であること、または１つのＵＥによって現在提供されている中継サービスの量が最も小さいこと、のうちの少なくとも１つを含むことがある。
【０１０２】
代替として、第１のＵＥ２０は、情報の別の部分に従って中継ＵＥを選択することがあることを理解されたい。たとえば、第１のＵＥ２０は、提供されることが可能なサービスのタイプ、現在の中継サービス状態（別の遠隔ＵＥが応対されているかどうか、現在応対されている遠隔ＵＥの量、現在提供されているサービスのタイプまたは優先度など）、１つのＵＥがとどまっているセルのＩＤ、１つのＵＥが接続されている基地局のＩＤ、または同種のもの、といった情報のうちの少なくとも１つに従って選択を遂行することがある。
【０１０３】
たとえば、第１のＵＥ２０は、基地局１０と直接通信を遂行することができないＵＥを、中継ＵＥとして使用することがある。基地局１０と直接通信を遂行することができないＵＥが存在しなければ、第１のＵＥ２０は、別の基地局を介して基地局１０と通信を遂行するＵＥを、中継ＵＥとして使用することがある。第１のＵＥ２０は、基地局１０と直接通信を遂行することができないＵＥがあることを後に検知したときには、中継ＵＥを、基地局１０と直接通信を遂行することができないＵＥに変更することがある。
【０１０４】
たとえば、第２のＵＥ３１と第１のＵＥ２０の間のＤ２Ｄチャネル品質が最適であり、第２のＵＥ３１と基地局１０の間のセルラーチャネル品質が最適であって、第２のＵＥ３１に接続された基地局のＩＤが、第１のＵＥ２０の中継を必要とするデータの宛先アドレスと同一であれば、第１のＵＥ２０は第２のＵＥ３１を中継ＵＥとして使用することがある。
【０１０５】
任意選択で、３０３の中継要求メッセージが優先的に選択された中継ＵＥのＩＤを含み、３０４において、第１のＵＥ２０が、このＩＤに対応するＵＥによって送信された中継応答メッセージを受信した場合には、第１のＵＥ２０は、３０６において、このＵＥを中継ＵＥとして直接使用することがある。
【０１０６】
本発明のこの実施形態では、第１のＵＥ２０は、３０６において第２のＵＥ３１を選択すると想定されている。この場合、３０６は、第１のＵＥ２０が、少なくとも１つのＵＥの中の第２のＵＥ３１を中継ＵＥとして使用するものと理解されることがある。
【０１０７】
３０７：第１のＵＥ２０は第２のＵＥ３１へ承認メッセージを送信する。
【０１０８】
任意選択で、第１のＵＥ２０は、第１のＵＥ２０と第２のＵＥ３１の間のＤ２Ｄリンクを使用することにより、承認メッセージを送信することがある。任意選択で、承認メッセージは、無線リンク制御（Ｒａｄｉｏ  Ｌｉｎｋ  Ｃｏｎｔｒｏｌ、ＲＬＣ）レイヤにおける自動再送要求（Ａｕｔｏｍａｔｉｃ  Ｒｅｐｅａｔ  Ｒｅｑｕｅｓｔ、ＡＲＱ）機能のＡＣＫメッセージであることがある。
【０１０９】
このようにして、第２のＵＥ３１は、承認メッセージを受信した後、第１のＵＥ２０が第２のＵＥ３１を中継ＵＥとして使用することを知ることができる。代替として、任意選択で、３０５において第２のＵＥ３１が中継応答メッセージを送信するのと同時にタイマＴ２が開始される場合、第１のＵＥ１０は、第２のＵＥ３１が３０５の後に期間Ｔ２の範囲内で承認メッセージを受信した場合、第２のＵＥ３１を中継ＵＥとして使用すると見なされることがある。
【０１１０】
任意選択で、第１のＵＥ２０は、Ｄ２Ｄブロードキャストのやり方で承認メッセージを送信することがあるが、承認メッセージに担持される宛先アドレスは第２のＵＥ３１である。この場合、別のＵＥは、第１のＵＥ２０が第２のＵＥ３１を中継ＵＥとして選択したことを知ることがある。このようにして、３０３の中継要求メッセージに対して時間内に応答しない別のＵＥは、自己評価を遂行する必要がなく、または応答する必要がなく、それにより、Ｄ２Ｄ伝送リソースが節約されることが可能となる。加えて、中継応答メッセージを送信したものの承認を受信しなかった別のＵＥは、別の遠隔ＵＥに対して中継サービスを提供するように、タイマを停止することがある。
【０１１１】
任意選択で、別の場合には、３０５において、第１のＵＥ２０がタイマＴ１の範囲内で１つのＵＥ（たとえば第２のＵＥ３１）のみから中継応答メッセージを受信した場合、３０６において、第１のＵＥ２０は、この１つのＵＥ（たとえば第２のＵＥ３１）を中継ＵＥとして直接判定することがある。
【０１１２】
３０８：第２のＵＥ３１は中継準備を遂行する。
【０１１３】
代替として、第２のＵＥ３１は、承認メッセージを受信した後、中継作業を引き受けるための準備をすることが理解されることがある。
【０１１４】
たとえば、第２のＵＥ３１が接続された状態にあって、第２のＵＥ３１と基地局１０の間の接続が完全に正常であれば、第２のＵＥ３１は、第１のＵＥ２０が中継を必要とするデータを送信するのを待つ必要があるのみである。
【０１１５】
たとえば、第２のＵＥ３１がアイドル状態であれば、ＲＲＣ接続を確立するようにランダムアクセス（Ｒａｎｄｏｍ  Ａｃｃｅｓｓ  Ｃｈａｎｎｅｌ、ＲＡＣＨ）処理が実行される必要がある。
【０１１６】
たとえば、第２のＵＥ  ３１が接続された状態にあるものの、アップリンクにおいて現在同期がずれている場合、アップリンクの同期を保つためにＲＡＣＨ処理が実行される必要がある。
【０１１７】
たとえば、第２のＵＥ３１が接続された状態にあって、第２のＵＥ３１と基地局１０の間の接続が完全に正常であるものの、アップリンク伝送リソースがない場合、第２のＵＥ３１は基地局１０からアップリンク伝送リソースを要求する必要がある。たとえば、第２のＵＥ３１は、基地局１０へスケジューリング要求（Ｓｃｈｅｄｕｌｉｎｇ  Ｒｅｑｕｅｓｔ、ＳＲ）を送信して、アップリンク伝送リソースを要求することがある。
【０１１８】
具体的には、第２のＵＥ３１は、セルラーリンクを使用することにより、基地局１０へ中継送信リソース要求メッセージを送信して、基地局１０によって送信された中継送信リソーススケジューリング情報を受信することがある。中継送信リソース要求メッセージは、中継を必要とする第１のＵＥ２０のデータの識別情報、中継を必要とする第１のＵＥ２０のデータのデータ量の大きさ、中継を必要とする第１のＵＥ２０のデータの出所アドレスおよび／もしくは宛先アドレス、中継を必要とする第１のＵＥ２０のデータのサービス品質（Ｑｕａｌｉｔｙ  ｏｆ  Ｓｅｒｖｉｃｅ、ＱｏＳ）クラス、または第１のＵＥ２０の信号品質情報のうちの少なくとも１つを含むことがある。中継送信リソーススケジューリング情報は、第２のＵＥ３１によって必要とされるアップリンク伝送リソースに関する情報を含む。
【０１１９】
第１のＵＥ２０の信号品質情報は、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、基準信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、受信信号強度指標（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）、または同種のもののうちの少なくとも１つを含むことがある。
【０１２０】
ＱｏＳクラスについては、次の表１に示されるＱｏＳクラス識別子（ＱｏＳ  Ｃｌａｓｓ  Ｉｄｅｎｔｉｆｉｅｒ、ＱＣＩ）の表を参照されたい。
【０１２１】
【表１】
2018513632.tif 000003
【０１２２】
たとえば、３０３における中継要求メッセージが、中継を必要とする第１のＵＥ２０のデータのバッファサイズを含んでいる場合、第２のＵＥ３１はバッファ状態報告（Ｂｕｆｆｅｒ  Ｓｔａｔｕｓ  Ｒｅｐｏｒｔｓ、ＢＳＲ）に関する情報を更新することがある。
【０１２３】
任意選択で、第２のＵＥ３１は、明示的に、または暗示的に、基地局１０へ指示情報（図３には示されていない）を送信することがある。指示情報は、第２のＵＥ３１が、第１のＵＥ２０に向けてアップリンクデータを伝送するための中継ＵＥとして作動することになると指示するために使用される。加えて、指示情報は、中継を必要とするデータの量の値などの情報をさらに含むことがある。
【０１２４】
次いで、この場合、第１のＵＥ２０は、中継ＵＥ（第２のＵＥ３１）を介して基地局１０とデータ伝送を遂行することがある。すなわち、３０９が遂行される。
【０１２５】
３０９：第１のＵＥ２０は、第２のＵＥ３１を介して基地局１０とデータ伝送を遂行する。
【０１２６】
具体的には、アップリンクデータについて、３０９は、
第１のＵＥ２０によって、Ｄ２Ｄ通信のやり方で、第２のＵＥ３１へアップリンクデータを送信するステップと、第２のＵＥ３１によって、基地局１０へアップリンクデータを転送するステップと
を含むことがある。
【０１２７】
アップリンクデータの宛先アドレスは基地局１０であることが理解されることがある。
【０１２８】
具体的には、第１のＵＥ２０は、第１のＵＥ２０と第２のＵＥ３１の間のＤ２Ｄリンクを使用することにより、第２のＵＥ３１へアップリンクデータを送信することがある。
【０１２９】
任意選択で、第１のＵＥ２０は、あらかじめ構成されたＤ２Ｄリソースプールを使用することにより、第２のＵＥ３１へアップリンクデータを送信することがある。あらかじめ構成されたＤ２Ｄリソースプールは、３０３において中継要求メッセージを送信するために使用されたＤ２Ｄリソースプールと同一のものであることがある。
【０１３０】
任意選択で、３０５の中継応答メッセージがＤ２Ｄリソースプールを含んでいる場合、第１のＵＥ２０は、Ｄ２Ｄリソースプールを使用することにより、第２のＵＥ３１へアップリンクデータを送信することがある。
【０１３１】
さらに、第２のＵＥ３１は、第２のＵＥ３１と基地局１０の間のセルラーリンクを使用することにより、基地局１０へアップリンクデータを送信することがある。
【０１３２】
任意選択で、第２のＵＥ３１は、３０９において基地局１０へアップリンクデータを転送する前もしくは後に、または３０９において基地局１０へアップリンクデータを転送するのと同時に、３０８において基地局１０へ指示情報を送信しない場合には、明示的に、または暗示的に、基地局１０へ指示情報を送信することがある。指示情報は、第２のＵＥ３１が、第１のＵＥ２０に向けてアップリンクデータを伝送するための中継ＵＥとして作動することになると指示するために使用される。
【０１３３】
任意選択で、第２のＵＥ３１は、基地局１０へアップリンクデータを転送する前に、第１のＵＥ２０へＡＣＫメッセージを送信して、第２のＵＥ３１がアップリンクデータを受信すると指示することがある。第２のＵＥ３１が基地局１０へアップリンクデータを転送した後に、基地局１０は、第２のＵＥ３１へＡＣＫメッセージを送信して、基地局１０がアップリンクデータを受信すると指示することがある。第１のＵＥと第２のＵＥの間のＡＣＫは、無線リンク制御（Ｒａｄｉｏ  Ｌｉｎｋ  Ｃｏｎｔｒｏｌ、ＲＬＣ）レイヤにおける自動再送要求（Ａｕｔｏｍａｔｉｃ  Ｒｅｐｅａｔ  Ｒｅｑｕｅｓｔ、ＡＲＱ）機能のＡＣＫメッセージであることがある。第２のＵＥと基地局の間のＡＣＫは、ＲＬＣレイヤにおけるＡＲＱのＡＣＫであることがあり、またはＨＡＲＱ（Ｈｙｂｒｉｄ  ＡＲＱ）のＡＣＫであることがある。
【０１３４】
受信が成功しない場合、または再伝送が必要な場合、第２のＵＥ３１および／または基地局１０がＮＡＣＫメッセージを送信することがあることが理解されることがある。本明細書では詳細は説明されない。
【０１３５】
代替として、任意選択で、第２のＵＥ３１が基地局１０へアップリンクデータを転送した後に、基地局１０は、第２のＵＥ３１へＡＣＫメッセージを送信して、基地局１０がアップリンクデータを受信すると指示することがある。次いで、第２のＵＥ３１は、第１のＵＥ２０へＡＣＫメッセージを送信して、基地局１０がアップリンクデータを受信したと指示する。
【０１３６】
具体的には、ダウンリンクデータについて、３０９は、
基地局１０によって第２のＵＥ３１へダウンリンクデータを送信するステップと、第２のＵＥ３１によって、Ｄ２Ｄ通信のやり方で、第１のＵＥ２０へダウンリンクデータを転送するステップと
を含むことがある。
【０１３７】
ダウンリンクデータの宛先アドレスは第１のＵＥ２０であることが理解されることがある。
【０１３８】
具体的には、基地局１０は、セルラーリンクを使用することにより、第２のＵＥ３１へダウンリンクデータを送信することがある。第２のＵＥ３１は、Ｄ２Ｄリソースプールを使用することにより、第１のＵＥ  ２０へダウンリンクデータを送信することがある。
【０１３９】
代替として、３０９において、アップリンクデータとダウンリンクデータが同時に伝送されることがあることに留意されたい。本明細書において詳細が再び説明されることはない。
【０１４０】
別の場合には、３０３の中継要求メッセージは優先的に選択された中継ＵＥのＩＤを含み、優先的に選択された中継ＵＥのＩＤは第２のＵＥ３１のＩＤであると想定されている。さらに、３０４において、第２のＵＥ３１は、第２のＵＥ３１が第１のＵＥ３１に対して中継サービスを提供することができると判定する。この場合、第２のＵＥ３１は、３０５が遂行される前もしくは後に、または３０５が遂行されるのと同時に、３０８を遂行することがある。すなわち、第２のＵＥ３１に関して、本発明のこの実施形態における実行順序は、３０４→３０５→３０８→３０９、または３０４→３０８→３０５→３０９、または３０４→３０５、３０８→３０９であることがある。
【０１４１】
このようにして、本発明のこの実施形態では、第１のＵＥは遠隔ＵＥとして作動し、中継要求メッセージを送信することによって中継ＵＥの選択を起動することができ、中継ＵＥを選択して判定した後、中継ＵＥを使用することによって基地局とデータ伝送を遂行することができ、それにより、データ伝送効率が向上されることが可能となる。
【０１４２】
さらに、３０９の後に、中継接続を解放する処理が実行されることがある。具体的には、解放処理は、図４から図８の実施形態のうちのいずれか１つに示されることがある。
【０１４３】
図４は、本発明の実施形態による中継接続を解放するための方法の相互作用フローチャートである。図４に示される方法は以下のことを含む。
【０１４４】
４０１：第１のＵＥ２０は第２のＵＥ３１へ中継解放要求メッセージを送信する。
【０１４５】
４０２：第２のＵＥ３１は第１のＵＥ２０へ中継解放応答メッセージを送信する。
【０１４６】
４０３：第１のＵＥ２０は、第２のＵＥ３１に対するＤ２Ｄ接続を解放し、第２のＵＥ  ３１は、第１のＵＥ２０に対するＤ２Ｄ接続を解放する。
【０１４７】
４０２は任意選択である。すなわち、第２のＵＥ３１は中継解放応答メッセージを送信しないことがある。
【０１４８】
図５は、本発明の別の実施形態による、中継接続を解放するための方法の相互作用フローチャートである。図５に示される方法は以下のことを含む。
【０１４９】
５０１：第２のＵＥ３１は第１のＵＥ２０へ中継解放要求メッセージを送信する。
【０１５０】
５０２：第１のＵＥ２０は第２のＵＥ３１へ中継解放応答メッセージを送信する。
【０１５１】
５０３：第１のＵＥ２０は、第２のＵＥ３１に対するＤ２Ｄ接続を解放し、第２のＵＥ  ３１は、第１のＵＥ２０に対するＤ２Ｄ接続を解放する。
【０１５２】
５０２は任意選択である。すなわち、第１のＵＥ２０は中継解放応答メッセージを送信しないことがある。
【０１５３】
さらに、図４または図５の後、第２のＵＥ３１と基地局１０の間で他のデータ（セルラーデータ、または第２のＵＥ３１の支援を伴って別の遠隔ＵＥ向けに伝送されるデータ）が伝送されず、他のデータが伝送される必要がない場合には、第２のＵＥ３１は基地局１０に対する接続を解放することもある。基地局１０は、第２のＵＥ３１に対する接続を解放することもある。
【０１５４】
任意選択で、第１のＵＥ２０が基地局１０の受信可能範囲の内部に配置されているものの、第１のＵＥ２０の電力量が著しく低い場合、または、３０９の後に、第１のＵＥ２０の位置もしくは電力量、または第１のＵＥ２０と基地局１０の間の信号品質が変化される場合、結果として、３０９の後に、第１のＵＥ２０と基地局１０の間で信号送信が遂行されることが可能となり、図６、図７、または図８に示された方法を使用することにより、中継接続が解放されることがある。
【０１５５】
図６は、本発明の別の実施形態による、中継接続を解放するための方法の相互作用フローチャートである。図６に示される方法は以下のことを含む。
【０１５６】
６０１：第２のＵＥ３１は基地局１０へ中継解放要求メッセージを送信する。
【０１５７】
６０２：基地局１０は、第１のＵＥ２０へ中継解放要求メッセージを転送する。
【０１５８】
６０３：第１のＵＥ２０は基地局１０へ中継解放応答メッセージを送信する。
【０１５９】
６０４：基地局１０は第２のＵＥ３１へ中継解放応答メッセージを送信する。
【０１６０】
６０５：第１のＵＥ２０は、第２のＵＥ３１に対するＤ２Ｄ接続を解放し、第２のＵＥ  ３１は、第１のＵＥ２０に対するＤ２Ｄ接続を解放する。
【０１６１】
６０３および６０４は任意選択である。すなわち、中継解放応答メッセージは送信されないことがある。
【０１６２】
図７は、本発明の別の実施形態による、中継接続を解放するための方法の相互作用フローチャートである。図７に示される方法は以下のことを含む。
【０１６３】
７０１：第１のＵＥ２０は基地局１０へ中継解放要求メッセージを送信する。
【０１６４】
７０２：基地局１０は第２のＵＥ３１へ中継解放要求メッセージを転送する。
【０１６５】
７０３：第２のＵＥ３１は基地局１０へ中継解放応答メッセージを送信する。
【０１６６】
７０４：基地局１０は第１のＵＥ２０へ中継解放応答メッセージを送信する。
【０１６７】
７０５：第１のＵＥ２０は、第２のＵＥ３１に対するＤ２Ｄ接続を解放し、第２のＵＥ  ３１は、第１のＵＥ２０に対するＤ２Ｄ接続を解放する。
【０１６８】
７０３および７０４は任意選択である。すなわち、中継解放応答メッセージは送信されないことがある。
【０１６９】
図８は、本発明の別の実施形態による、中継接続を解放するための方法の相互作用フローチャートである。図８に示される方法は以下のことを含む。
【０１７０】
８０１：基地局１０は、第１のＵＥ２０および第２のＵＥ３１へ中継解放要求メッセージを送信する。
【０１７１】
８０２：第１のＵＥ２０および第２のＵＥ３１は、それぞれ基地局１０へ中継解放応答メッセージを送信する。
【０１７２】
８０３：第１のＵＥ２０は、第２のＵＥ３１に対するＤ２Ｄ接続を解放し、第２のＵＥ  ３１は、第１のＵＥ２０に対するＤ２Ｄ接続を解放する。
【０１７３】
８０２は任意選択である。すなわち、中継解放応答メッセージは送信されないことがある。
【０１７４】
さらに、図６、図７、または図８の後、第２のＵＥ３１と基地局１０の間で他のデータ（セルラーデータ、または第２のＵＥ３１の支援を伴って別の遠隔ＵＥ向けに伝送されるデータ）が伝送されず、他のデータが伝送される必要がない場合には、第２のＵＥ３１は基地局１０に対する接続を解放することもある。基地局１０は、第２のＵＥ３１に対する接続を解放することもある。
【０１７５】
中継解放処理のために他のやり方が使用されることがあり、本明細書では１つずつ列挙されることはないことに留意されたい。
【０１７６】
中継データ伝送が完了された後、中継のために確立されたＤ２Ｄ接続が解放されることがあることが理解され得る。特定の解放処理が、遠隔ＵＥとして作動する第１のＵＥ２０によって起動されることがあり、または中継ＵＥとして作動する第２のＵＥ３１によって起動されることがあり、または基地局３１によって起動されることがある。これは本発明では限定されない。
【０１７７】
図９は、本発明の別の実施形態によるデータ伝送方法の相互作用フローチャートである。図９は、基地局１０、第１のＵＥ２０、第２のＵＥ３１、および第３のＵＥ３２を示す。
【０１７８】
基地局１０、第１のＵＥ  ２０、第２のＵＥ  ３１、および第３のＵＥ  ３２に関する説明については、図３の説明を参照されたい。繰返しを避けるために、本明細書において詳細が再び説明されることはない。
【０１７９】
図９に示される方法は以下のステップを含む。
【０１８０】
９０１：基地局１０はＤ２Ｄ中継構成情報を送信する。
【０１８１】
具体的には、基地局１０は、規定時間において、または周期的に、またはイベントによって起動されたとき、ブロードキャストのやり方で、または専用シグナリングを使用することにより、Ｄ２Ｄ中継構成情報を送信することがある。たとえば、専用シグナリングは無線リソース制御（Ｒａｄｉｏ  Ｒｅｓｏｕｒｃｅ  Ｃｏｎｔｒｏｌ、ＲＲＣ）シグナリングであることがある。イベントによって起動された中継構成情報は条件を有することがある。たとえば、ＵＥが基地局にとどまるかまたはアクセスするとき、基地局はＵＥに関する中継情報を構成する。
【０１８２】
Ｄ２Ｄ中継構成情報は、Ｄ２Ｄ  ＵＥ中継構成に関連づけられたパラメータを含む。たとえば、パラメータは、支援中継サービスを開始するために必要とされるパラメータを含むことがある。
【０１８３】
本発明のこの実施形態では、Ｄ２Ｄ  ＵＥ中継構成に関連づけられたパラメータは、中継ＵＥによって使用されるＤ２Ｄ中継伝送リソース、遠隔ＵＥによるＤ２Ｄ中継を開始するための条件に関連づけられたパラメータ、中継ＵＥによって分担されるＤ２Ｄ中継タスクに関連づけられたパラメータ、または同種のものを含むことがある。
【０１８４】
たとえば、Ｄ２Ｄ中継構成情報は、セルラー伝送の信号品質限度（本明細書では第１の閾値と称されることがある）を含むことがあり、または、遠隔ＵＥが中継要求メッセージを送信する再伝送の回数（本明細書では第２の閾値と称されることがある）を含むことがあり、または、中継ＵＥによって中継を遂行するための残存電力量の限度（本明細書では第３の閾値と称されることがある）を含むことがあり、または、中継ＵＥによってブロードキャストメッセージを送信する期間（第４の閾値と称されることがある）を含むことがある。
【０１８５】
Ｄ２Ｄ中継構成情報は、基地局１０のサービス範囲の内部に配置されているすべてのＵＥによって受信されることがあることが理解されることがある。第１のＵＥ２０、第２のＵＥ３１、および第３のＵＥ３２のすべてが、Ｄ２Ｄ中継構成情報を受信できることが理解されることがある。
【０１８６】
９０２：中継能力を有するＵＥがブロードキャストメッセージを送信し、ブロードキャストメッセージは、ＵＥが中継ＵＥとして作動し得ることを指示するのに使用される指示情報を含む。
【０１８７】
具体的には、Ｄ２Ｄ中継構成情報を受信したＵＥは、自己評価を遂行して、このＵＥが中継能力を有するかどうかを判定する。このＵＥは、このＵＥが中継能力を有すると判定した場合には、Ｄ２Ｄブロードキャストのやり方でブロードキャストメッセージを送信する。
【０１８８】
Ｄ２Ｄ中継構成情報を受信したＵＥは、それぞれのネットワーク状態および中継サービス状態に従って自己評価を遂行することがある。
【０１８９】
たとえば、自己評価は、ＵＥがアイドル（Ｉｄｌｅ）状態または接続された（ｃｏｎｎｅｃｔｅｄ）状態にあるかどうかということ、ＲＲＣ接続が確立されているかどうかということ、ＲＲＣ接続が確立されていなければ、ＲＲＣ接続が確立されることが可能かどうかということ、残存電力（あらかじめ構成されることがあり、または９０１のＤ２Ｄ中継構成情報において構成された所定の閾値よりも大きいものであることがある）があるかどうかということ、または、残存電力量が閾値（あらかじめ構成されることがあり、９０１のＤ２Ｄ中継構成情報に含まれることがある（すなわち第３の閾値））よりも大きいかどうかということ、を含むことがある。
【０１９０】
本発明のこの実施形態では、第２のＵＥ３１は中継能力を有すると想定されている。この場合、第２のＵＥ３１はＤ２Ｄブロードキャストのやり方でブロードキャストメッセージを送信し、ブロードキャストメッセージは、第２のＵＥが中継ＵＥとして作動することができるとの指示情報を含む。代替として、ブロードキャストメッセージは、第２のＵＥが中継能力を有すると指示することが理解されることがある。このようにして、第２のＵＥ３１とＤ２Ｄ通信を遂行することができるすべてのＵＥがブロードキャストメッセージを受信し得る。
【０１９１】
本発明のこの実施形態では、第３のＵＥ３２は中継能力を有しないと想定されている。代替として、第３のＵＥ３２によって現在分担されている中継サービスが既に上限に到達したと想定されている。この場合、第３のＵＥ３２はＤ２Ｄブロードキャストメッセージを送信しない。
【０１９２】
９０２は、第２のＵＥ３１がブロードキャストメッセージを送信することを意味することが理解されることがある。ブロードキャストメッセージは、第２のＵＥ３１が中継ＵＥとして作動することができるという指示情報を含む。具体的には、第２のＵＥ３１は、Ｄ２Ｄブロードキャストのやり方でブロードキャストメッセージを周期的に送信することがある。送信の期間はあらかじめ構成されることがあり、または９０１のＤ２Ｄ中継構成情報に含まれることがある（すなわち第４の閾値）。
【０１９３】
第２のＵＥ３１によって送信されるブロードキャストメッセージは、第２のＵＥ３１と基地局１０の間のチャネルの品質情報、第２のＵＥ３１の現在の中継サービス状態、第２のＵＥ３１が現在とどまっているセルのアイデンティティＩＤ、または第２のＵＥ３１が現在とどまっているセルの基地局のＩＤのうちの少なくとも１つをさらに含む。
【０１９４】
第２のＵＥ３１が現在とどまっているセルの基地局は、基地局１０である。第２のＵＥ３１の現在の中継サービス状態に関する説明については、図３の実施形態のステップ３０４に関連する説明を参照されたい。繰返しを避けるために、本明細書において詳細が再び説明されることはない。
【０１９５】
ブロードキャストメッセージは、第２のＵＥが基地局の受信可能範囲の内部に配置されていること、第２のＵＥが基地局へのＲＲＣ接続を確立したこと、第２のＵＥによって基地局に対して確立されたＲＲＣ接続の信号品質が事前設定の信号品質閾値よりも高いこと、第２のＵＥの残存バッテリー電力量が事前設定の電力量閾値よりも大きいこと、第２のＵＥの伝送電力が事前設定の伝送電力閾値未満であること、または、第２のＵＥが、基地局から、ブロードキャストメッセージを送信するように第２のＵＥに命令する情報を受信することのうちの少なくとも１つをさらに含む。
【０１９６】
任意選択で、ブロードキャストメッセージはＤ２Ｄリソースプールをさらに含むことがある。Ｄ２Ｄリソースプールは、基地局１０により、ブロードキャストのやり方で、もしくは専用シグナリングを使用することにより、第２のＵＥ３１に分配されたＤ２Ｄリソースプールであることがあり、または第２のＵＥ３１によって選択されたＤ２Ｄリソースプールであることがある。
【０１９７】
中継能力を有する１つまたは複数のＵＥがあり得ることが理解されることがある。この場合、したがって、９０２において、１つまたは複数のＵＥがブロードキャストメッセージを送信する。
【０１９８】
９０３：第１のＵＥ２０は支援中継サービスを開始することを判定する。
【０１９９】
具体的には、第１のＵＥ２０は、基地局１０とデータ伝送を直接遂行することができないとき、支援中継サービスを開始することを判定する。
【０２００】
（１）第１のＵＥ２０は基地局１０の受信可能範囲の内部に配置されていない。
【０２０１】
この場合は、第１のＵＥ２０の位置変化であることがある。すなわち、第１のＵＥ２０は、基地局１０の受信可能範囲内から受信可能範囲外へ移動する。
【０２０２】
（２）第１のＵＥ２０は、第１のＵＥ２０と基地局１０の間の信号品質が事前設定の信号品質閾値よりも低いことを検知する。
【０２０３】
任意選択で、本明細書の信号品質閾値は、９０１におけるＤ２Ｄ中継構成情報に含まれる信号品質限界（すなわち第１の閾値）であることがある。
【０２０４】
第１のＵＥ２０は、通常、第１のＵＥ２０と基地局１０の間の信号品質が著しく低いことを検知したとき、信号品質がより優れている新規のセルを検索することを試みて、セル切換えを遂行することが理解されることがある。したがって、任意選択で、本明細書では、第１のＵＥ２０が、第１のＵＥ２０と基地局１０の間の信号品質が事前設定の信号品質閾値よりも低いことを検知することは、第１のＵＥ２０と基地局１０の間の信号品質が事前設定の信号品質閾値よりも低く、しかも第１のＵＥ２０が切換え条件を満たすセルが見つけないことを第１のＵＥ２０が検知することを指すことがある。
【０２０５】
（３）第１のＵＥ２０の電力量は事前設定の電力量閾値未満である。
【０２０６】
（４）第１のＵＥ２０は、セルに正常にとどまることもしくはセルに正常にアクセスすること、または基地局１０へのＲＲＣ接続を正常に確立することができない。
【０２０７】
たとえば、セルに対するアクセスが禁止されており、またはセルのサービスが制限されており、それゆえに第１のＵＥ２０はＲＲＣ接続を正常に確立することができない。
【０２０８】
妨げられたセル、利用不可能なセル、または他の理由のために、この場合が引き起こされることがある。
【０２０９】
別の例では、第１のＵＥ２０において無線リンク障害（Ｒａｄｉｏ  Ｌｉｎｋ  Ｆａｉｌｕｒｅ、ＲＬＦ）が生じ、ＲＲＣ再確立が完成されることは可能でなく、セルは再選択されることが可能でない。それゆえに、第１のＵＥ２０はＲＲＣ接続を正常に確立することができない。
【０２１０】
第１のＵＥ２０が基地局１０と直接データ伝送を遂行することができない別の場合では、第１のＵＥ２０は支援中継サービスを開始することを判定することがあることが理解されることがある。
【０２１１】
この場合、第１のＵＥ２０は、第２のＵＥ３１が中継ＵＥとして作動することができると指示するブロードキャストメッセージを第２のＵＥ３１から受信している。この場合、第１のＵＥ２０は、中継ＵＥとして第２のＵＥ３１を介して基地局１０とデータ伝送を遂行する。
【０２１２】
代替として、任意選択で、第１のＵＥ２０が中継能力を有する複数のＵＥによって送信されたブロードキャストメッセージを受信している場合、第１のＵＥ２０は、ランダムに、または所定のルールに基づいて、１つのＵＥを中継ＵＥとして最初に選択することがある。本明細書では、選択された中継ＵＥは第２のＵＥ３１であると想定されている。具体的には、本明細書では、所定のルールに基づいて中継ＵＥを選択するための方法については、図３の実施形態の３０６を参照されたい。繰返しを避けるために、本明細書において詳細が再び説明されることはない。
【０２１３】
すなわち、９０３の後に９０４が遂行されることがある。
【０２１４】
９０４：第１のＵＥ２０は、第２のＵＥ３１を介して基地局１０とデータ伝送を遂行する。
【０２１５】
具体的には、アップリンクデータについて、９０４は、
第１のＵＥ２０によって、Ｄ２Ｄ通信のやり方で、第２のＵＥ３１へアップリンクデータを送信するステップと、第２のＵＥ３１によって、基地局１０へアップリンクデータを転送するステップと
を含むことがある。
【０２１６】
アップリンクデータの宛先アドレスは基地局１０であることが理解されることがある。
【０２１７】
具体的には、第１のＵＥ２０は、第１のＵＥ２０と第２のＵＥ３１の間のＤ２Ｄリンクを使用することにより、第２のＵＥ３１へアップリンクデータを送信することがある。
【０２１８】
任意選択で、第１のＵＥ２０は、あらかじめ構成されたＤ２Ｄリソースプールを使用することにより、第２のＵＥ３１へアップリンクデータを送信することがある。
【０２１９】
任意選択で、９０２のブロードキャストメッセージがＤ２Ｄリソースプールを含んでいる場合、第１のＵＥ２０は、Ｄ２Ｄリソースプールを使用することにより、第２のＵＥ３１へアップリンクデータを送信することがある。
【０２２０】
さらに、第２のＵＥ３１は、第２のＵＥ３１と基地局１０の間のセルラーリンクを使用することにより、第２のＵＥ３１へアップリンクデータを送信することがある。
【０２２１】
任意選択で、第２のＵＥ３１は、９０４において基地局１０へアップリンクデータを転送するのと同時に、またはその前もしくは後に、明示的に、または暗示的に、基地局１０へ指示情報を送信することがある。指示情報は、第２のＵＥ３１が、第１のＵＥ２０に向けてアップリンクデータを伝送するための中継ＵＥとして作動することになると指示するために使用される。
【０２２２】
任意選択で、第２のＵＥ３１は、基地局１０へアップリンクデータを転送する前に、第１のＵＥ２０へＡＣＫメッセージを送信して、第２のＵＥ３１がアップリンクデータを受信すると指示することがある。第２のＵＥ３１が基地局１０へアップリンクデータを転送した後に、基地局１０は、第２のＵＥ３１へＡＣＫメッセージを送信して、基地局１０がアップリンクデータを受信すると指示することがある。
【０２２３】
代替として、任意選択で、第２のＵＥ３１が基地局１０へアップリンクデータを転送した後に、基地局１０は、第２のＵＥ３１へＡＣＫメッセージを送信して、基地局１０がアップリンクデータを受信すると指示することがある。次いで、第２のＵＥ３１は、第１のＵＥ２０へＡＣＫメッセージを送信して、基地局１０がアップリンクデータを受信したと指示する。
【０２２４】
具体的には、ダウンリンクデータについて、９０４は、
基地局１０によって第２のＵＥ３１へダウンリンクデータを送信するステップと、第２のＵＥ３１によって、Ｄ２Ｄ通信のやり方で、第１のＵＥ２０へダウンリンクデータを転送するステップと
を含むことがある。
【０２２５】
ダウンリンクデータの宛先アドレスは第１のＵＥ２０であることが理解されることがある。
【０２２６】
具体的には、基地局１０は、セルラーリンクを使用することにより、第２のＵＥ３１へダウンリンクデータを送信することがある。第２のＵＥ３１は、Ｄ２Ｄリソースプールを使用することにより、基地局１０へダウンリンクデータを送信することがある。
【０２２７】
代替として、９０４において、アップリンクデータとダウンリンクデータが同時に伝送されることがあることに留意されたい。本明細書では詳細は説明されない。
【０２２８】
加えて、図９に示された実施形態では、９０２は９０３の後に遂行されることがあることに留意されたい。すなわち、この方法の実行順序は９０３→９０２→９０４であることがある。
【０２２９】
すなわち、この実施形態では、第１のＵＥ２０は、９０３の後に、９０２のブロードキャストメッセージを受信するのを待つ。
【０２３０】
このようにして、図９に示された実施形態では、中継サービスを提供することができるＵＥ（第２のＵＥ３１など）がブロードキャストメッセージを送信し、ブロードキャストメッセージは、ＵＥが中継ＵＥとして作動することができるとの指示情報を含む。したがって、遠隔ＵＥとして作動することができる第１のＵＥは、中継ＵＥを使用することによって基地局とデータ伝送を遂行することができ、それにより、データ伝送効率が向上されることが可能となる。
【０２３１】
別のシナリオでは、図１０に示されるように、この方法は、９０３の後、９０４の前に、以下のことをさらに含むことがある。
【０２３２】
９０３１：第１のＵＥ２０は中継要求メッセージを送信する。
【０２３３】
第１のＵＥ２０は、９０２のブロードキャストメッセージの送信元へ中継要求メッセージを送信することがある。
【０２３４】
任意選択で、第１のＵＥ２０は、Ｄ２Ｄブロードキャストのやり方で中継要求メッセージを送信することがある。
【０２３５】
たとえば、第１のＵＥ２０は、９０２において、第２のＵＥ３１によって送信されたブロードキャストメッセージを受信した場合、９０３１において、第２のＵＥ３１へ中継要求メッセージを送信する。
【０２３６】
たとえば、第１のＵＥ２０は、９０２において、第２のＵＥ３１によって送信されたブロードキャストメッセージおよび別の第４のＵＥによって送信されたブロードキャストメッセージを受信した場合、９０３１において、第２のＵＥ３１および第４のＵＥへ中継要求メッセージを送信する。
【０２３７】
本発明のこの実施形態では、中継要求メッセージは、第１のＵＥ２０の、支援中継を必要とするデータの出所アドレスおよび宛先アドレスを含む。たとえば、出所アドレスは第１のＵＥ２０のＩＤであることがある。宛先アドレスは、基地局１０のＩＤまたは基地局１０のセルのＩＤ（ｃｅｌｌ  ＩＤ）であることがある。たとえば、セルのＩＤはＥＣＧＩであることがある。
【０２３８】
任意選択で、中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのＩＤ、第１のＵＥ２０が最後にとどまるセルのＩＤ、第１のＵＥ２０が最後にとどまるセルの基地局のＩＤ、またはグループ通信のターゲットＩＤのうちの少なくとも１つをさらに含むことがある。
【０２３９】
第１のＵＥ２０が現在とどまっているセルが判定されることが可能な場合、第１のＵＥ２０が最後にとどまるセルは、第１のＵＥ２０が現在とどまっているセルである。第１のＵＥ２０が現在いかなるセルにもとどまっていない場合、第１のＵＥ２０が最後にとどまるセルは、第１のＵＥ２０が現在の時点の前に最後にとどまったセルである。
【０２４０】
グループ通信のターゲットＩＤはグループＩＤ（Ｇｒｏｕｐ  ＩＤ）である。
【０２４１】
加えて、中継要求メッセージは、支援中継を必要とするデータのデータ方向をさらに含むことがあり、データ方向はアップリンクおよび／またはダウンリンクであることがある。
【０２４２】
加えて、中継要求メッセージは、支援中継を必要とするサービスタイプをさらに含むことがある。たとえば、サービスタイプは、基地局１０との通信を直接遂行することがあり、または別の基地局を介して基地局１０との通信を間接的に遂行することがある。
【０２４３】
任意選択で、第１のＵＥ２０が中継要求メッセージを送信するのと同時にタイマが開始されることがある。タイマによって設定される期間はＴ１であると想定されている。この場合、９０３１の後の期間Ｔ１の間に、中継要求メッセージに対応する中継応答メッセージが受信されなければ、第１のＵＥ２０は中継要求メッセージを再伝送することがある。本明細書の再伝送の回数は事前設定されることがあり、または９０１におけるＤ２Ｄ中継構成情報に含まれることがある（すなわち第２の閾値）。本明細書では、Ｔ１はゼロであることがある。
【０２４４】
中継要求メッセージを送信する回数が再伝送の回数に到達した後、第１のＵＥ２０が中継要求メッセージに対応する中継応答メッセージをさらに受信しない場合、それは、９０２においてブロードキャストメッセージを送信するＵＥが第１のＵＥ２０のＤ２Ｄ通信の範囲内にまだ配置されていないこと、または、９０２においてブロードキャストメッセージを送信するＵＥが既に中継サービスを提供し続けることができないことを指示することが理解されることがある。この場合、第１のＵＥ２０はブロードキャストメッセージを聴き続けることがあり、すなわち９０２を再び遂行することがある。代替として、第１のＵＥ  ２０は、期間Ｔ３の後に中継要求メッセージを再び送信することがある。
【０２４５】
９０３２：第１のＵＥ２０は中継応答メッセージを受信する。
【０２４６】
本発明のこの実施形態では、第１のＵＥ２０は、第２のＵＥ３１によって送信された中継応答メッセージを受信すると想定されている。
【０２４７】
任意選択で、第２のＵＥ３１は、第２のＵＥ３１が第１のＵＥ２０に対して中継サービスを提供することができると判定したときには、中継要求メッセージを受信した後、再び自己評価を遂行して、中継応答メッセージを送信することがある。本明細書では、自己評価に関する説明については、図３の実施形態における３０４の説明を参照されたい。繰返しを避けるために、本明細書において詳細が再び説明されることはない。
【０２４８】
任意選択で、９０３２の前もしくは後に、または９０３２が遂行されると同時に、第２のＵＥ３１は中継準備作業を遂行する。具体的には、中継準備に関する説明については、図３の実施形態における３０８の説明を参照されたい。繰返しを避けるために、本明細書において詳細が再び説明されることはない。具体的には、９０３２の後に中継準備が遂行される場合は、図３の実施形態における３０６から３０８の説明を参照されたい。繰返しを避けるために、本明細書において詳細が再び説明されることはない。
【０２４９】
さらに、９０３２の後に、９０４が遂行され続けることがある。
【０２５０】
代替として、第１のＵＥ２０が、９０３２において、複数のＵＥによって送信された中継応答メッセージを受信した場合、９０３２の後に９０３３が遂行されることがある。
【０２５１】
９０３３：第１のＵＥ２０は複数のＵＥ（中継応答メッセージの送信元）から中継ＵＥを選択する。
【０２５２】
具体的には、ステップ９０３３については、図３の実施形態における３０６の説明を参照されたい。本発明のこの実施形態では、第１のＵＥ２０によって選択される中継ＵＥは第２のＵＥ３１であると想定されている。
【０２５３】
さらに、９０３３の後に９０４が遂行され続けることがある。
【０２５４】
図９または図１０に示された実施形態の後、すなわち９０４のデータ伝送が成功した後、中継接続を解放する処理が実行され続けることがあることが理解されることがある。具体的には、解放処理については、図４から図８の実施形態のうちのいずれか１つにおける説明を参照されたい。繰返しを避けるために、本明細書において詳細が再び説明されることはない。
【０２５５】
このようにして、図１０に示された実施形態では、中継サービスを提供することができるＵＥ（第２のＵＥ３１など）がブロードキャストメッセージを送信し、それにより、遠隔ＵＥとして作動する第１のＵＥは、中継要求メッセージを送信することによって中継ＵＥ選択を起動することができ、中継ＵＥを選択して判定した後、中継ＵＥを使用することによって基地局とデータ伝送を遂行することができ、それにより、データ伝送効率が向上されることが可能となる。
【０２５６】
図１１は、本発明の別の実施形態によるデータ伝送方法の相互作用フローチャートである。図１１は、基地局１０、第１のＵＥ２０、第２のＵＥ３１、および第３のＵＥ３２を示す。
【０２５７】
基地局１０、第１のＵＥ２０、第２のＵＥ３１、および第３のＵＥ３２に関する説明については、図３の説明を参照されたい。繰返しを避けるために、本明細書において詳細が再び説明されることはない。
【０２５８】
図１１に示される方法は以下のステップを含む。
【０２５９】
１１０１：基地局１０はＤ２Ｄ中継構成情報を送信する。
【０２６０】
具体的には、図１１の１１０１については、図３の実施形態における３０１の説明を参照されたい。繰返しを避けるために、本明細書において詳細が再び説明されることはない。
【０２６１】
１１０２：第１のＵＥ２０は、支援中継サービスを開始することを判定する。
【０２６２】
第１のＵＥ２０は、第１のＵＥ２０のリンク品質が低下しているが他の利用可能なセルが見いだされない、または第１のＵＥ２０の電力量が不十分である、といった場合には支援中継サービスを開始することを判定することがある。
【０２６３】
たとえば、第１のＵＥ２０は、第１のＵＥ２０と基地局１０の間のチャネル品質に関する情報がますます弱くなっていることを検知する。たとえばチャネルの品質情報が限度１未満であって限度２を上回るとき、第１のＵＥ２０は支援中継サービスを開始することを判定する。
【０２６４】
たとえば、第１のＵＥ２０のチャネルの品質情報が限度１を上回るときに限り、第１のＵＥ２０は基地局１０とデータパケット転送を遂行することができる。第１のＵＥ２０のチャネルの品質情報が限度２未満であるとき、第１のＵＥ２０は基地局１０とのいかなる通信も遂行することができない。第１のＵＥ２０のチャネルの品質情報が限度１未満であって限度２を上回るとき、第１のＵＥ２０と基地局１０の間のデータパケット転送の成功率はほぼゼロであるが、第１のＵＥ２０と基地局１０の間の簡単な信号（基準信号など）の伝送は成功することがある。
【０２６５】
たとえば電力量が不十分であることを第１のＵＥ２０が検知したとき、たとえば電力量が限度３未満であって限度４を上回るとき、第１のＵＥ２０は支援中継サービスを開始することを判定する。
【０２６６】
たとえば、第１のＵＥ２０が基地局１０へデータパケットを送信しようとしている場合、必要とされる電力量は少なくとも限度３である。加えて、第１のＵＥ２０と基地局１０の間の簡単な信号（基準信号など）の伝送によって必要とされる電力量さえ、少なくとも限度４である。
【０２６７】
本明細書では、限度１は限度２よりも大きく、限度３は限度４よりも大きい。限度１、限度２、限度３、および限度４は、あらかじめ構成されることがあり、または１１０１のＤ２Ｄ中継構成情報に含まれることがある。これは本発明では限定されない。
【０２６８】
１１０３：第１のＵＥ２０は、基地局１０へ中継要求メッセージを送信する。
【０２６９】
第１のＵＥ２０は、セルラーリンクを使用することによって基地局１０へ中継要求メッセージを送信することが理解されることがある。中継要求メッセージの形式は、アプリケーションレイヤシグナリング、非アクセス層（Ｎｏｎ  Ａｃｃｅｓｓ  Ｓｔｒａｔｕｍ、ＮＡＳ）シグナリング、ＲＲＣシグナリング、メディアアクセス制御（Ｍｅｄｉｕｍ  Ａｃｃｅｓｓ  Ｃｏｎｔｒｏｌ、ＭＡＣ）レイヤにおける制御要素（Ｃｏｎｔｒｏｌ  Ｅｌｅｍｅｎｔ、ＣＥ）、または物理（ＰＨＹ）レイヤシグナリングのうちのいずれか１つであることがある。
【０２７０】
この実施形態では、基地局１０は第１のＵＥ２０に応対する基地局であることが理解されることがある。
【０２７１】
任意選択で、中継要求メッセージは、要求理由、優先的に保証されることを要求されたサービスのＩＤ、または第１のＵＥの位置情報およびバッファ状態情報のうちの少なくとも１つを含むことがある。
【０２７２】
優先的に保証されることを要求されたサービスのＩＤは、論理チャネルアイデンティティ（Ｌｏｇｉｃａｌ  Ｃｈａｎｎｅｌ  ＩＤ、ＬＣＩＤ）であることがあり、無線ベアラアイデンティティ（Ｒａｄｉｏ  Ｂｅａｒｅｒ  ＩＤ、ＲＢＩＤ）であることがある。
【０２７３】
任意選択で、第１のＵＥ２０が中継要求メッセージを送信するのと同時にタイマが開始されることがある。タイマによって設定される期間はＴ１であると想定されている。
【０２７４】
１１０３の後に、中継要求メッセージに対応する中継応答メッセージが期間Ｔ１の範囲内で受信される場合、第１のＵＥ２０はタイマを停止する。
【０２７５】
第１のＵＥ２０が、１１０３の後の期間Ｔ１の範囲内で、中継要求メッセージに対応する中継応答メッセージを受信しなければ、第１のＵＥ２０の近くに利用可能な中継ＵＥが存在しないことがあるか、または基地局１０が中継要求メッセージを受信しないことがある。この場合、第１のＵＥ２０は中継要求を放棄することがあり、または中継要求メッセージを再送することがある。本明細書における再伝送の回数は事前設定されることがあり、または１１０１のＤ２Ｄ中継構成情報に含まれることがある。本明細書では、Ｔ１はゼロであることがある。
【０２７６】
第１のＵＥ２０が１１０３において中継要求を送信する条件は、１１０２において説明されることがあることに留意されたい。
【０２７７】
１１０４：基地局１０は、第１のＵＥ２０の中継要求メッセージを転送する。
【０２７８】
任意選択で、基地局１０は、セルラーリンクを使用することにより、第１のＵＥ２０の中継要求メッセージを、たとえば第２のＵＥ３１に中継要求メッセージを送信するなど１つの特定のＵＥへ送信することがある。
【０２７９】
具体的には、基地局１０は、最初に、基地局１０のセルの範囲内に配置された、第１のＵＥ２０の近くにある複数のＵＥを判定し、次いで複数のＵＥから第２のＵＥ３１を選択して、第１のＵＥ２０に対する中継ＵＥとして指定することがある。
【０２８０】
基地局１０は、信号品質情報および／または位置情報、または同種のものに従って指定を遂行することがある。
【０２８１】
たとえば、基地局１０は、複数のＵＥの中で、第２のＵＥ３１と基地局１０の間の信号品質が最も良い、または第２のＵＥ３１と第１のＵＥ２０の間の距離が最も短いと判定した場合、第２のＵＥ３１を、第１のＵＥ２０に対する中継ＵＥとして指定することがある。
【０２８２】
１１０４において、基地局１０によって第２のＵＥ３１へ転送される中継要求メッセージは、第２のＵＥ３１が第１のＵＥ２０に対する中継ＵＥとして作動するという指示情報を含むことがあることが理解されることがある。
【０２８３】
本発明のこの実施形態では、基地局１０は、１１０３において第１のＵＥ２０から中継要求メッセージを受信した後に脱カプセル化などの動作を遂行して、次いで第２のＵＥ３１へ中継要求メッセージを転送する必要があることに留意されたい。
【０２８４】
再びカプセル化された中継要求メッセージは、Ｄ２Ｄリソースプールをさらに含むことがある。
【０２８５】
１１０５：基地局１０によって送信された第１のＵＥ２０の中継要求メッセージを受信したＵＥは、このＵＥが中継サービスを提供することができるかどうかを判定する。
【０２８６】
第２のＵＥ３１は、自己評価を遂行して、それが第１のＵＥ２０に対して中継サービスを提供することができるかどうかを判定することが理解されることがある。
【０２８７】
自己評価に関する説明については、図３の実施形態における３０４の自己評価に関連づけられた説明を参照されたい。繰返しを避けるために、本明細書において詳細が再び説明されることはない。
【０２８８】
加えて、本発明のこの実施形態では、第２のＵＥ３１は、第１のＵＥ２０の位置情報に従って第１のＵＥ２０への相対距離を判定し、相対距離に従って自己評価を遂行することがある。
【０２８９】
たとえば、第２のＵＥ３１は、現在の中継サービス状態または現在の残存電力量などの情報に従って自己評価を遂行することがある。本明細書では、この情報が１つずつ列挙されることはない。
【０２９０】
第２のＵＥ３１が、自己評価によって、第２のＵＥ３１が第１のＵＥ２０に対して中継サービスを提供することができると判定する場合、１１０６が遂行される。そうでなければ、第２のＵＥ  ３１はメッセージを送信しないことがある。
【０２９１】
１１０６：第２のＵＥ３１は第１のＵＥ２０へ中継応答メッセージを送信する。
【０２９２】
具体的には、図１１の実施形態の１１０６については、図３の実施形態における３０５の説明を参照されたい。繰返しを避けるために、本明細書において詳細が再び説明されることはない。
【０２９３】
任意選択で、中継応答メッセージはＤ２Ｄリソースプールを含むことがある。
【０２９４】
第２のＵＥ３１は、１１０６が遂行される前もしくは後に、または１１０６が遂行されるのと同時に、中継準備の処理を実行することがあることが理解されることがある。詳細については、図３の実施形態における３０８の説明を参照されたい。
【０２９５】
１１０７：第１のＵＥ２０は、第２のＵＥ３１を介して基地局１０とデータ伝送を遂行する。
【０２９６】
具体的には、１１０７の遂行については、図３に示された３０９または図９に示された９０４を参照されたい。繰返しを避けるために、本明細書において詳細が再び説明されることはない。
【０２９７】
すなわち、１１０７において伝送されるデータは、アップリンクデータもしくはダウンリンクデータ、またはアップリンクおよびダウンリンクデータであることがある。
【０２９８】
このようにして、図１１に示された実施形態では、基地局は、第１のＵＥの中継要求メッセージを受信した後、第２のＵＥを中継ＵＥとして指定することができ、次いで、第１のＵＥは、第２のＵＥを介して基地局とデータ伝送を遂行することができ、それにより、データ伝送効率が向上されることが可能となる。
【０２９９】
別の実施形態では、図１２に示されるように、基地局は１１０３の後に１１０４１を遂行することがある。
【０３００】
１１０４１：基地局１０は、第１のＵＥ２０の中継要求メッセージを転送する。
【０３０１】
任意選択で、基地局１０は、ブロードキャストのやり方で、基地局１０のサービス範囲の内部に配置されているすべてのＵＥへ第１のＵＥ２０の中継要求メッセージを送信することがある。
【０３０２】
代替として、任意選択で、基地局１０は、中継要求メッセージに含まれている第１のＵＥ２０の位置情報に従って、第１のＵＥ２０の近くにある複数のＵＥへ第１のＵＥ２０の中継要求メッセージを送信する。
【０３０３】
第１のＵＥ２０の中継要求メッセージは、第１のＵＥ２０のＩＤを含むことがある。第１のＵＥ２０のＩＤは、セル無線ネットワーク一時的識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）であることがある。
【０３０４】
本発明のこの実施形態では、基地局１０は、第１のＵＥ２０の中継要求メッセージを第２のＵＥ３１および第３のＵＥ３２へ送信すると想定されている。
【０３０５】
１１０５：基地局１０によって送信された第１のＵＥ２０の中継要求メッセージを受信したＵＥは、このＵＥが中継サービスを提供することができるかどうかを判定する。
【０３０６】
本明細書では、第２のＵＥ３１および第３のＵＥ３２は、それらが中継サービスを提供することができるかどうかを判定する。
【０３０７】
１１０６：１１０５において、中継サービスを提供することができると判定したＵＥは中継応答メッセージを送信する。
【０３０８】
第１のＵＥ２０は、１１０６において、たった１つのＵＥ（第２のＵＥ３１）によって送信された中継応答メッセージを受信した場合、この１つのＵＥ（第２のＵＥ３１）を使用することによって基地局１０とデータ伝送を遂行することが理解されることがある。すなわち、第１のＵＥ２０は、１１０６の後に１１０７を遂行する。
【０３０９】
代替として、第１のＵＥ２０は、１１０６において、複数のＵＥによって送信された中継応答メッセージを受信する場合、１１０６の後に１１０６１を遂行することが理解されることがある。
【０３１０】
１１０６１：第１のＵＥ２０は複数のＵＥから中継ＵＥを選択する。
【０３１１】
本発明のこの実施形態では、第１のＵＥ２０は、中継ＵＥとして第２のＵＥ３１を選択すると想定されている。この場合、第１のＵＥ２０は１１０６１の後に１１０７を遂行する。
【０３１２】
１１０６１については、図３の実施形態における３０６の類似した説明を参照されたい。繰返しを避けるために、本明細書において詳細が再び説明されることはない。
【０３１３】
図１１または図１２に示された実施形態の後、すなわちデータ伝送１１０７が成功した後、中継接続を解放する処理が実行され続けることがあることが理解されることがある。具体的には、解放処理については、図４から図８の実施形態のうちのいずれか１つにおける説明を参照されたい。繰返しを避けるために、本明細書において詳細が再び説明されることはない。
【０３１４】
図１３は、本発明の別の実施形態によるデータ伝送方法の相互作用フローチャートである。図１３は、基地局１０、第１のＵＥ２０、第２のＵＥ３１、および第３のＵＥ３２を示す。
【０３１５】
基地局１０、第１のＵＥ２０、第２のＵＥ３１、および第３のＵＥ３２に関する説明については、図３の説明を参照されたい。繰返しを避けるために、本明細書において詳細が再び説明されることはない。
【０３１６】
図１３に示される方法は以下のステップを含む。
【０３１７】
１３０１：基地局１０はＤ２Ｄ中継構成情報を送信する。
【０３１８】
具体的には、図１３の１３０１については、図３の実施形態における３０１を参照されたい。繰返しを避けるために、本明細書において詳細が再び説明されることはない。
【０３１９】
１３０２：第１のＵＥ２０は、支援中継サービスを開始することを判定する。
【０３２０】
具体的には、第１のＵＥ２０は、基地局１０へアップリンクデータを直接送信することができないときには、支援中継サービスを開始することを判定する。
【０３２１】
たとえば、支援中継サービスは以下の場合のうちのいずれか１つで開始されることがある。
【０３２２】
（１）第１のＵＥ２０が基地局１０の受信可能範囲の内部になく、それゆえに基地局１０へアップリンクデータを直接送信することができない。
【０３２３】
この場合は第１のＵＥ２０の位置変化であることがあり、すなわち、第１のＵＥ２０が基地局１０の受信可能範囲内から受信可能範囲外へ移動する。
【０３２４】
（２）第１のＵＥ２０は、第１のＵＥ２０と基地局１０の間の信号品質が事前設定の信号品質閾値未満であることを検知し、それゆえに基地局１０へアップリンクデータを直接送信することができない。
【０３２５】
第１のＵＥ２０は、通常、第１のＵＥ２０と基地局１０の間の信号品質が著しく低いことを検知したとき、信号品質がより優れている新規のセルを検索することを試みて、セル切換えを遂行することが理解されることがある。したがって、任意選択で、本明細書では、第１のＵＥ２０と基地局１０の間の信号品質が事前設定の信号品質閾値未満であるのを第１のＵＥ２０が検知するということは、第１のＵＥ２０と基地局１０の間の信号品質が事前設定の信号品質閾値よりも低く、第１のＵＥ２０が切換え条件を満たすセルを見つけないことを第１のＵＥ２０が検知することを指すことがある。
【０３２６】
（３）第１のＵＥ２０の電力量が事前設定の電力量閾値未満であり、それゆえに基地局１０へアップリンクデータを送信するには不十分である。
【０３２７】
（４）第１のＵＥ２０は、セルに正常にとどまることまたは基地局１０へのＲＲＣ接続を正常に確立することができず、それゆえに基地局１０へアップリンクデータを直接送信することができない。
【０３２８】
たとえば、セルに対するアクセスが禁止されており、またはセルのサービスが制限されており、それゆえに第１のＵＥ２０はＲＲＣ接続を正常に確立することができない。
【０３２９】
妨げられたセル、利用不可能なセル、または他の理由のために、この場合が引き起こされることがある。
【０３３０】
別の例では、第１のＵＥ２０において無線リンク障害（Ｒａｄｉｏ  Ｌｉｎｋ  Ｆａｉｌｕｒｅ、ＲＬＦ）が生じ、ＲＲＣ再確立が完成されることは可能でなく、セルは再選択されることが可能でない。それゆえに、第１のＵＥ２０はＲＲＣ接続を正常に確立することができない。
【０３３１】
アップリンクデータが基地局１０へ直接送信されることが可能でない別の場合には、第１のＵＥ２０は支援中継サービスを開始することを判定することがあることが理解されることがある。
【０３３２】
１３０３：第１のＵＥ２０は、アップリンクデータを含む中継要求メッセージを送信する。
【０３３３】
具体的には、第１のＵＥ２０はＤ２Ｄブロードキャストのやり方で中継要求メッセージ（ｒｅｌａｙ  ｒｅｑｕｅｓｔ  ｍｅｓｓａｇｅ）を送信する。このようにして、第１のＵＥ２０とＤ２Ｄ通信を遂行することができるすべてのＵＥが中継要求メッセージを受信し得る。
【０３３４】
任意選択で、第１のＵＥ２０は、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）に従って中継要求メッセージの伝送電力を判定することがある。代替として、第１のＵＥ２０は、最大の伝送電力で中継要求メッセージを送信することがある。本明細書の最大の伝送電力はＤ２Ｄ送信リソースプールにおいて判定される。
【０３３５】
任意選択で、第１のＵＥ２０は、あらかじめ構成されたＤ２Ｄ送信リソースプールを使用することによって中継要求メッセージを送信することがある。
【０３３６】
本発明のこの実施形態では、中継要求メッセージは、第１のＵＥ２０の、支援中継を必要とするデータの出所アドレスおよび宛先アドレスを含む。たとえば、出所アドレスは第１のＵＥ２０のＩＤであることがある。宛先アドレスは、基地局１０のＩＤまたは基地局１０のセルのＩＤ（ｃｅｌｌ  ＩＤ）であることがある。たとえば、セルのＩＤはＥＣＧＩであることがある。
【０３３７】
任意選択で、中継要求メッセージは、支援中継を必要とするデータ（すなわちアップリンクデータ）の指示情報、支援中継を必要とするデータのデータ量の大きさ、支援中継を必要とするデータのサービスタイプ、優先的に選択されるべき中継ＵＥのＩＤ、第１のＵＥ２０が最後にとどまるセルのＩＤ、第１のＵＥ２０が最後にとどまるセルの基地局のＩＤ、またはグループ通信のターゲットＩＤのうちの少なくとも１つをさらに含むことがある。
【０３３８】
第１のＵＥ２０が現在とどまっているセルが判定されることが可能な場合、第１のＵＥ  ２０が最後にとどまるセルは、第１のＵＥ２０が現在とどまっているセルである。第１のＵＥ２０が現在いかなるセルにもとどまっていない場合、第１のＵＥ２０が最後にとどまるセルは、第１のＵＥ２０が現在の瞬間の前に最後にとどまったセルである。
【０３３９】
グループ通信のターゲットＩＤはグループＩＤ（Ｇｒｏｕｐ  ＩＤ）である。
【０３４０】
加えて、中継要求メッセージは、支援中継を必要とするサービスタイプをさらに含むことがある。たとえば、サービスタイプは、基地局１０との通信を直接遂行することがあり、または別の基地局を介して基地局１０との通信を間接的に遂行することがある。
【０３４１】
１３０４：第１のＵＥ２０によって送信された中継要求メッセージを受信したＵＥは、このＵＥが中継サービスを提供することができるかどうかを判定する。
【０３４２】
それは、第１のＵＥ２０によって送信された中継要求メッセージを受信したＵＥが自己評価を遂行することとして理解されることもある。
【０３４３】
自己評価に関する説明については、図３の実施形態における３０４の説明を参照されたい。繰返しを避けるために、本明細書において詳細が再び説明されることはない。
【０３４４】
第１のＵＥ２０によって送信された中継要求メッセージを受信したＵＥは、自己評価が遂行された後、このＵＥが第１のＵＥ２０に対して中継サービスを提供することができると判定した場合には、ＵＥは中継要求メッセージのアップリンクデータを基地局１０へ転送することがある。１つまたは複数のＵＥが、それらが第１のＵＥ２０に対して中継サービスを提供することができると判定することがあることが理解されることがある。
【０３４５】
本発明のこの実施形態では、第２のＵＥ３１は、それが第１のＵＥ２０に対して中継サービスを提供することができると判定すると想定されている。この場合、１３０５が遂行される。
【０３４６】
１３０５：第２のＵＥ３１は基地局１０へアップリンクデータを転送する。
【０３４７】
具体的には、第２のＵＥ３１は、第２のＵＥ３１と基地局１０の間のセルラーリンクを使用することにより、第２のＵＥ３１へアップリンクデータを送信する。
【０３４８】
任意選択で、１３０５の前もしくは後に、または１３０５が遂行されるのと同時に、第２のＵＥ３１は、明示的に、または暗示的に、基地局１０へ指示情報を送信することがある。指示情報は、第２のＵＥ３１が、第１のＵＥ２０に向けてアップリンクデータを伝送するための中継ＵＥとして作動することになると指示するために使用される。
【０３４９】
１３０４において、第１のＵＥ２０に対して中継サービスを提供することができる複数のＵＥがあり得ると判定された場合には、１３０５において、複数の中継ＵＥが基地局１０へアップリンクデータを送信することがあることが理解されることがある。
【０３５０】
たとえば、１３０４において、第３のＵＥ３２が、自己評価によって、それが第１のＵＥ２０に対して中継サービスを提供することができると判定すると想定されている。この場合、この方法は、１３０４の後に、第３のＵＥ３２によって基地局１０へアップリンクデータを送信するステップをさらに含むことがある。
【０３５１】
第１のＵＥ２０の、支援中継を必要とするデータの量が比較的小さい場合、または第１のＵＥ２０の単回の送信サービスが支援中継を必要とする場合、図１３の実施形態に示された方法を使用することによってアップリンクデータが伝送されることがあることに留意されたい。
【０３５２】
このようにして、本発明のこの実施形態では、遠隔ＵＥとして作動する第１のＵＥは、中継要求メッセージを送信するときアップリンクデータを同時に送信し、それにより、遠隔ＵＥと中継ＵＥの間の相互作用が低減されることが可能となり、次いでＤ２Ｄ伝送リソースが節約されることが可能となる。
【０３５３】
図１４は本発明の実施形態によるデータ伝送方法のフローチャートである。図１４に示される方法は第１のＵＥによって遂行され、次のことを含む。
【０３５４】
１４０１：第１のユーザ機器ＵＥは、第２のＵＥによって送信された第１のメッセージを受信し、第１のメッセージは、第２のＵＥが中継ＵＥとして作動し得ることの指示情報を含む。
【０３５５】
１４０２：第１のＵＥは、中継ＵＥとして作動する第２のＵＥを介して基地局とデータ伝送を遂行する。
【０３５６】
本発明の実施形態では、第１のＵＥが基地局とのデータ伝送を直接遂行することができないとき、第１のＵＥは、第２のＵＥによって送信された、第２のＵＥが中継ＵＥとして作動することが可能であるとの指示情報に従って中継ＵＥとして第２のＵＥを使用し、次いで、中継ＵＥを介してデータ伝送を遂行することができなくなる。したがってデータ伝送の成功率が保証されることが可能となり、伝送効率がさらに向上されることが可能となる。
【０３５７】
任意選択で、実施形態において、
１４０１における第１のメッセージはブロードキャストメッセージであることがある。すなわち、第１のメッセージは、第２のＵＥによってＤ２Ｄブロードキャストのやり方で送信される。
【０３５８】
したがって、１４０１については、図９の実施形態における９０２の説明を参照されたい。繰返しを避けるために、本明細書において詳細が再び説明されることはない。
【０３５９】
第１のメッセージ（ブロードキャストメッセージ）は、第２のＵＥと基地局の間のチャネルの品質情報、第２のＵＥの現在の中継サービス状態、第２のＵＥが現在とどまっているセルのＩＤ、または第２のＵＥが現在とどまっているセルの基地局のＩＤのうちの少なくとも１つをさらに含むことがある。
【０３６０】
第１のメッセージ（ブロードキャストメッセージ）は、第２のＵＥが基地局の受信可能範囲の内部に配置されていること、第２のＵＥが基地局へのＲＲＣ接続を確立したこと、第２のＵＥによって基地局に対して確立されたＲＲＣ接続の信号品質が事前設定の信号品質閾値よりも高いこと、第２のＵＥの残存バッテリー電力量が事前設定の電力量閾値よりも大きいこと、第２のＵＥの伝送電力が事前設定の伝送電力閾値未満であること、または、第２のＵＥが、基地局から、ブロードキャストメッセージを送信するように第２のＵＥに命令する情報を受信することのうちの少なくとも１つをさらに含む。
【０３６１】
この方法は、１４０２の前に（１４０１の前または後に）、第１のＵＥによって、支援中継サービスを開始することを判定するステップをさらに含むことがあることが理解されることがある。
【０３６２】
具体的には、第１のＵＥは、基地局とデータ伝送を直接遂行することができないとき、支援中継サービスを開始することを判定する。
【０３６３】
第１のＵＥが基地局とデータ伝送を直接遂行することができないことは、
第１のＵＥが基地局の受信可能範囲の内部に配置されていないこと、または
第１のＵＥと基地局の間の信号品質が事前設定の信号品質閾値よりも低いこと、または
第１のＵＥの電力量が事前設定の電力量閾値未満であること、または
第１のＵＥが基地局へのＲＲＣ接続を確立することができないこと
を含むことがある。
【０３６４】
第１のＵＥが基地局へのＲＲＣ接続を確立することができないことは、セルに対するアクセスが禁止されており、もしくはセルのサービスが制限されており、それゆえに第１のＵＥはＲＲＣ接続を正常に確立することができないこと、または、第１のＵＥにおいてＲＬＦが生じてＲＲＣ再確立が完成されることが可能でなく、それゆえに第１のＵＥはＲＲＣ接続を正常に確立することができないことを含むことがある。
【０３６５】
本発明のこの実施形態では、第１のＵＥは、支援中継サービスを開始することを判定するとき、いかなるセルにもとどまらないことがあることが理解され得る。代替として、第１のＵＥはセルにとどまるが、第１のＵＥに応対する基地局は前の基地局ではない。代替として、第１のＵＥに応対する基地局は前の基地局であるが、第１のＵＥと基地局の間の信号品質が著しく低いかまたは第１のＵＥの電力量が著しく小さい。
【０３６６】
具体的には、支援中継サービスを開始する処理については、図９の実施形態における９０３の説明を参照されたい。繰返しを避けるために、本明細書において詳細が再び説明されることはない。
【０３６７】
任意選択で、別の実施形態では、
この方法は、１４０１の後に、第１のＵＥによって中継要求メッセージを送信するステップと、第２のＵＥによって送信された中継応答メッセージを第１のＵＥによって受信するステップとをさらに含むことがある。この場合、１４０１における第１のメッセージはブロードキャストメッセージであることがある。すなわち、第１のメッセージは、第２のＵＥによってＤ２Ｄブロードキャストのやり方で送信される。
【０３６８】
本明細書では、第１のＵＥによって中継要求メッセージを送信するステップについては、図１０の実施形態における９０３１の説明を参照されたい。第２のＵＥによって送信された中継応答メッセージを第１のＵＥによって受信するステップについては、図１０の実施形態における９０３２の説明を参照されたい。１４０１については、図９の実施形態における９０２の説明を参照されたい。繰返しを避けるために、本明細書において詳細が再び説明されることはない。
【０３６９】
第１のメッセージ（ブロードキャストメッセージ）は、第２のＵＥと基地局の間のチャネルの品質情報、第２のＵＥの現在の中継サービス状態、第２のＵＥが現在とどまっているセルのＩＤ、または第２のＵＥが現在とどまっているセルの基地局のＩＤのうちの少なくとも１つをさらに含むことがある。
【０３７０】
第１のメッセージ（ブロードキャストメッセージ）は、第２のＵＥが基地局の受信可能範囲の内部に配置されていること、第２のＵＥが基地局へのＲＲＣ接続を確立したこと、第２のＵＥによって基地局に対して確立されたＲＲＣ接続の信号品質が事前設定の信号品質閾値よりも高いこと、第２のＵＥの残存バッテリー電力量が事前設定の電力量閾値よりも大きいこと、第２のＵＥの伝送電力が事前設定の伝送電力閾値未満であること、または、第２のＵＥが、基地局から、ブロードキャストメッセージを送信するように第２のＵＥに命令する情報を受信することのうちの少なくとも１つをさらに含む。
【０３７１】
具体的には、第１のＵＥは、第１のＵＥと第２のＵＥの間のＤ２Ｄリンクを使用することにより、エンドツーエンド形式で、第２のＵＥへ中継要求メッセージを送信することがある。
【０３７２】
本明細書では、中継要求メッセージは、第１のＵＥの、支援中継を必要とするデータの出所アドレスおよび宛先アドレスを含むことがある。中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのＩＤ、第１のＵＥ２０が最後にとどまるセルのＩＤ、第１のＵＥ２０が最後にとどまるセルの基地局のＩＤ、またはグループ通信のターゲットＩＤのうちの少なくとも１つをさらに含むことがある。
【０３７３】
任意選択で、この方法は、第１のＵＥによって中継要求メッセージを送信するステップの前に、基地局によって送信されたＤ２Ｄ中継構成情報を第１のＵＥによって受信するステップをさらに含むことがある。Ｄ２Ｄ中継構成情報は、基地局によって、ブロードキャストのやり方で、または専用シグナリングを使用することにより、送信される。
【０３７４】
たとえば、専用シグナリングは無線リソース制御（Ｒａｄｉｏ  Ｒｅｓｏｕｒｃｅ  Ｃｏｎｔｒｏｌ、ＲＲＣ）シグナリングであることがある。
【０３７５】
Ｄ２Ｄ中継構成情報は、支援中継サービスを開始するために第１のＵＥによって必要とされるパラメータを含む。
【０３７６】
本発明のこの実施形態では、Ｄ２Ｄ  ＵＥ中継構成に関連づけられたパラメータは、中継ＵＥによって使用される専用のＤ２Ｄ中継伝送リソース、遠隔ＵＥによるＤ２Ｄ中継を開始するための条件に関連づけられたパラメータ、中継ＵＥによって分担されるＤ２Ｄ中継タスクに関連づけられたパラメータ、または同種のものを含むことがある。
【０３７７】
たとえば、Ｄ２Ｄ中継構成情報は、セルラー伝送の信号品質限界（本明細書では第１の閾値と称されることがある）、または遠隔ＵＥが中継要求メッセージを送信する再伝送の回数（本明細書では第２の閾値と称されることがある）、または中継ＵＥによって中継を遂行するための残りの電力量の限界（本明細書では第３の閾値と称されることがある）を含むことがある。
【０３７８】
具体的には、第１のＵＥによる、基地局によって送信されるＤ２Ｄ中継構成情報を受信する処理については、図１０の実施形態における９０１の説明を参照されたい。繰返しを避けるために、本明細書において詳細が再び説明されることはない。
【０３７９】
この方法は、１４０２の前に（１４０１の前または後に）、第１のＵＥによって、支援中継サービスを開始することを判定するステップをさらに含むことがあることが理解されることがある。
【０３８０】
具体的には、第１のＵＥは、基地局とデータ伝送を直接遂行することができないとき、支援中継サービスを開始することを第１のＵＥによって判定すること。詳細な説明については９０３を参照されたい。本明細書において詳細が再び説明されることはない。
【０３８１】
任意選択で、第１のＵＥが、第２のＵＥを含む複数のＵＥによって送信された中継応答メッセージを受信する場合。この場合、この方法は、第１のＵＥが中継応答メッセージを受信した後、複数のＵＥの中の第２のＵＥを中継ＵＥとして判定するステップをさらに含むことがある。
【０３８２】
具体的には、複数のＵＥの中の第２のＵＥを中継ＵＥとして判定する処理については、図１０の実施形態における９０３３の説明を参照されたい。繰返しを避けるために、本明細書において詳細が再び説明されることはない。
【０３８３】
任意選択で、別の実施形態では、
この方法は、１４０１の前に、第１のＵＥによって中継要求メッセージを送信するステップを含むことがある。この場合、したがって、１４０１における第１のメッセージは中継要求メッセージの応答メッセージである。すなわち、第１のメッセージは中継応答メッセージである。
【０３８４】
具体的には、第１のＵＥによって中継要求メッセージを送信する処理については、図３の実施形態における３０３の説明を参照されたい。１４０１については、図３の実施形態における３０５の説明を参照されたい。繰返しを避けるために、本明細書において詳細が再び説明されることはない。
【０３８５】
第１のメッセージ（中継応答メッセージ）は、第２のＵＥによってＤ２Ｄブロードキャストのやり方で送信される。第２のＵＥ３１によって送信される第１のメッセージ（中継応答メッセージ）は、第２のＵＥと基地局の間のチャネルの品質情報、第２のＵＥと第１のＵＥの間のＤ２Ｄチャネルの品質情報、第２のＵＥの現在の中継サービス状態、第１のＵＥと第２のＵＥの間にＤ２Ｄ接続を確立するためのパラメータ、第２のＵＥが現在とどまっているセルのアイデンティティＩＤ、または第２のＵＥが現在とどまっているセルの基地局のＩＤのうちの少なくとも１つを含むことがある。
【０３８６】
任意選択で、この方法は、第１のＵＥによって中継要求メッセージを送信するステップの前に、基地局によって送信されたＤ２Ｄ中継構成情報を第１のＵＥによって受信するステップをさらに含むことがある。Ｄ２Ｄ中継構成情報は、基地局によって、ブロードキャストのやり方で、または専用シグナリングを使用することにより、送信される。
【０３８７】
具体的には、第１のＵＥによる、基地局によって送信されるＤ２Ｄ中継構成情報を受信する処理については、図３の実施形態における３０１の説明を参照されたい。繰返しを避けるために、本明細書において詳細が再び説明されることはない。
【０３８８】
任意選択で、本発明のこの実施形態では、この方法は、第１のＵＥによって中継要求メッセージを送信するステップの前に、第１のＵＥが基地局とデータ伝送を直接遂行することができないとき、支援中継サービスを開始することを第１のＵＥによって判定するステップをさらに含むことがある。
【０３８９】
第１のＵＥが基地局とデータ伝送を直接遂行することができないことは、
第１のＵＥが基地局の受信可能範囲の内部に配置されていないこと、または
第１のＵＥと基地局の間の信号品質が事前設定の信号品質閾値よりも低いこと、または
第１のＵＥの電力量が事前設定の電力量閾値未満であること、または
第１のＵＥが基地局へのＲＲＣ接続を確立することができないこと
を含むことがある。
【０３９０】
第１のＵＥが基地局へのＲＲＣ接続を確立することができないことは、セルに対するアクセスが禁止されており、もしくはセルのサービスが制限されており、それゆえに第１のＵＥはＲＲＣ接続を正常に確立することができないこと、または、第１のＵＥにおいてＲＬＦが生じてＲＲＣ再確立が完成されることが可能でなく、それゆえに第１のＵＥはＲＲＣ接続を正常に確立することができないことを含むことがある。
【０３９１】
本発明のこの実施形態では、第１のＵＥは、支援中継サービスを開始することを判定するとき、いかなるセルにもとどまらないことがあることが理解され得る。代替として、第１のＵＥはセルにとどまるが、第１のＵＥに応対する基地局は前の基地局ではない。代替として、第１のＵＥに応対する基地局は前の基地局であるが、第１のＵＥと基地局の間の信号品質が著しく低いかまたは第１のＵＥの電力量が著しく小さい。
【０３９２】
具体的には、支援中継サービスを開始する処理については、図３の実施形態における３０２の説明を参照されたい。繰返しを避けるために、本明細書において詳細が再び説明されることはない。
【０３９３】
任意選択で、第１のＵＥは、Ｄ２Ｄブロードキャストのやり方で中継要求メッセージを送信することがある。
【０３９４】
代替として、第１のＵＥは、中継要求メッセージを送信するのに最大の伝送電力を使用することがある。
【０３９５】
第１のＵＥ２０は、あらかじめ構成されたＤ２Ｄ送信リソースプールを使用することによって中継要求メッセージを送信することがある。
【０３９６】
この場合、本発明のこの実施形態では、中継要求メッセージは、第１のＵＥの、支援中継を必要とするデータの出所アドレスおよび宛先アドレスを含むことがある。中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのＩＤ、第１のＵＥが最後にとどまるセルのＩＤ、第１のＵＥが最後にとどまるセルの基地局のＩＤ、またはグループ通信のターゲットＩＤのうちの少なくとも１つをさらに含むことがある。
【０３９７】
第１のＵＥが現在とどまっているセルが判定されることが可能な場合、第１のＵＥが最後にとどまるセルは、第１のＵＥが現在とどまっているセルである。第１のＵＥが現在いかなるセルにもとどまっていない場合、第１のＵＥが最後にとどまるセルは、第１のＵＥが現在の瞬間の前に最後にとどまったセルである。
【０３９８】
グループ通信のターゲットＩＤはグループＩＤ（Ｇｒｏｕｐ  ＩＤ）である。
【０３９９】
加えて、中継要求メッセージは、支援中継を必要とするデータのデータ方向をさらに含むことがあり、データ方向はアップリンクおよび／またはダウンリンクであることがある。
【０４００】
加えて、中継要求メッセージは、支援中継を必要とするサービスタイプをさらに含むことがある。たとえば、サービスタイプは、基地局との通信を直接遂行することがあり、別の基地局を介して基地局との通信を間接的に遂行することがあり、または同種のことを行うことがある。
【０４０１】
本発明のこの実施形態では、任意選択で、第１のＵＥが中継要求メッセージを送信するのと同時にタイマが開始されることがある。タイマによって設定される期間はＴ１であると想定されている。この場合、第１のＵＥ２０は、第１のＵＥが中継要求メッセージを送信した後の期間Ｔ１の間に、中継要求メッセージに対応する中継応答メッセージが受信されなければ、中継要求メッセージを再伝送することがある。本明細書の再伝送の回数は事前設定されることがあり、または基地局によって構成されることがある（すなわち第２の閾値）。本明細書では、Ｔ１はゼロであることがある。
【０４０２】
第１のＵＥが、中継要求メッセージを送信する回数が再伝送の回数に到達した後でも中継要求メッセージに対応する中継応答メッセージを受信しない場合、それは、利用可能な中継ＵＥが第１のＵＥの近くにないことを指示することが理解されることがある。
【０４０３】
任意選択で、１４０１は、少なくとも１つのＵＥによって送信された少なくとも１つの中継応答メッセージを第１のＵＥによって受信するステップであって、少なくとも１つの中継応答メッセージが少なくとも１つのＵＥと一対一で対応し、少なくとも１つのＵＥが第２のＵＥを含むステップを含むことがある。この場合、この方法は、１４０１の後、１４０２の前に、第１のＵＥによって、少なくとも１つのＵＥの中の第２のＵＥを中継ＵＥとして使用するステップをさらに含むことがある。
【０４０４】
具体的には、第１のＵＥは、所定の基準に基づき、第１のメッセージ（中継応答メッセージ）に従って、少なくとも１つのＵＥから第２のＵＥを選択し、第２のＵＥを中継ＵＥとして使用することがある。
【０４０５】
所定の基準は、中継応答メッセージのフィードバックが最も高速であること、および／または中継応答メッセージの遅延が最も小さいことを含むことがある。
【０４０６】
代替として、所定の基準は、１つのＵＥと第１のＵＥ２０の間のＤ２Ｄチャネル品質が最適であること、１つのＵＥと基地局１０のＵｕインターフェースの間のＤ２Ｄチャネル品質が最適であること、または１つのＵＥによって現在提供されている中継サービスの量が最も小さいこと、のうちの少なくとも１つを含むことがある。
【０４０７】
第１のＵＥは、情報の別の部分に従って中継ＵＥを選択することがあることを理解されたい。たとえば、第１のＵＥは、提供されることが可能なサービスのタイプ、現在の中継サービス状態（別の遠隔ＵＥが応対されているかどうか、現在応対されている遠隔ＵＥの量、現在提供されているサービスのタイプまたは優先度など）、１つのＵＥがとどまっているセルのＩＤ、１つのＵＥが接続されている基地局のＩＤ、または同種のもの、といった情報のうちの少なくとも１つに従って選択を遂行することがある。
【０４０８】
たとえば、第１のＵＥは、基地局との直接通信を遂行することができないＵＥを、中継ＵＥとして使用することがある。基地局との直接通信を遂行することができないＵＥが存在しなければ、第１のＵＥは、別の基地局を介して基地局との通信を遂行するＵＥを中継ＵＥとして使用することがある。第１のＵＥは、基地局との直接通信を遂行することができないＵＥを後に検知したときには、中継ＵＥを、基地局との直接通信を遂行することができないＵＥに変更することがある。
【０４０９】
たとえば、第２のＵＥと第１のＵＥの間のＤ２Ｄチャネル品質が最適であり、第２のＵＥと基地局の間のセルラーチャネル品質が最適であって、第２のＵＥに接続された基地局のＩＤが、第１のＵＥの、中継を必要とするデータの宛先アドレスと同一であれば、第１のＵＥは第２のＵＥを中継ＵＥとして使用することがある。
【０４１０】
任意選択で、第１のＵＥによって送信された中継要求メッセージが優先的に選択された中継ＵＥのＩＤを含み、１４０１において、第１のＵＥが、このＩＤに対応するＵＥによって送信された第１のメッセージ（中継応答メッセージ）を受信した場合には、第１のＵＥはこのＵＥを中継ＵＥとして直接使用することがある。
【０４１１】
具体的には、第１のＵＥによって第２のＵＥを中継ＵＥとして判定する処理については、図３の実施形態における３０６の説明を参照されたい。繰返しを避けるために、本明細書において詳細が再び説明されることはない。
【０４１２】
任意選択で、別の実施形態では、
第１のＵＥに応対する基地局が前の基地局であれば、この方法は、１４０１の前に、第１のＵＥによって基地局へ中継要求メッセージを送信し、それにより、基地局が第２のＵＥへ中継要求メッセージを転送するステップを含むことがある。この場合、したがって、１４０１における第１のメッセージは中継要求メッセージの応答メッセージである。すなわち、第１のメッセージは中継応答メッセージである。
【０４１３】
中継要求メッセージは、中継要求理由、優先的に保証されることを要求されたサービスのＩＤ、または第１のＵＥの位置情報およびバッファ状態情報といった情報のうちの少なくとも１つを含む。
【０４１４】
中継要求メッセージの形式は、アプリケーションレイヤシグナリング、ＮＡＳシグナリング、ＲＲＣシグナリング、ＭＡＣレイヤのＣＥ、またはＰＨＹレイヤシグナリングのうちのいずれか１つである。
【０４１５】
具体的には、第１のＵＥが基地局へ中継要求メッセージを送信することがあることについては、図１１または図１２に示された実施形態における１１０３の説明を参照されたい。１４０１については、図１１または図１２に示された実施形態における１１０６の説明を参照されたい。繰返しを避けるために、本明細書において詳細が再び説明されることはない。
【０４１６】
任意選択で、第１のＵＥが基地局へ中継要求メッセージを送信するのと同時にタイマが開始されることがある。タイマに関する前の説明を参照されたい。本明細書において詳細が再び説明されることはない。
【０４１７】
任意選択で、この方法は、第１のＵＥが基地局へ中継要求メッセージを送信する前に、中継サービスを開始することを判定するステップをさらに含むことがある。図１１または図１２に示された実施形態における１１０２の説明を参照されたい。
【０４１８】
この方法は、１４０１の後、１４０２の前に、第２のＵＥを中継ＵＥとして判定する処理をさらに含むことがある。図１２に示された実施形態における１１０６１の説明を参照されたい。本明細書において詳細が再び説明されることはない。
【０４１９】
本発明のこの実施形態では、１４０２は、第１のＵＥによってＤ２Ｄ通信のやり方で第２のＵＥへアップリンクデータを送信し、それにより、第２のＵＥが基地局へアップリンクデータを転送するステップ、および／または第１のＵＥによってＤ２Ｄ通信のやり方で第２のＵＥからダウンリンクデータを受信するステップであって、ダウンリンクデータは第２のＵＥによって基地局から受信されるステップを含むことがある。
【０４２０】
第１のＵＥは、あらかじめ構成されたＤ２Ｄリソースプールを使用することにより、第２のＵＥへアップリンクデータを送信することがある。
【０４２１】
代替として、中継応答メッセージがＤ２Ｄリソースプールを含んでいる場合、第１のＵＥは、Ｄ２Ｄリソースプールを使用することにより、第２のＵＥへアップリンクデータを送信することがある。Ｄ２Ｄリソースプールは、基地局により、ブロードキャストのやり方で、もしくは専用シグナリングを使用することにより、第２のＵＥに分配されたＤ２Ｄリソースプール、または第２のＵＥによって選択されたＤ２Ｄリソースプールである。
【０４２２】
第１のＵＥは、Ｄ２Ｄリソースプールを使用することにより、第２のＵＥからダウンリンクデータを受信することがある。
【０４２３】
本発明のこの実施形態では、１４０２については、図３の実施形態における３０９の説明、図９または図１０の実施形態における９０４の説明、および図１１または図１２の実施形態における１１０７の説明を参照されたい。繰返しを避けるために、本明細書において詳細が再び説明されることはない。
【０４２４】
任意選択で、実施形態において、この方法は、図１４に示された方法の後に、第１のＵＥによって第２のＵＥへ中継解放要求メッセージを送信するステップと、第１のＵＥによって、第２のＵＥに対するＤ２Ｄ接続を解放するステップとをさらに含むことがある。
【０４２５】
任意選択で、別の実施形態では、この方法は、図１４に示された方法の後に、第１のＵＥによって第２のＵＥへ中継解放要求メッセージを送信するステップと、第２のＵＥによって送信された中継解放応答メッセージを第１のＵＥによって受信するステップと、第１のＵＥによって、第２のＵＥに対するＤ２Ｄ接続を解放するステップとをさらに含むことがある。
【０４２６】
任意選択で、別の実施形態では、この方法は、図１４に示された方法の後に、第２のＵＥによって送信された中継解放要求メッセージを第１のＵＥによって受信するステップと、第１のＵＥにより、中継解放要求メッセージに従って、第２のＵＥに対するＤ２Ｄ接続を解放するステップとをさらに含むことがある。
【０４２７】
任意選択で、別の実施形態では、この方法は、図１４に示された方法の後に、第２のＵＥによって送信された中継解放要求メッセージを第１のＵＥによって受信するステップと、第１のＵＥによって第２のＵＥへ中継解放応答メッセージを送信するステップと、第１のＵＥにより、中継解放要求メッセージに従って、第２のＵＥに対するＤ２Ｄ接続を解放するステップとをさらに含むことがある。
【０４２８】
任意選択で、別の実施形態では、この方法は、図１４に示された方法の後に、第１のＵＥによって基地局へ中継解放要求メッセージを送信するステップと、第１のＵＥによって、第２のＵＥに対するＤ２Ｄ接続を解放するステップとをさらに含むことがある。
【０４２９】
任意選択で、別の実施形態では、この方法は、図１４に示された方法の後に、第１のＵＥによって基地局へ中継解放要求メッセージを送信するステップと、基地局によって送信された中継解放応答メッセージを第１のＵＥによって受信するステップと、第１のＵＥによって、第２のＵＥに対するＤ２Ｄ接続を解放するステップとをさらに含むことがある。
【０４３０】
任意選択で、別の実施形態では、この方法は、図１４に示された方法の後に、基地局によって送信された中継解放要求メッセージを第１のＵＥによって受信するステップと、第１のＵＥにより、中継解放要求メッセージに従って、第２のＵＥに対するＤ２Ｄ接続を解放するステップとをさらに含むことがある。
【０４３１】
任意選択で、別の実施形態では、この方法は、図１４に示された方法の後に、基地局によって送信された中継解放要求メッセージを第１のＵＥによって受信するステップと、第１のＵＥによって基地局へ中継解放応答メッセージを送信するステップと、第１のＵＥにより、中継解放要求メッセージに従って、第２のＵＥに対するＤ２Ｄ接続を解放するステップとをさらに含むことがある。
【０４３２】
具体的には、図１４に示された方法の後に実行される解放の処理では、図４から図８の実施形態における、第１のＵＥによって実行される解放処理を参照されたい。繰返しを避けるために、本明細書において詳細が再び説明されることはない。
【０４３３】
このようにして、本発明のこの実施形態では、第１のＵＥは、中継伝送のためのＤ２Ｄ接続を時間内に解放し、それによりリソース使用率が保証されることが可能となる。たとえば、第２のＵＥが別の遠隔ＵＥに対して中継サービスを時間内に提供することが保証されることが可能である。
【０４３４】
図１５は本発明の別の実施形態によるデータ伝送方法のフローチャートである。図１５に示される方法は第２のＵＥによって遂行され、以下のことを含む。
【０４３５】
１５０１：第２のＵＥは、第１のＵＥまたは基地局によって送信された中継要求メッセージを受信し、中継要求メッセージは、第１のＵＥが支援中継サービスを必要とすることを指示する。
【０４３６】
１５０２：第２のＵＥは、中継要求メッセージに従って、第２のＵＥが第１のＵＥに対する中継ＵＥとして作動することができると判定する。
【０４３７】
１５０３：第２のＵＥは、第１のＵＥが基地局とデータ伝送を遂行するのを支援する中継ＵＥとして作動する。
【０４３８】
本発明のこの実施形態では、第２のＵＥは、中継要求メッセージに従って、第１のＵＥのために中継サービスが提供されることが可能であると判定した後。さらに、第２のＵＥは、第１のＵＥが基地局とデータ伝送を遂行するのを支援するための中継ＵＥとして作動し、それにより、データ伝送効率が保証されることが可能となる。
【０４３９】
任意選択で、この方法は、１５０１の前に、基地局によって送信されたデバイスツーデバイスＤ２Ｄ中継構成情報を第２のＵＥによって受信するステップをさらに含むことがある。Ｄ２Ｄ中継構成情報は、基地局によって、ブロードキャストのやり方で、または専用シグナリングを使用することにより、送信される。
【０４４０】
たとえば、専用シグナリングは無線リソース制御（Ｒａｄｉｏ  Ｒｅｓｏｕｒｃｅ  Ｃｏｎｔｒｏｌ、ＲＲＣ）シグナリングであることがある。
【０４４１】
Ｄ２Ｄ中継構成情報は、支援中継サービスを開始するのに必要とされるパラメータを含む。
【０４４２】
本発明のこの実施形態では、Ｄ２Ｄ  ＵＥ中継構成に関連づけられたパラメータは、中継ＵＥによって使用される専用のＤ２Ｄ中継伝送リソース、遠隔ＵＥによるＤ２Ｄ中継を開始するための条件に関連づけられたパラメータ、中継ＵＥによって分担されるＤ２Ｄ中継タスクに関連づけられたパラメータ、または同種のものを含むことがある。
【０４４３】
たとえば、Ｄ２Ｄ中継構成情報は、セルラー伝送の信号品質限界（本明細書では第１の閾値と称されることがある）、または遠隔ＵＥが中継要求メッセージを送信する再伝送の回数（本明細書では第２の閾値と称されることがある）、または中継ＵＥによって中継を遂行するための残りの電力量の限界（本明細書では第３の閾値と称されることがある）を含むことがある。
【０４４４】
任意選択で、実施形態において、
中継要求メッセージは、第１のＵＥにより、Ｄ２Ｄリンクを使用することによって送信され、中継要求メッセージは支援中継を必要とするデータを含み、支援中継を必要とするデータの宛先アドレスは基地局である。
【０４４５】
支援中継を必要とするデータは、第１のＵＥが基地局へ送信する必要があるアップリンクデータと理解されることがある。この場合、したがって、１５０３において、第２のＵＥは支援中継を必要とするデータを基地局へ送信する。
【０４４６】
任意選択で、中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、第１のＵＥが最後にとどまるセルの基地局のＩＤ、中継データの宛先セルＩＤ、またはグループ通信のターゲットＩＤのうちの少なくとも１つをさらに含むことがある。
【０４４７】
１５０２において、第２のＵＥは、中継要求メッセージ、Ｄ２Ｄ中継構成情報、第２のＵＥに関するいくつかの情報、および同種のものに従って、第２のＵＥが中継サービスを提供することができるかどうかを判定することがあることが理解されることがある。
【０４４８】
任意選択で、１５０２において、第２のＵＥが第１のＵＥに対する中継ＵＥとして作動することができると判定するステップの間に使用される基準は、
第２のＵＥのネットワーク状態、第２のＵＥと基地局の間のチャネル品質、第２のＵＥの電力消費、第２のＵＥの残存電力量、第２のＵＥのバッファ領域、第２のＵＥと第１のＵＥの間のデバイスツーデバイスＤ２Ｄチャネル品質、または第２のＵＥと第１のＵＥの間の相対距離
のうちの少なくとも１つを含む。
【０４４９】
具体的には、１５０１については、図１３の実施形態における１３０３の説明を参照されたい。１５０２については、図１３の実施形態における１３０４の説明を参照されたい。１５０３については、図１３の実施形態における１３０５の説明を参照されたい。繰返しを避けるために、本明細書において詳細が再び説明されることはない。
【０４５０】
任意選択で、別の実施形態では、
１５０１は、基地局によって送信された中継要求メッセージを第２のＵＥによって受信するステップであって、中継要求メッセージが第１のＵＥのＩＤを含むステップを含むことがある。
【０４５１】
すなわち、中継要求メッセージは、基地局により、下方へのセルラーリンクを使用することによって送信される。中継要求メッセージは、要求理由、優先的に保証されることを要求されたサービスのＩＤ、または第１のＵＥの位置情報およびバッファ状態情報のうちの少なくとも１つをさらに含む。
【０４５２】
任意選択で、この方法は、１５０２の後に、第２のＵＥによって第１のＵＥへ中継応答メッセージを送信するステップをさらに含むことがある。
【０４５３】
中継応答メッセージは、第２のＵＥと基地局の間のチャネルの品質情報、第２のＵＥと第１のＵＥの間のデバイスツーデバイスＤ２Ｄチャネルの品質情報、第２のＵＥの現在の中継サービス状態、第２のＵＥが現在とどまっているセルのアイデンティティＩＤ、または第２のＵＥが現在とどまっているセルの基地局のＩＤのうちの少なくとも１つを含むことがある。
【０４５４】
任意選択で、中継応答メッセージはＤ２Ｄリソースプールをさらに含むことがある。Ｄ２Ｄリソースプールは、基地局により、ブロードキャストのやり方で、もしくは専用シグナリングを使用することにより、第２のＵＥに分配されたＤ２Ｄリソースプール、または第２のＵＥによって選択されたＤ２Ｄリソースプールである。
【０４５５】
任意選択で、この方法は、１５０３の前に、第２のＵＥによって中継準備を遂行するステップをさらに含むことがある。
【０４５６】
中継準備は、第２のＵＥがアイドル状態にある場合、第２のＵＥによって無線リソース制御ＲＲＣ接続を確立するステップ、第２のＵＥが、接続された状態にあるものの、アップリンクにおいて現在同期ずれである場合、第２のＵＥによってランダムアクセスチャネルＲＡＣＨ処理を実行してアップリンクの同期を保つステップ、または、第２のＵＥが接続された状態にあり、基地局に対して正常に接続されているものの、アップリンク伝送リソースを有しない場合、第２のＵＥによって基地局からアップリンク伝送リソースを要求するステップを含む。
【０４５７】
第２のＵＥによって基地局からアップリンク伝送リソースを要求するステップは、第２のＵＥによって基地局へ中継送信リソース要求メッセージを送信するステップと、基地局によって送信された中継送信リソーススケジューリング情報を第２のＵＥによって受信するステップとを含む。
【０４５８】
中継送信リソース要求メッセージは、中継を必要とする第１のＵＥのデータの識別情報、中継を必要とする第１のＵＥのデータのデータ量の大きさ、中継を必要とする第１のＵＥのデータの出所アドレスおよび／もしくは宛先アドレス、中継を必要とする第１のＵＥのデータのサービス品質ＱｏＳクラス、または第１のＵＥの信号品質情報のうちの少なくとも１つを含むことがある。
【０４５９】
したがって、１５０３は、
第１のＵＥによって送信されたアップリンクデータをデバイスツーデバイスＤ２Ｄ通信のやり方で第２のＵＥによって受信して、アップリンクデータを基地局へ送信するステップ、および／または
基地局によって送信されたダウンリンクデータを第２のＵＥによって受信して、ダウンリンクデータをデバイスツーデバイスＤ２Ｄ通信のやり方で第１のＵＥへ送信するステップ
を含むことがある。
【０４６０】
具体的には、第２のＵＥによって第１のＵＥへ中継応答メッセージを送信するステップについては、図１１または図１２の実施形態における１１０６の説明を参照されたい。１５０１については、図１１の実施形態における１１０４の説明または図１２の実施形態における１１０４１の説明を参照されたい。１５０２については、図１１または図１２の実施形態における１１０５の説明を参照されたい。１５０３については、図１３の実施形態における１１０７の説明を参照されたい。繰返しを避けるために、本明細書において詳細が再び説明されることはない。
【０４６１】
任意選択で、実施形態において、この方法は、図１５に示された方法の後に、第１のＵＥによって送信された中継解放要求メッセージを第２のＵＥによって受信するステップと、第２のＵＥにより、中継解放要求メッセージに従って、第１のＵＥに対するＤ２Ｄ接続を解放するステップとをさらに含むことがある。
【０４６２】
任意選択で、別の実施形態では、この方法は、図１５に示された方法の後に、第１のＵＥによって送信された中継解放要求メッセージを第２のＵＥによって受信するステップと、第２のＵＥによって第１のＵＥへ中継解放応答メッセージを送信するステップと、第２のＵＥにより、中継解放要求メッセージに従って、第１のＵＥに対するＤ２Ｄ接続を解放するステップとをさらに含むことがある。
【０４６３】
任意選択で、別の実施形態では、この方法は、図１５に示された方法の後に、第２のＵＥによって第１のＵＥへ中継解放要求メッセージを送信するステップと、第２のＵＥによって第１のＵＥに対するＤ２Ｄ接続を解放するステップとをさらに含むことがある。
【０４６４】
任意選択で、別の実施形態では、この方法は、図１５に示された方法の後に、第２のＵＥによって第１のＵＥへ中継解放要求メッセージを送信するステップと、第１のＵＥによって送信された中継解放応答メッセージを第２のＵＥによって受信するステップと、第２のＵＥによって第１のＵＥに対するＤ２Ｄ接続を解放するステップとをさらに含むことがある。
【０４６５】
任意選択で、別の実施形態では、この方法は、図１５に示された方法の後に、基地局によって送信された中継解放要求メッセージを第２のＵＥによって受信するステップと、第２のＵＥにより、中継解放要求メッセージに従って、第１のＵＥに対するＤ２Ｄ接続を解放するステップとをさらに含むことがある。
【０４６６】
任意選択で、別の実施形態では、この方法は、図１５に示された方法の後に、基地局によって送信された中継解放要求メッセージを第２のＵＥによって受信するステップと、第２のＵＥによって基地局へ中継解放応答メッセージを送信するステップと、第２のＵＥにより、中継解放要求メッセージに従って、第１のＵＥに対するＤ２Ｄ接続を解放するステップとをさらに含むことがある。
【０４６７】
具体的には、図１５に示された方法の後に実行される解放の処理では、図４から図８の実施形態における、第２のＵＥによって実行される解放処理を参照されたい。繰返しを避けるために、本明細書において詳細が再び説明されることはない。
【０４６８】
このようにして、本発明のこの実施形態では、第２のＵＥは、中継伝送のためのＤ２Ｄ接続を時間内に解放し、それによりリソース使用率が保証されることが可能となる。たとえば、別の遠隔ＵＥに対して中継サービスが時間内に提供されることが保証されることが可能となる。
【０４６９】
任意選択で、別の実施形態では、
１５０１は、第１のＵＥによって送信された中継要求メッセージを第２のＵＥによって受信するステップを含むことがある。すなわち、中継要求メッセージは、第１のＵＥにより、Ｄ２Ｄリンクを使用することによって送信される。
【０４７０】
中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、第１のＵＥが最後にとどまるセルの基地局のＩＤ、またはグループ通信のターゲットＩＤのうちの少なくとも１つをさらに含む。
【０４７１】
任意選択で、中継要求メッセージは、第１のＵＥによってＤ２Ｄブロードキャストのやり方で送信されることがある。
【０４７２】
任意選択で、この方法は、１５０２の後に、第２のＵＥによって第１のＵＥへ中継応答メッセージを送信するステップをさらに含むことがある。
【０４７３】
中継応答メッセージは、第２のＵＥと基地局の間のチャネルの品質情報、第２のＵＥと第１のＵＥの間のデバイスツーデバイスＤ２Ｄチャネルの品質情報、第２のＵＥの現在の中継サービス状態、第２のＵＥが現在とどまっているセルのアイデンティティＩＤ、または第２のＵＥが現在とどまっているセルの基地局のＩＤのうちの少なくとも１つを含むことがある。
【０４７４】
任意選択で、中継応答メッセージはＤ２Ｄリソースプールをさらに含むことがある。Ｄ２Ｄリソースプールは、基地局により、ブロードキャストのやり方で、もしくは専用シグナリングを使用することにより、第２のＵＥに分配されたＤ２Ｄリソースプール、または第２のＵＥによって選択されたＤ２Ｄリソースプールである。
【０４７５】
任意選択で、この方法は、１５０３の前に、第２のＵＥによって中継準備を遂行するステップをさらに含むことがある。
【０４７６】
中継準備は、第２のＵＥがアイドル状態にある場合、第２のＵＥによって無線リソース制御ＲＲＣ接続を確立するステップ、第２のＵＥが、接続された状態にあるものの、アップリンクにおいて現在同期ずれである場合、第２のＵＥによってランダムアクセスチャネルＲＡＣＨ処理を実行してアップリンクの同期を保つステップ、または、第２のＵＥが接続された状態にあり、基地局に対して正常に接続されているものの、アップリンク伝送リソースを有しない場合、第２のＵＥによって基地局からアップリンク伝送リソースを要求するステップを含む。
【０４７７】
第２のＵＥによって基地局からアップリンク伝送リソースを要求するステップは、第２のＵＥによって基地局へ中継送信リソース要求メッセージを送信するステップと、基地局によって送信された中継送信リソーススケジューリング情報を第２のＵＥによって受信するステップとを含む。
【０４７８】
中継送信リソース要求メッセージは、中継を必要とする第１のＵＥのデータの識別情報、中継を必要とする第１のＵＥのデータのデータ量の大きさ、中継を必要とする第１のＵＥのデータの出所アドレスおよび／もしくは宛先アドレス、中継を必要とする第１のＵＥのデータのサービス品質ＱｏＳクラス、または第１のＵＥの信号品質情報のうちの少なくとも１つを含むことがある。
【０４７９】
したがって、１５０３は、
第１のＵＥによって送信されたアップリンクデータをデバイスツーデバイスＤ２Ｄ通信のやり方で第２のＵＥによって受信して、アップリンクデータを基地局へ送信するステップ、および／または
基地局によって送信されたダウンリンクデータを第２のＵＥによって受信して、ダウンリンクデータをデバイスツーデバイスＤ２Ｄ通信のやり方で第１のＵＥへ送信するステップ
を含むことがある。
【０４８０】
具体的には、１５０１については、図３の実施形態における３０３の説明を参照されたい。１５０２については、図３の実施形態における３０４の説明を参照されたい。第２のＵＥによって第１のＵＥへ中継応答メッセージを送信するステップについては、図３の実施形態における３０５の説明を参照されたい。第２のＵＥによって中継準備を遂行するステップについては、図３の実施形態における３０８の説明を参照されたい。１５０３については、図３の実施形態における３０９の説明を参照されたい。繰返しを避けるために、本明細書において詳細が再び説明されることはない。
【０４８１】
任意選択で、この方法は、図１５に示された方法の後に、第２のＵＥによって、第１のＵＥに対するＤ２Ｄ接続を解放するステップをさらに含むことがある。具体的には、図１５に示された方法の後に実行される解放の処理では、図４から図８の実施形態における、第２のＵＥによって実行される解放処理を参照されたい。繰返しを避けるために、本明細書において詳細が再び説明されることはない。
【０４８２】
任意選択で、別の実施形態では、
この方法は、１５０１の前に、基地局によって、ブロードキャストのやり方で、または専用シグナリングを使用することによって送信されたデバイスツーデバイスＤ２Ｄ中継構成情報を第２のＵＥによって受信するステップと、第２のＵＥが、Ｄ２Ｄ中継構成情報に従って、第２のＵＥが中継サービスを提供する能力を有すると判定したとき、第２のＵＥによってＤ２Ｄブロードキャストのやり方でブロードキャストメッセージを送信するステップであって、ブロードキャストメッセージは、第２のＵＥが中継ＵＥとして作動することが可能なことを指示するために使用される指示情報を含むステップとをさらに含むことがある。したがって、１５０１は、第１のＵＥによって送信された中継要求メッセージを第２のＵＥによって受信するステップを含むことがある。すなわち、中継要求メッセージは、第１のＵＥにより、デバイスツーデバイスＤ２Ｄリンクを使用することによって送信される。
【０４８３】
ブロードキャストメッセージは、第２のＵＥと基地局の間のチャネルの品質情報、第２のＵＥの現在の中継サービス状態、第２のＵＥが現在とどまっているセルのＩＤ、または第２のＵＥが現在とどまっているセルの基地局のＩＤのうちの少なくとも１つをさらに含むことがある。
【０４８４】
ブロードキャストメッセージは、第２のＵＥが基地局の受信可能範囲の内部に配置されていること、第２のＵＥが基地局への無線リソース制御ＲＲＣ接続を確立したこと、第２のＵＥによって基地局に対して確立された無線リソース制御ＲＲＣ接続の信号品質が事前設定の信号品質閾値よりも高いこと、第２のＵＥの残存バッテリー電力量が事前設定の電力量閾値よりも大きいこと、第２のＵＥの伝送電力が事前設定の伝送電力閾値未満であること、または、第２のＵＥが、基地局から、ブロードキャストメッセージを送信するように第２のＵＥに命令する情報を受信することのうちの少なくとも１つをさらに含むことがある。
【０４８５】
１５０１における中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、第１のＵＥが最後にとどまるセルの基地局のＩＤ、またはグループ通信のターゲットＩＤのうちの少なくとも１つをさらに含む。
【０４８６】
任意選択で、この方法は、１５０２の後に、第２のＵＥによって第１のＵＥへ中継応答メッセージを送信するステップをさらに含むことがある。
【０４８７】
この方法は、１５０３の前に、第２のＵＥによって中継準備を遂行するステップを含むことがあることが理解されることがある。１５０３の後に、第２のＵＥによって、第１のＵＥに対する接続を解放する処理に関する前の説明を参照されたく、本明細書において詳細が再び説明されることはない。
【０４８８】
具体的には、第２のＵＥによってブロードキャストメッセージを送信するステップについては、図１０の実施形態における９０２の説明を参照されたい。１５０１については、図１０の実施形態における９０３１の説明を参照されたい。第２のＵＥによって中継応答メッセージを送信する処理については、図１０の実施形態における９０３２の説明を参照されたい。繰返しを避けるために、本明細書において詳細が再び説明されることはない。
【０４８９】
図１６は本発明の別の実施形態によるデータ伝送方法のフローチャートである。図１６に示される方法は基地局によって遂行され、以下のことを含む。
【０４９０】
１６０１：基地局は、第１のＵＥによって送信された中継要求メッセージを受信する。
【０４９１】
１６０２：基地局は、中継要求メッセージを第２のＵＥへ転送して、第２のＵＥに、中継ＵＥとして作動するように命令する。
【０４９２】
１６０３：基地局は、第２のＵＥを介して第１のＵＥとデータ伝送を遂行する。
【０４９３】
本発明のこの実施形態では、基地局は第２のＵＥを中継ＵＥとして指定し、第２のＵＥは基地局と第１のＵＥの間のデータ伝送を支援することができ、それにより伝送効率が向上される。
【０４９４】
１６０１における中継要求メッセージは、要求理由、優先的に保証されることを要求されたサービスのＩＤ、または第１のＵＥの位置情報およびバッファ状態情報のうちの少なくとも１つをさらに含む。
【０４９５】
中継要求メッセージの形式は、アプリケーションレイヤシグナリング、ＮＡＳシグナリング、ＲＲＣシグナリング、ＭＡＣレイヤのＣＥ、またはＰＨＹレイヤシグナリングのうちのいずれか１つである。
【０４９６】
本発明のこの実施形態では、１６０３は、第２のＵＥによって第１のＵＥから受信されたアップリンクデータを、基地局によって第２のＵＥから受信するステップ、および／または、基地局によって第２のＵＥへダウンリンクデータを送信し、それにより、第２のＵＥが第１のＵＥへダウンリンクデータを転送するステップを含むことがある。
【０４９７】
任意選択で、図１６に示された方法は、基地局によってＤ２Ｄ中継構成情報を送信するステップをさらに含むことがある。具体的には、Ｄ２Ｄ中継構成情報はブロードキャストのやり方で送信されることがある。
【０４９８】
具体的には、基地局によってＤ２Ｄ中継構成情報を送信する処理については、図１１または図１２の実施形態における１１０２の説明を参照されたい。１６０１については、図１１または図１２の実施形態における１１０３の説明を参照されたい。１６０２については、図１１の実施形態における１１０４の説明または図１２の実施形態における１１０４１の説明を参照されたい。繰返しを避けるために、本明細書において詳細が再び説明されることはない。
【０４９９】
任意選択で、実施形態において、この方法は、図１６に示された方法の後に、基地局によって第２のＵＥへ中継解放要求メッセージを送信し、それにより第２のＵＥが第１のＵＥに対するＤ２Ｄ接続を解放するステップをさらに含むことがある。
【０５００】
任意選択で、別の実施形態では、この方法は、図１６に示された方法の後に、基地局によって第２のＵＥへ中継解放要求メッセージを送信するステップと、第２のＵＥによって送信された中継解放応答メッセージを基地局によって受信し、それにより第２のＵＥが第１のＵＥに対するＤ２Ｄ接続を解放するステップとをさらに含むことがある。
【０５０１】
任意選択で、別の実施形態では、この方法は、図１６に示された方法の後に、基地局によって、第１のＵＥおよび第２のＵＥへ中継解放要求メッセージを送信し、それにより、第１のＵＥが第２のＵＥに対するＤ２Ｄ接続を解放し、第２のＵＥが第１のＵＥに対するＤ２Ｄ接続を解放するステップをさらに含むことがある。
【０５０２】
任意選択で、別の実施形態では、この方法は、図１６に示された方法の後に、基地局によって第１のＵＥおよび第２のＵＥへ中継解放要求メッセージを送信するステップと、第１のＵＥおよび第２のＵＥによって送信された中継解放応答メッセージを基地局によって受信するステップとをさらに含むことがある。したがって、第１のＵＥは第２のＵＥに対するＤ２Ｄ接続を解放し、第２のＵＥは第１のＵＥに対するＤ２Ｄ接続を解放する。
【０５０３】
任意選択で、別の実施形態では、この方法は、図１６に示された方法の後に、第２のＵＥによって送信された中継解放要求メッセージを基地局によって受信するステップと、基地局によって第１のＵＥへ中継解放要求メッセージを転送し、それにより第１のＵＥが第２のＵＥに対するＤ２Ｄ接続を解放するステップとをさらに含むことがある。
【０５０４】
任意選択で、別の実施形態では、この方法は、図１６に示された方法の後に、第１のＵＥによって送信された中継解放要求メッセージを基地局によって受信するステップと、基地局によって第２のＵＥへ中継解放要求メッセージを転送し、それにより第２のＵＥが第１のＵＥに対するＤ２Ｄ接続を解放するステップとをさらに含むことがある。
【０５０５】
任意選択で、別の実施形態では、この方法は、図１６に示された方法の後に、第１のＵＥによって送信された中継解放要求メッセージを基地局によって受信するステップと、基地局によって第１のＵＥへ中継解放応答メッセージを送信するステップとをさらに含むことがある。
【０５０６】
具体的には、図１６に示された方法の後に実行される解放の処理では、図４から図８の実施形態における、基地局によって実行される解放処理を参照されたい。繰返しを避けるために、本明細書において詳細が再び説明されることはない。
【０５０７】
図１７は本発明の実施形態によるユーザ機器の構造のブロック図である。図１７に示されるユーザ機器（ＵＥ）１７００は第１のＵＥであり、受信ユニット１７０１および処理ユニット１７０２を含む。
【０５０８】
受信ユニット１７０１は、第２のＵＥによって送信された第１のメッセージを受信するように構成されており、第１のメッセージは、第２のＵＥが中継ＵＥとして作動することが可能なことの指示情報を含む。
【０５０９】
処理ユニット１７０２は、第２のＵＥを介して基地局とデータ伝送を遂行するように構成されており、第２のＵＥは中継ＵＥとして作動する。
【０５１０】
本発明のこの実施形態では、第１のＵＥが基地局とのデータ伝送を直接遂行することができないとき、第１のＵＥは、第２のＵＥによって送信された、第２のＵＥが中継ＵＥとして作動することが可能であるとの指示情報に従って中継ＵＥとして第２のＵＥを使用し、次いで、中継ＵＥを介してデータ伝送を遂行することができなくなる。したがってデータ伝送の成功率が保証されることが可能となり、伝送効率がさらに向上されることが可能となる。
【０５１１】
任意選択で、第１のＵＥ１７００は送信ユニット１７０３をさらに含む。
【０５１２】
任意選択で、実施形態において、送信ユニット１７０３は中継要求メッセージを送信するように構成されており、第１のメッセージは中継応答メッセージである。
【０５１３】
任意選択で、別の実施形態では、受信ユニット１７０１は、基地局によって送信されたデバイスツーデバイスＤ２Ｄ中継構成情報を受信するようにさらに構成されている。Ｄ２Ｄ中継構成情報は、基地局によって、ブロードキャストのやり方で、または専用シグナリングを使用することにより、送信される。
【０５１４】
任意選択で、別の実施形態では、受信ユニット１７０１は、少なくとも１つのＵＥによって送信された少なくとも１つの中継応答メッセージを受信するように特に構成されており、少なくとも１つの中継応答メッセージは少なくとも１つのＵＥと一対一で対応し、少なくとも１つのＵＥは第２のＵＥを含む。処理ユニット１７０２は、少なくとも１つのＵＥの中の第２のＵＥを中継ＵＥとして判定するようにさらに構成されている。
【０５１５】
任意選択で、別の実施形態では、中継応答メッセージは、第２のＵＥと基地局の間のチャネルの品質情報、第２のＵＥと第１のＵＥの間のＤ２Ｄチャネルの品質情報、第２のＵＥの現在の中継サービス状態、第１のＵＥと第２のＵＥの間にＤ２Ｄ接続を確立するためのパラメータ、第２のＵＥが現在とどまっているセルのアイデンティティＩＤ、または第２のＵＥが現在とどまっているセルの基地局のＩＤのうちの少なくとも１つを含む。
【０５１６】
任意選択で、別の実施形態では、処理ユニット１７０２は、所定の基準に基づき、中継応答メッセージに従って、少なくとも１つのＵＥから第２のＵＥを選択し、第２のＵＥを中継ＵＥとして判定するように特に構成されている。
【０５１７】
任意選択で、別の実施形態では、所定の基準は、中継応答メッセージのフィードバックが最も高速であること、および／または中継応答メッセージの遅延が最も小さいことを含むことがある。
【０５１８】
任意選択で、別の実施形態では、送信ユニット１７０３は、基地局へ中継要求メッセージを送信するように特に構成されており、それにより、基地局は第２のＵＥへ中継要求メッセージを転送する。中継要求メッセージは、中継要求理由、優先的に保証されることを要求されたサービスのアイデンティティＩＤ、または第１のＵＥの位置情報およびバッファ状態情報といった情報のうちの少なくとも１つを含む。
【０５１９】
任意選択で、別の実施形態では、送信ユニット１７０３は中継要求メッセージを送信するように構成されており、受信ユニット１７０１は第２のＵＥによって送信された中継応答メッセージを受信するようにさらに構成されている。
【０５２０】
任意選択で、別の実施形態では、第１のメッセージは、第２のＵＥと基地局の間のチャネルの品質情報、第２のＵＥの現在の中継サービス状態、第２のＵＥが現在とどまっているセルのアイデンティティＩＤ、または第２のＵＥが現在とどまっているセルの基地局のＩＤのうちの少なくとも１つをさらに含む。
【０５２１】
任意選択で、別の実施形態では、中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、第１のＵＥが最後にとどまるセルの基地局のＩＤ、またはグループ通信のターゲットＩＤのうちの少なくとも１つをさらに含む。
【０５２２】
任意選択で、別の実施形態では、送信ユニット１７０３は、処理ユニット１７０２のタイマによって設定された期間内に中継応答メッセージが受信されないとき、中継要求メッセージを再伝送するようにさらに構成されている。
【０５２３】
任意選択で、別の実施形態では、第２のＵＥによってＤ２Ｄブロードキャストのやり方で第１のメッセージが送信され、第１のメッセージは、第２のＵＥと基地局の間のチャネルの品質情報、第２のＵＥの現在の中継サービス状態、第２のＵＥが現在とどまっているセルのアイデンティティＩＤ、または第２のＵＥが現在とどまっているセルの基地局のＩＤのうちの少なくとも１つをさらに含む。
【０５２４】
任意選択で、別の実施形態では、第１のメッセージは、
第２のＵＥが基地局の受信可能範囲の内部に配置されていること、
第２のＵＥが基地局への無線リソース制御ＲＲＣ接続を確立したこと、
第２のＵＥによって基地局に対して確立された無線リソース制御ＲＲＣ接続のチャネル品質が事前設定の信号品質閾値よりも高いこと、
第２のＵＥの残存バッテリー電力量が事前設定の電力量閾値よりも大きいこと、
第２のＵＥの伝送電力が事前設定の伝送電力閾値未満であること、または、
第２のＵＥが、基地局から、ブロードキャストメッセージを送信するように第２のＵＥに命令する情報を受信すること
のうちの少なくとも１つをさらに含む。
【０５２５】
任意選択で、別の実施形態では、処理ユニット１７０２は、第１のＵＥが基地局とデータ伝送を直接遂行することができないとき、支援中継サービスを開始することを判定するようにさらに構成されている。
【０５２６】
任意選択で、別の実施形態では、第１のＵＥが基地局とデータ伝送を直接遂行することができないことは、第１のＵＥが基地局のサービス範囲の内部に配置されていないこと、または第１のＵＥと基地局の間の信号品質が事前設定の信号品質閾値よりも低いこと、または第１のＵＥの電力量が事前設定の電力量閾値未満であること、または第１のＵＥが基地局への無線リソース制御ＲＲＣ接続を確立することができないことを含む。
【０５２７】
任意選択で、別の実施形態では、処理ユニット１７０２は、デバイスツーデバイスＤ２Ｄ通信のやり方で第２のＵＥへアップリンクデータを送信するように送信ユニット１７０３を制御し、それにより、第２のＵＥが基地局へアップリンクデータを転送するように特に構成されており、かつ／または
デバイスツーデバイスＤ２Ｄ通信のやり方で第２のＵＥからダウンリンクデータを受信するように受信ユニット１７０１を制御し、ダウンリンクデータが第２のＵＥによって基地局から受信されるように特に構成されている。
【０５２８】
任意選択で、別の実施形態では、送信ユニット１７０３は、あらかじめ構成されたＤ２Ｄリソースプールを使用することにより、第２のＵＥへアップリンクデータを送信するように特に構成されている。
【０５２９】
任意選択で、別の実施形態では、第１のメッセージはＤ２Ｄリソースプールを含み、Ｄ２Ｄリソースプールは、基地局により、ブロードキャストのやり方で、もしくは専用シグナリングを使用することにより、第２のＵＥに分配されたＤ２Ｄリソースプール、または第２のＵＥによって選択されたＤ２Ｄリソースプールであり、
送信ユニットは、Ｄ２Ｄリソースプールを使用することによって第２のＵＥへアップリンクデータを送信するように特に構成されており、受信ユニット１７０１は、Ｄ２Ｄリソースプールを使用することによって第２のＵＥからダウンリンクデータを受信するように特に構成されている。
【０５３０】
任意選択で、別の実施形態では、送信ユニット１７０３は、第２のＵＥへ中継解放要求メッセージを送信するようにさらに構成されている。処理ユニット１７０２は、第２のＵＥに対するＤ２Ｄ接続を解放するようにさらに構成されている。
【０５３１】
任意選択で、別の実施形態では、受信ユニット１７０１は、第２のＵＥによって送信された中継解放応答メッセージを受信するようにさらに構成されている。
【０５３２】
任意選択で、別の実施形態では、受信ユニット１７０１は、第２のＵＥによって送信された中継解放要求メッセージを受信するようにさらに構成されている。処理ユニット１７０２は、中継解放要求メッセージに従って、第２のＵＥに対するＤ２Ｄ接続を解放するようにさらに構成されている。
【０５３３】
任意選択で、別の実施形態では、送信ユニット１７０３は、第２のＵＥへ中継解放応答メッセージを送信するようにさらに構成されている。
【０５３４】
任意選択で、別の実施形態では、第１のＵＥは基地局の受信可能範囲の内部に配置されており、送信ユニット１７０３は、基地局へ中継解放要求メッセージを送信するようにさらに構成されている。処理ユニット１７０２は、第２のＵＥに対するＤ２Ｄ接続を解放するようにさらに構成されている。
【０５３５】
任意選択で、別の実施形態では、受信ユニット１７０１は、基地局によって送信された中継解放応答メッセージを受信するようにさらに構成されている。
【０５３６】
任意選択で、別の実施形態では、第１のＵＥは基地局の受信可能範囲の内部に配置されており、受信ユニット１７０１は、基地局によって送信された中継解放要求メッセージを受信するようにさらに構成されている。処理ユニット１７０２は、中継解放要求メッセージに従って、第２のＵＥに対するＤ２Ｄ接続を解放するようにさらに構成されている。
【０５３７】
任意選択で、別の実施形態では、送信ユニット１７０３は、基地局へ中継解放応答メッセージを送信するようにさらに構成されている。
【０５３８】
本発明のこの実施形態では、受信ユニット１７０１は受信器を使用することによって実施されることがあり、処理ユニット１７０２はプロセッサを使用することによって実施されることがあり、送信ユニット１７０３は送信器を使用することによって実施されることがあることに留意されたい。図１８に示されるように、第１のＵＥ１７００は、プロセッサ１８０１、受信器１８０２、送信器１８０３、およびメモリ１８０４を含むことがある。メモリ１８０４は、プロセッサ１８０１によって実行されるコードおよび同種のものを記憶するように構成されることがある。
【０５３９】
第１のＵＥ１７００の構成要素は、バスシステム１８０５を使用することによって互いに結合されている。バスシステム１８０５は、データバスに加えて、電力供給バス、制御バス、および状態信号バスをさらに含む。
【０５４０】
図１９は本発明の別の実施形態によるユーザ機器の構造のブロック図である。図１９に示されるユーザ機器（ＵＥ）は第２のＵＥ１９００であり、受信ユニット１９０１および処理ユニット１９０２を含む。
【０５４１】
受信ユニット１９０１は、第１のＵＥまたは基地局によって送信された中継要求メッセージをこのＵＥのために受信するように構成されており、中継要求メッセージは、第１のＵＥが支援中継サービスを必要とすることを指示する。
【０５４２】
処理ユニット１９０２は、中継要求メッセージに従って、第２のＵＥが、第１のＵＥに対する中継ＵＥとして作動することができると判定するように構成されている。
【０５４３】
処理ユニット１９０２は、第１のＵＥが基地局とデータ伝送を遂行するのを支援するための中継ＵＥとして第２のＵＥを使用するようにさらに構成されている。
【０５４４】
本発明のこの実施形態では、第２のＵＥは、中継要求メッセージに従って、それが第１のＵＥに中継サービスを提供することができると判定した後、さらに、中継ＵＥとして作動して、第１のＵＥが基地局とデータ伝送を遂行するのを支援し、それによりデータ伝送効率が保証されることが可能となる。
【０５４５】
加えて、第２のＵＥ１９００は送信ユニット１９０３をさらに含む。
【０５４６】
任意選択で、実施形態において、送信ユニット１９０３は、第１のＵＥへ中継応答メッセージを送信するように構成されている。
【０５４７】
任意選択で、別の実施形態では、基地局により、下方へのセルラーリンクを使用することによって中継要求メッセージが送信され、中継要求メッセージは、要求理由、優先的に保証されることを要求されたサービスのＩＤ、または第１のＵＥの位置情報およびバッファ状態情報のうちの少なくとも１つをさらに含む。
【０５４８】
任意選択で、別の実施形態では、第１のＵＥにより、デバイスツーデバイスＤ２Ｄリンクを使用することによって中継要求メッセージが送信され、中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、第１のＵＥが最後にとどまるセルの基地局のＩＤ、またはグループ通信のターゲットＩＤのうちの少なくとも１つを含む。
【０５４９】
任意選択で、別の実施形態では、受信ユニット１９０１は、基地局により、ブロードキャストのやり方で、または専用シグナリングを使用することによって送信されたデバイスツーデバイスＤ２Ｄ中継構成情報を受信するようにさらに構成されている。処理ユニット１９０２が、Ｄ２Ｄ中継構成情報に従って、第２のＵＥが中継サービスを提供する能力を有すると判定したとき、送信ユニット１９０３は、Ｄ２Ｄブロードキャストのやり方でブロードキャストメッセージを送信するようにさらに構成され、ブロードキャストメッセージは、第２のＵＥが中継ＵＥとして作動することが可能なことを指示するために使用される指示情報を含む。
【０５５０】
任意選択で、別の実施形態では、ブロードキャストメッセージは、第２のＵＥと基地局の間のチャネルの品質情報、第２のＵＥの現在の中継サービス状態、第２のＵＥが現在とどまっているセルのアイデンティティＩＤ、または第２のＵＥが現在とどまっているセルの基地局のＩＤのうちの少なくとも１つをさらに含む。
【０５５１】
任意選択で、別の実施形態では、ブロードキャストメッセージは、
第２のＵＥが基地局の受信可能範囲の内部に配置されていること、
第２のＵＥが基地局への無線リソース制御ＲＲＣ接続を確立したこと、
第２のＵＥによって基地局に対して確立された無線リソース制御ＲＲＣ接続の信号品質が事前設定の信号品質閾値よりも高いこと、
第２のＵＥの残存バッテリー電力量が事前設定の電力量閾値よりも大きいこと、
第２のＵＥの伝送電力が事前設定の伝送電力閾値未満であること、または
第２のＵＥが、基地局から、ブロードキャストメッセージを送信するように第２のＵＥに命令する情報を受信すること
のうちの少なくとも１つをさらに含む。
【０５５２】
任意選択で、別の実施形態では、中継応答メッセージは、
第２のＵＥと基地局の間のチャネルの品質情報、第２のＵＥと第１のＵＥの間のデバイスツーデバイスＤ２Ｄチャネルの品質情報、第２のＵＥの現在の中継サービス状態、第２のＵＥが現在とどまっているセルのアイデンティティＩＤ、または第２のＵＥが現在とどまっているセルの基地局のＩＤ
のうちの少なくとも１つを含み得る。
【０５５３】
任意選択で、別の実施形態では、中継応答メッセージはＤ２Ｄリソースプールをさらに含み、Ｄ２Ｄリソースプールは、基地局により、ブロードキャストのやり方で、もしくは専用シグナリングを使用することにより、第２のＵＥに分配されたＤ２Ｄリソースプール、または第２のＵＥによって選択されたＤ２Ｄリソースプールである。
【０５５４】
任意選択で、別の実施形態では、処理ユニット１９０２は中継準備を遂行するようにさらに構成されている。
【０５５５】
任意選択で、実施形態において、処理ユニット１９０２は、
第２のＵＥがアイドル状態にある場合、無線リソース制御ＲＲＣ接続を確立し、
第２のＵＥが、接続された状態にあるものの、アップリンクにおいて現在同期ずれである場合、ランダムアクセスチャネルＲＡＣＨ処理を実行してアップリンクの同期を保ち、または
第２のＵＥが接続された状態にあり、基地局に対して正常に接続されているものの、アップリンク伝送リソースを有しない場合、基地局からアップリンク伝送リソースを要求する
ように特に構成されている。
【０５５６】
任意選択で、別の実施形態では、第２のＵＥによって基地局からアップリンク伝送リソースを要求するステップは、送信ユニット１９０２によって基地局へ中継送信リソース要求メッセージを送信するステップと、基地局によって送信された中継送信リソーススケジューリング情報を受信ユニット１９０１によって受信するステップとを含む。
【０５５７】
任意選択で、別の実施形態では、中継送信リソース要求メッセージは、中継を必要とする第１のＵＥのデータの識別情報、中継を必要とする第１のＵＥのデータのデータ量の大きさ、中継を必要とする第１のＵＥのデータの出所アドレスおよび／もしくは宛先アドレス、中継を必要とする第１のＵＥのデータのサービス品質ＱｏＳクラス、または第１のＵＥの信号品質情報のうちの少なくとも１つを含むことがある。
【０５５８】
任意選択で、実施形態において、処理ユニット１９０２は、
第１のＵＥによって送信されたアップリンクデータをデバイスツーデバイスＤ２Ｄ通信のやり方で受信するように受信ユニット１９０１を制御し、基地局へアップリンクデータを送信するように送信ユニット１９０３を制御するように特に構成されており、かつ／または
基地局によって送信されたダウンリンクデータを受信するように受信ユニット１９０１を制御し、ダウンリンクデータをデバイスツーデバイスＤ２Ｄ通信のやり方で第１のＵＥへ送信するように送信ユニット１９０３を制御するように特に構成されている。
【０５５９】
任意選択で、別の実施形態では、受信ユニット１９０１は、第１のＵＥによって送信された中継解放要求メッセージを受信するようにさらに構成されている。処理ユニット１９０２は、中継解放要求メッセージに従って、第１のＵＥに対するＤ２Ｄ接続を解放するようにさらに構成されている。
【０５６０】
任意選択で、別の実施形態では、送信ユニット１９０３は、第１のＵＥへ中継解放応答メッセージを送信するようにさらに構成されている。
【０５６１】
任意選択で、別の実施形態では、送信ユニット１９０３は、第１のＵＥへ中継解放要求メッセージを送信するようにさらに構成されており、処理ユニット１９０２は、第１のＵＥに対するＤ２Ｄ接続を解放するようにさらに構成されている。
【０５６２】
任意選択で、別の実施形態では、受信ユニット１９０１は、第１のＵＥによって送信された中継解放応答メッセージを受信するようにさらに構成されている。
【０５６３】
任意選択で、別の実施形態では、受信ユニット１９０１は、基地局によって送信された中継解放要求メッセージを受信するようにさらに構成されており、処理ユニット１９０２は、中継解放要求メッセージに従って、第１のＵＥに対するＤ２Ｄ接続を解放するようにさらに構成されている。
【０５６４】
任意選択で、別の実施形態では、送信ユニット１９０３は、基地局へ中継解放応答メッセージを送信するようにさらに構成されている。
【０５６５】
任意選択で、別の実施形態では、中継要求メッセージは、第１のＵＥにより、デバイスツーデバイスＤ２Ｄリンクを使用することによって送信され、中継要求メッセージは支援中継を必要とするデータを含み、支援中継を必要とするデータの宛先アドレスは基地局である。
【０５６６】
任意選択で、別の実施形態では、中継要求メッセージは、支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、第１のＵＥが最後にとどまるセルの基地局のＩＤ、中継データの宛先セルＩＤ、またはグループ通信のターゲットＩＤのうちの少なくとも１つをさらに含むことがある。
【０５６７】
任意選択で、別の実施形態では、処理ユニット１９０２は、支援中継を必要とするデータを基地局へ転送するように特に構成されている。
【０５６８】
任意選択で、別の実施形態では、処理ユニット１９０２によって、第２のＵＥが第１のＵＥに対する中継ＵＥとして作動することができると判定するのに使用される基準は、第２のＵＥのネットワーク状態、第２のＵＥと基地局の間のチャネル品質、第２のＵＥの電力消費、第２のＵＥの残存電力量、第２のＵＥのバッファ領域、第２のＵＥと第１のＵＥの間のデバイスツーデバイスＤ２Ｄチャネル品質、または第２のＵＥと第１のＵＥの間の相対距離のうちの少なくとも１つを含む。
【０５６９】
本発明のこの実施形態では、受信ユニット１９０１は受信器を使用することによって実施されることがあり、処理ユニット１９０２はプロセッサを使用することによって実施されることがあり、送信ユニット１９０３は送信器を使用することによって実施されることがあることに留意されたい。図２０に示されるように、第２のＵＥ１９００は、プロセッサ２００１、受信器２００２、送信器２００３、およびメモリ２００４を含むことがある。メモリ２００４は、プロセッサ２００１によって実行されるコードおよび同種のものを記憶するように構成されることがある。
【０５７０】
第２のＵＥ１９００の構成要素は、バスシステム２００５を使用することによって互いに結合されている。バスシステム２００５は、データバスに加えて、電力供給バス、制御バス、および状態信号バスをさらに含む。
【０５７１】
図２１は本発明の実施形態による基地局の構造のブロック図である。図２１に示される基地局２１００は、受信ユニット２１０１、送信ユニット２１０２、および処理ユニット２１０３を含む。
【０５７２】
受信ユニット２１０１は、第１のＵＥによって送信された中継要求メッセージを受信するように構成されている。
【０５７３】
送信ユニット２１０２は、中継要求メッセージを第２のＵＥへ転送して、第２のＵＥに、中継ＵＥとして作動するように命令するように構成されている。
【０５７４】
処理ユニット２１０３は、第２のＵＥを介して第１のＵＥとデータ伝送を遂行するように構成されている。
【０５７５】
本発明のこの実施形態では、基地局は第２のＵＥを中継ＵＥとして指定し、第２のＵＥは基地局と第１のＵＥの間のデータ伝送を支援することができ、それにより伝送効率が向上される。
【０５７６】
任意選択で、実施形態において、中継要求メッセージは、要求理由、優先的に保証されることを要求されたサービスのアイデンティティＩＤ、または第１のＵＥの位置情報およびバッファ状態情報のうちの少なくとも１つをさらに含む。
【０５７７】
任意選択で、別の実施形態では、処理ユニット２１０３は、第２のＵＥによって第１のＵＥから受信されたアップリンクデータを第２のＵＥから受信するように、受信ユニット２１０１を制御するように特に構成されており、かつ／または
第２のＵＥへダウンリンクデータを送信するように送信ユニット２１０２を制御し、それにより、第２のＵＥが第１のＵＥへダウンリンクデータを転送するように特に構成されている。
【０５７８】
任意選択で、別の実施形態では、送信ユニット２１０２は、第２のＵＥへ中継解放要求メッセージを送信し、それにより、第２のＵＥが第１のＵＥに対するＤ２Ｄ接続を解放するようにさらに構成されている。
【０５７９】
任意選択で、別の実施形態では、受信ユニット２１０１は、第２のＵＥによって送信された中継解放応答メッセージを受信するようにさらに構成されている。
【０５８０】
任意選択で、別の実施形態では、受信ユニット２１０１は、第１のＵＥへ中継解放要求メッセージを送信し、それにより、第１のＵＥが第２のＵＥに対するＤ２Ｄ接続を解放するようにさらに構成されている。
【０５８１】
任意選択で、別の実施形態では、受信ユニット２１０１は、第１のＵＥによって送信された中継解放応答メッセージを受信するようにさらに構成されている。
【０５８２】
任意選択で、別の実施形態では、受信ユニット２１０１は、第１のＵＥによって送信された中継解放要求メッセージを受信するようにさらに構成されている。
【０５８３】
任意選択で、別の実施形態では、送信ユニット２１０２は、第１のＵＥへ中継解放応答メッセージを送信するようにさらに構成されている。
【０５８４】
任意選択で、別の実施形態では、受信ユニット２１０１は、第２のＵＥによって送信された中継解放要求メッセージを受信するようにさらに構成されており、送信ユニット２１０２は、第１のＵＥへ中継解放要求メッセージを転送し、それにより、第１のＵＥが第２のＵＥに対するＤ２Ｄ接続を解放するようにさらに構成されている。
【０５８５】
任意選択で、別の実施形態では、送信ユニット２１０２は、第２のＵＥへ中継解放応答メッセージを送信するようにさらに構成されている。
【０５８６】
本発明のこの実施形態では、受信ユニット２１０１は受信器を使用することによって実施されることがあり、送信ユニット２１０２は送信器を使用することによって実施されることがあり、処理ユニット２１０３はプロセッサを使用することによって実施されることがあることに留意されたい。図２２に示されるように、基地局２１００は、プロセッサ２２０１、受信器２２０２、送信器２２０３、およびメモリ２２０４を含むことがある。メモリ２２０４は、プロセッサ２２０１によって実行されるコードおよび同種のものを記憶するように構成されることがある。
【０５８７】
基地局２１００の構成要素は、バスシステム２２０５を使用することによって互いに結合されている。バスシステム２２０５は、データバスに加えて、電力供給バス、制御バス、および状態信号バスをさらに含む。
【０５８８】
本発明のこの実施形態におけるプロセッサは集積回路チップであることがあり、信号処理能力を有することに留意されたい。実施処理において、前述の方法の実施形態のそれぞれのステップは、プロセッサのハードウェア集積論理回路を使用することにより、またはソフトウェア形式の命令によって、実施されることがある。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラム可能な論理デバイス、個別のゲートもしくはトランジスタ論理デバイス、または個別のハードウェア構成要素であることがある、プロセッサは、本発明の実施形態において開示された方法、ステップ、および論理ブロック図を実施することがあり、または実行することがある。汎用プロセッサは、マイクロプロセッサであることがあり、またはプロセッサは任意の従来のプロセッサもしくは同種のものであることがある。本発明の実施形態を参照しながら開示された方法のステップは、ハードウェアを復号するプロセッサによって直接実行され、かつ完結されることがあり、または、ハードウェアと、この復号するプロセッサのソフトウェアモジュールとの組合せを使用することによって実行され、かつ完結されることがある。ソフトウェアモジュールは、ランダムアクセスメモリ、フラッシュメモリ、読取り専用メモリ、プログラム可能読取り専用メモリ、または電気的に消去可能なプログラム可能メモリ、またはレジスタなど、当技術における充分に発達した記憶媒体の中に配置されることがある。記憶媒体はメモリの中に配置されており、プロセッサは、メモリの中の情報を読み取り、プロセッサのハードウェアと組み合わせて、前述の方法のステップを完結する。
【０５８９】
本発明の実施形態におけるメモリは、揮発性メモリもしくは不揮発性メモリであることがあり、または揮発性メモリと不揮発性メモリの両方を含むことがあることに留意されたい。不揮発性メモリは、読取り専用メモリ（Ｒｅａｄ−Ｏｎｌｙ  Ｍｅｍｏｒｙ、ＲＯＭ）、プログラム可能読取り専用メモリ（Ｐｒｏｇｒａｍｍａｂｌｅ  ＲＯＭ、ＰＲＯＭ）、消去可能なプログラム可能読取り専用メモリ（Ｅｒａｓａｂｌｅ  ＰＲＯＭ、ＥＰＲＯＭ）、電気的に消去可能なプログラム可能読取り専用メモリ（Ｅｌｅｃｔｒｉｃａｌｌｙ  ＥＰＲＯＭ、ＥＥＰＲＯＭ）、またはフラッシュメモリであることがある。揮発性メモリはランダムアクセスメモリ（Ｒａｎｄｏｍ  Ａｃｃｅｓｓ  Ｍｅｍｏｒｙ、ＲＡＭ）であることがあり、外部キャッシュとして使用される。静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期型動的ランダムアクセスメモリ（Ｓｙｎｃｈｒｏｎｏｕｓ  ＤＲＡＭ、ＳＤＲＡＭ）、ダブルデータレート同期型動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期型動的ランダムアクセスメモリ（Ｅｎｈａｎｃｅｄ  ＳＤＲＡＭ、ＥＳＤＲＡＭ）、シンクリンク動的ランダムアクセスメモリ（Ｓｙｎｃｈｌｉｎｋ  ＤＲＡＭ、ＳＬＤＲＡＭ）、およびダイレクトラムバスランダムアクセスメモリ（Ｄｉｒｅｃｔ  Ｒａｍｂｕｓ  ＲＡＭ、ＤＲ  ＲＡＭ）など多くの形式のＲＡＭが使用されることがあり、これは限定的な説明というよりむしろ例示である。この明細書において説明されたシステムおよび方法のメモリは、これらのメモリおよび適切なタイプの任意の他のメモリを含むことを意図するものであるが、それに限定はされないことに留意されたい。
【０５９０】
当業者なら、この明細書で開示された実施形態において説明された例と組み合わせて、ユニットおよびアルゴリズムステップは、電子ハードウェアまたはコンピュータソフトウェアと電子ハードウェアの組合せによって実施されることがあることに気づくことがある。機能がハードウェアによって遂行されるか、またはソフトウェアによって遂行されるかどうかということは、技術的解決策の特定用途および設計制約条件に依拠する。当業者なら、それぞれの特定用途について説明された機能を実施するために別の方法を使用することがあるが、その実装形態が本発明の範囲を越えると見なされるべきでない。
【０５９１】
前述のシステム、装置、およびユニットの詳細な作業処理に関する便利で簡単な説明のために、前述の方法実施形態の対応する処理が参照されることがあり、本明細書で詳細が再び説明されることはないことは当業者によって明白に理解されることがある。
【０５９２】
本出願において提供されるいくつかの実施形態では、開示されたシステム、装置、および方法が他のやり方で実施されることがあることを理解されたい。たとえば、説明された装置実施形態は例示にすぎない。たとえば、ユニット分割は論理的な機能分割にすぎず、実際の実装形態では他の分割であることがある。たとえば、複数のユニットまたは構成要素が別のシステムへと組み合わされることがあり、もしくは統合されることがあり、または、いくつかの機能が無視されることがあり、もしくは遂行されないことがある。加えて、表示された、または論じられた、相互結合もしくは直接結合または通信接続は、いくつかのインターフェースを使用することにより実施されることがある。装置またはユニットの間の間接結合または通信結合は、電子的形式、機械的形式、または他の形式で実施されることがある。
【０５９３】
個別の部品として説明されたユニットは、物理的に個別であることがあり、または個別でないことがあり、ユニットとして表示された部分は物理的ユニットであることがあり、または物理的ユニットでないことがあり、１つの位置に配置されることがあり、または複数のネットワークユニットに分散されることがある。ユニットのうちのいくつかまたはすべては、実施形態の解決策の目的を達成するための実際の必要性に従って選択されることがある。
【０５９４】
加えて、本発明の実施形態における機能ユニットは、１つの処理ユニットへと統合されることがあり、または各々のユニットが単独で物理的に存在することがあり、または２つ以上のユニットが１つのユニットへと統合される。
【０５９５】
機能がソフトウェア機能ユニットの形式で実施されて単独の製品として売られるかまたは使用されるとき、機能はコンピュータ可読記憶媒体に記憶されることがある。そのような理解に基づき、本発明の技術的解決策は、基本的に、または従来技術に寄与する部分は、または技術的解決策のうちのいくつかは、ソフトウェア製品の形式で実施されることがある。ソフトウェア製品は記憶媒体に記憶され、本発明の実施形態で説明された方法のステップのすべてまたはいくつかを遂行するようにコンピュータデバイス（パソコン、サーバ、またはネットワークデバイスであり得る）に命令するためのいくつかの命令を含む。前述の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０５９６】
前述の説明は本発明の単に特定の実装形態のやり方であるが、本発明の保護範囲を制限するようには意図されていない。本発明において開示された技術的範囲内で当業者によって容易に考案されるいかなる変形または置換も、本発明の保護範囲内に含まれるものとする。したがって、本発明の保護範囲は特許請求の範囲の保護範囲の支配下にあるものとする。
【図１】
2018513632.tif 000004
【図２】
2018513632.tif 000005
【図３】
2018513632.tif 000006
【図４】
2018513632.tif 000007
【図５】
2018513632.tif 000008
【図６】
2018513632.tif 000009
【図７】
2018513632.tif 000010
【図８】
2018513632.tif 000011
【図９】
2018513632.tif 000012
【図１０】
2018513632.tif 000013
【図１１】
2018513632.tif 000014
【図１２】
2018513632.tif 000015
【図１３】
2018513632.tif 000016
【図１４】
2018513632.tif 000017
【図１５】
2018513632.tif 000018
【図１６】
2018513632.tif 000019
【図１７】
2018513632.tif 000020
【図１８】
2018513632.tif 000021
【図１９】
2018513632.tif 000022
【図２０】
2018513632.tif 000023
【図２１】
2018513632.tif 000024
【図２２】
2018513632.tif 000025
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
第２のＵＥによって送信された第１のメッセージを第１のユーザ機器ＵＥによって受信するステップであって、前記第１のメッセージは、前記第２のＵＥが中継ＵＥとして作動することが可能であることの指示情報を備えるステップと、
前記第１のＵＥによって、前記第２のＵＥを介して基地局とデータ伝送を遂行するステップであって、前記第２のＵＥは中継ＵＥとして作動するステップと
を備えるデータ伝送方法。
【請求項２】
第２のＵＥによって送信された第１のメッセージを第１のＵＥによって受信する前記ステップの前に、前記第１のＵＥによって中継要求メッセージを送信するステップをさらに備える方法であって、
前記第１のメッセージは中継応答メッセージである請求項１に記載の方法。
【請求項３】
前記第１のＵＥによって中継要求メッセージを送信する前記ステップの前に、
前記基地局によって送信されたデバイスツーデバイスＤ２Ｄ中継構成情報を前記第１のＵＥによって受信するステップをさらに備える方法であって、
前記Ｄ２Ｄ中継構成情報は、前記基地局によって、ブロードキャストのやり方で、または専用シグナリングを使用することによって送信される請求項２に記載の方法。
【請求項４】
第２のＵＥによって送信された第１のメッセージを第１のＵＥによって受信する前記ステップは、
少なくとも１つのＵＥによって送信された少なくとも１つの中継応答メッセージを前記第１のＵＥによって受信するステップであって、前記少なくとも１つの中継応答メッセージが前記少なくとも１つのＵＥと一対一で対応し、前記少なくとも１つのＵＥが前記第２のＵＥを備えるステップを備え、
前記第１のＵＥによって前記第２のＵＥを介して前記基地局とデータ伝送を遂行する前記ステップの前に、前記方法は、
前記第１のＵＥによって、前記少なくとも１つのＵＥの中の前記第２のＵＥを前記中継ＵＥとして判定するステップ
をさらに備える請求項３に記載の方法。
【請求項５】
前記中継応答メッセージは、
前記第２のＵＥと前記基地局の間のチャネルの品質情報、前記第２のＵＥと前記第１のＵＥの間のＤ２Ｄチャネルの品質情報、前記第２のＵＥの現在の中継サービス状態、前記第１のＵＥと前記第２のＵＥの間にＤ２Ｄ接続を確立するためのパラメータ、前記第２のＵＥが現在とどまっているセルのアイデンティティＩＤ、または前記第２のＵＥが現在とどまっているセルの基地局のＩＤ
のうちの少なくとも１つを備える請求項４に記載の方法。
【請求項６】
前記第１のＵＥにより、前記少なくとも１つのＵＥの中の前記第２のＵＥを前記中継ＵＥとして判定する前記ステップは、
前記第１のＵＥにより、所定の基準に基づき、前記中継応答メッセージに従って、前記少なくとも１つのＵＥから前記第２のＵＥを選択するステップと、前記第２のＵＥを前記中継ＵＥとして判定するステップと
を備える請求項４または５に記載の方法。
【請求項７】
前記所定の基準は、前記中継応答メッセージのフィードバックが最も高速であること、および／または前記中継応答メッセージの遅延が最も小さいことを備える請求項６に記載の方法。
【請求項８】
前記第１のＵＥによって中継要求メッセージを送信する前記ステップは、
前記第１のＵＥによって前記基地局へ前記中継要求メッセージを送信し、それにより、前記基地局が前記第２のＵＥへ前記中継要求メッセージを転送するステップを備え、
前記中継要求メッセージは、中継要求理由、優先的に保証されることを要求されたサービスのアイデンティティＩＤ、または前記第１のＵＥの位置情報およびバッファ状態情報といった情報のうちの少なくとも１つを備える請求項２乃至７のいずれか一項に記載の方法。
【請求項９】
第２のＵＥによって送信された第１のメッセージを第１のＵＥによって受信する前記ステップの後に、
前記第１のＵＥによって中継要求メッセージを送信するステップと、
前記第２のＵＥによって送信された中継応答メッセージを前記第１のＵＥによって受信するステップと
をさらに備える請求項１に記載の方法。
【請求項１０】
前記第１のメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項９に記載の方法。
【請求項１１】
前記中継要求メッセージは、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、またはグループ通信のターゲットＩＤ
のうちの少なくとも１つをさらに備える請求項２乃至１０のいずれか一項に記載の方法。
【請求項１２】
前記第１のＵＥがタイマによって設定された期間内に前記中継応答メッセージを受信しないとき、前記方法は、前記第１のＵＥによって前記中継要求メッセージを再伝送するステップ
をさらに備える請求項２乃至１１のいずれか一項に記載の方法。
【請求項１３】
前記第１のメッセージは、前記第２のＵＥによってＤ２Ｄブロードキャストのやり方で送信され、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤのうちの少なくとも１つをさらに備える請求項１に記載の方法。
【請求項１４】
前記第１のメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続のチャネル品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項１３に記載の方法。
【請求項１５】
前記第１のＵＥによって前記第２のＵＥを介して基地局とデータ伝送を遂行する前記ステップの前に、
前記第１のＵＥが前記基地局とデータ伝送を直接遂行することができないとき、支援中継サービスを開始することを前記第１のＵＥによって判定するステップ
をさらに備える請求項１乃至１４のいずれか一項に記載の方法。
【請求項１６】
前記第１のＵＥが前記基地局とデータ伝送を直接遂行することができないことは、
前記第１のＵＥが前記基地局のサービス範囲の内部に配置されていないこと、または
前記第１のＵＥと前記基地局の間の信号品質が前記事前設定の信号品質閾値よりも低いこと、または
前記第１のＵＥの電力量が事前設定の電力量閾値未満であること、または
前記第１のＵＥが前記基地局への無線リソース制御ＲＲＣ接続を確立することができないこと
を備える請求項１５に記載の方法。
【請求項１７】
前記第１のＵＥによって前記第２のＵＥを介して前記基地局とデータ伝送を遂行する前記ステップは、
前記第１のＵＥによってデバイスツーデバイスＤ２Ｄ通信のやり方で前記第２のＵＥへアップリンクデータを送信し、それにより、前記第２のＵＥが前記基地局へ前記アップリンクデータを転送するステップ、および／または
前記第１のＵＥによってデバイスツーデバイスＤ２Ｄ通信のやり方で前記第２のＵＥからダウンリンクデータを受信するステップであって、前記ダウンリンクデータは前記第２のＵＥによって前記基地局から受信されるステップ
を備える請求項１乃至１６のいずれか一項に記載の方法。
【請求項１８】
前記第１のＵＥによってＤ２Ｄ通信のやり方で前記第２のＵＥへアップリンクデータを送信する前記ステップは、
前記第１のＵＥによって、あらかじめ構成されたＤ２Ｄリソースプールを使用することにより、前記第２のＵＥへ前記アップリンクデータを送信するステップ
を備える請求項１７に記載の方法。
【請求項１９】
前記第１のメッセージはＤ２Ｄリソースプールを備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールであり、
前記第１のＵＥによってＤ２Ｄ通信のやり方で前記第２のＵＥへアップリンクデータを送信する前記ステップは、
前記第１のＵＥによって、前記Ｄ２Ｄリソースプールを使用することにより、前記第２のＵＥへ前記アップリンクデータを送信するステップを備え、
前記第１のＵＥによってＤ２Ｄ通信のやり方で前記第２のＵＥからダウンリンクデータを受信する前記ステップは、
前記第１のＵＥによって、前記Ｄ２Ｄリソースプールを使用することにより、前記第２のＵＥから前記ダウンリンクデータを受信するステップを備える請求項１７に記載の方法。
【請求項２０】
前記第１のＵＥによって前記第２のＵＥを介して前記基地局とデータ伝送を遂行する前記ステップの後に、
前記第１のＵＥによって前記第２のＵＥへ中継解放要求メッセージを送信するステップと、
前記第１のＵＥによって前記第２のＵＥに対する前記Ｄ２Ｄ接続を解放するステップと
をさらに備える請求項１乃至１９のいずれか一項に記載の方法。
【請求項２１】
前記第１のＵＥによって前記第２のＵＥに対する前記Ｄ２Ｄ接続を解放する前記ステップの前に、
前記第２のＵＥによって送信された中継解放応答メッセージを前記第１のＵＥによって受信するステップ
をさらに備える請求項２０に記載の方法。
【請求項２２】
前記第１のＵＥによって前記第２のＵＥを介して前記基地局とデータ伝送を遂行する前記ステップの後に、
前記第２のＵＥによって送信された中継解放要求メッセージを前記第１のＵＥによって受信するステップと、
前記第１のＵＥによって、前記中継解放要求メッセージに従って、前記第２のＵＥに対する前記Ｄ２Ｄ接続を解放するステップと
をさらに備える請求項１乃至１９のいずれか一項に記載の方法。
【請求項２３】
前記第１のＵＥによって、前記中継解放要求メッセージに従って、前記第２のＵＥに対する前記Ｄ２Ｄ接続を解放する前記ステップの前に、
前記第１のＵＥによって前記第２のＵＥへ中継解放応答メッセージを送信するステップ
をさらに備える請求項２２に記載の方法。
【請求項２４】
前記第１のＵＥは前記基地局の前記受信可能範囲の内部に配置されており、前記第１のＵＥによって前記第２のＵＥを介して前記基地局とデータ伝送を遂行する前記ステップの後に、前記方法は、
前記第１のＵＥによって前記基地局へ中継解放要求メッセージを送信するステップと、
前記第１のＵＥによって、前記第２のＵＥに対する前記Ｄ２Ｄ接続を解放するステップと
をさらに備える請求項１乃至１９のいずれか一項に記載の方法。
【請求項２５】
前記第１のＵＥによって前記第２のＵＥに対する前記Ｄ２Ｄ接続を解放する前記ステップの前に、
前記基地局によって送信された中継解放応答メッセージを前記第１のＵＥによって受信するステップ
をさらに備える請求項２４に記載の方法。
【請求項２６】
前記第１のＵＥは前記基地局の前記受信可能範囲の内部に配置されており、前記第１のＵＥによって前記第２のＵＥを介して前記基地局とデータ伝送を遂行する前記ステップの後に、前記方法は、
前記基地局によって送信された中継解放要求メッセージを前記第１のＵＥによって受信するステップと、
前記第１のＵＥによって、前記中継解放要求メッセージに従って、前記第２のＵＥに対する前記Ｄ２Ｄ接続を解放するステップと
をさらに備える請求項１乃至１９のいずれか一項に記載の方法。
【請求項２７】
前記第１のＵＥによって、前記中継解放要求メッセージに従って、前記第２のＵＥに対する前記Ｄ２Ｄ接続を解放する前記ステップの前に、
前記第１のＵＥによって前記基地局へ中継解放応答メッセージを送信するステップ
をさらに備える請求項２６に記載の方法。
【請求項２８】
第１のＵＥまたは基地局によって送信された中継要求メッセージを第２のユーザ機器ＵＥによって受信するステップであって、前記中継要求メッセージは、前記第１のＵＥが支援中継サービスを必要とすることを指示するステップと、
前記第２のＵＥによって、前記中継要求メッセージに従って、前記第２のＵＥは前記第１のＵＥに対する中継ＵＥとして作動することが可能であると判定するステップと、
前記第２のＵＥによって、前記第１のＵＥが前記基地局とデータ伝送を遂行するのを支援する中継ＵＥとして作動するステップと
を備えるデータ伝送方法。
【請求項２９】
前記第２のＵＥは前記第１のＵＥに対する中継ＵＥとして作動することができると判定する前記ステップの後に、
前記第２のＵＥによって前記第１のＵＥへ中継応答メッセージを送信するステップ
をさらに備える請求項２８に記載の方法。
【請求項３０】
前記中継要求メッセージは、前記基地局により、下方へのセルラーリンクを使用することによって送信され、
要求理由、優先的に保証されることを要求されたサービスのＩＤ、または前記第１のＵＥの位置情報およびバッファ状態情報
のうちの少なくとも１つをさらに備える請求項２９に記載の方法。
【請求項３１】
前記中継要求メッセージは、前記第１のＵＥにより、デバイスツーデバイスＤ２Ｄリンクを使用することによって送信され、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、第１のＵＥが最後にとどまるセルのＩＤ、前記第１のＵＥが最後にとどまるセルの基地局のＩＤ、またはグループ通信のターゲットＩＤ
のうちの少なくとも１つを備える請求項２９に記載の方法。
【請求項３２】
第１のＵＥによって送信された中継要求メッセージを第２のＵＥによって受信する前記ステップの前に、
前記基地局によって、ブロードキャストのやり方で、または専用シグナリングを使用することによって送信されたデバイスツーデバイスＤ２Ｄ中継構成情報を前記第２のＵＥによって受信するステップと、
前記第２のＵＥが、前記Ｄ２Ｄ中継構成情報に従って、前記第２のＵＥが中継サービスを提供する能力を有すると判定したとき、前記第２のＵＥによってＤ２Ｄブロードキャストのやり方でブロードキャストメッセージを送信するステップであって、前記ブロードキャストメッセージは、前記第２のＵＥが中継ＵＥとして作動することが可能であることを指示するために使用される指示情報を備えるステップと
をさらに備える請求項３１に記載の方法。
【請求項３３】
前記ブロードキャストメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項３２に記載の方法。
【請求項３４】
前記ブロードキャストメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続の信号品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項３２または３３に記載の方法。
【請求項３５】
前記中継応答メッセージは、
前記第２のＵＥと前記基地局の間のチャネルの品質情報、前記第２のＵＥと前記第１のＵＥの間のデバイスツーデバイスＤ２Ｄチャネルの品質情報、前記第２のＵＥの現在の中継サービス状態、前記第２のＵＥが現在とどまっている前記セルの前記アイデンティティＩＤ、または前記第２のＵＥが現在とどまっている前記セルの前記基地局の前記ＩＤ
のうちの少なくとも１つを備える請求項２９乃至３４のいずれか一項に記載の方法。
【請求項３６】
前記中継応答メッセージはＤ２Ｄリソースプールをさらに備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールである請求項３５に記載の方法。
【請求項３７】
前記第２のＵＥによって、前記第１のＵＥが前記基地局とデータ伝送を遂行するのを支援する中継ＵＥとして作動する前記ステップの前に、
前記第２のＵＥによって中継準備を遂行するステップ
をさらに備える請求項２９乃至３６のいずれか一項に記載の方法。
【請求項３８】
前記中継準備は、
前記第２のＵＥがアイドル状態にある場合、前記第２のＵＥによって無線リソース制御ＲＲＣ接続を確立するステップ、
前記第２のＵＥが、接続された状態にあるものの、アップリンクにおいて現在同期ずれである場合、前記第２のＵＥによってランダムアクセスチャネルＲＡＣＨ処理を実行して前記アップリンクの同期を保つステップ、または
前記第２のＵＥが接続された状態にあり、前記基地局に対して正常に接続されているものの、アップリンク伝送リソースを有しない場合、前記第２のＵＥによって前記基地局からアップリンク伝送リソースを要求するステップ
を備える請求項３７に記載の方法。
【請求項３９】
前記第２のＵＥによって前記基地局から前記アップリンク伝送リソースを要求する前記ステップは、
前記第２のＵＥによって前記基地局へ中継送信リソース要求メッセージを送信するステップと、
前記基地局によって送信された中継送信リソーススケジューリング情報を前記第２のＵＥによって受信するステップと
を備える請求項３８に記載の方法。
【請求項４０】
前記中継送信リソース要求メッセージは、
中継を必要とする前記第１のＵＥのデータの識別情報、中継を必要とする前記第１のＵＥのデータのデータ量の大きさ、中継を必要とする前記第１のＵＥのデータの出所アドレスおよび／もしくは宛先アドレス、中継を必要とする前記第１のＵＥのデータのサービス品質ＱｏＳクラス、または前記第１のＵＥの信号品質情報
のうちの少なくとも１つを含むことがある請求項３９に記載の方法。
【請求項４１】
前記第２のＵＥによって、前記第１のＵＥが前記基地局とデータ伝送を遂行するのを支援する中継ＵＥとして作動する前記ステップは、
前記第１のＵＥによって送信されたアップリンクデータをデバイスツーデバイスＤ２Ｄ通信のやり方で前記第２のＵＥによって受信して、前記アップリンクデータを前記基地局へ送信するステップ、および／または
前記基地局によって送信されたダウンリンクデータを前記第２のＵＥによって受信して、前記ダウンリンクデータをデバイスツーデバイスＤ２Ｄ通信のやり方で前記第１のＵＥへ送信するステップ
を備える請求項２９乃至４０のいずれか一項に記載の方法。
【請求項４２】
前記第２のＵＥによって、前記第１のＵＥが前記基地局とデータ伝送を遂行するのを支援する中継ＵＥとして作動する前記ステップの後に、
前記第１のＵＥによって送信された中継解放要求メッセージを前記第２のＵＥによって受信するステップと、
前記第２のＵＥにより、前記中継解放要求メッセージに従って、前記第１のＵＥに対するＤ２Ｄ接続を解放するステップと
をさらに備える請求項２９乃至４１のいずれか一項に記載の方法。
【請求項４３】
前記第１のＵＥに対するＤ２Ｄ接続を解放する前記ステップの前に、
前記第２のＵＥによって前記第１のＵＥへ中継解放応答メッセージを送信するステップ
をさらに備える請求項４２に記載の方法。
【請求項４４】
前記第２のＵＥによって、前記第１のＵＥが前記基地局とデータ伝送を遂行するのを支援する中継ＵＥとして作動する前記ステップの後に、
前記第２のＵＥによって前記第１のＵＥへ中継解放要求メッセージを送信するステップと、
前記第２のＵＥによって前記第１のＵＥに対するＤ２Ｄ接続を解放するステップと
をさらに備える請求項２９乃至４１のいずれか一項に記載の方法。
【請求項４５】
前記第２のＵＥによって前記第１のＵＥに対するＤ２Ｄ接続を解放する前記ステップの前に、
前記第１のＵＥによって送信された中継解放応答メッセージを前記第２のＵＥによって受信するステップ
をさらに備える請求項４４に記載の方法。
【請求項４６】
前記第２のＵＥによって、前記第１のＵＥが前記基地局とデータ伝送を遂行するのを支援する中継ＵＥとして作動する前記ステップの後に、
前記基地局によって送信された中継解放要求メッセージを前記第２のＵＥによって受信するステップと、
前記第２のＵＥにより、前記中継解放要求メッセージに従って、前記第１のＵＥに対するＤ２Ｄ接続を解放するステップと
をさらに備える請求項２９乃至４１のいずれか一項に記載の方法。
【請求項４７】
前記第１のＵＥに対するＤ２Ｄ接続を解放する前記ステップの前に、
前記第２のＵＥによって前記基地局へ中継解放応答メッセージを送信するステップ
をさらに備える請求項４６に記載の方法。
【請求項４８】
前記中継要求メッセージは、前記第１のＵＥにより、デバイスツーデバイスＤ２Ｄリンクを使用することによって送信され、支援中継を必要とするデータを備え、支援中継を必要とする前記データの宛先アドレスは前記基地局である請求項２８に記載の方法。
【請求項４９】
前記中継要求メッセージは、
支援中継を必要とする前記データの指示情報、支援中継を必要とする前記データのデータ量の大きさ、支援中継を必要とする前記データのバッファサイズ、支援中継を必要とする前記データのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、中継データの宛先セルのＩＤ、またはグループ通信のターゲットＩＤ
のうちの少なくとも１つをさらに備える請求項４８に記載の方法。
【請求項５０】
前記第２のＵＥによって、前記第１のＵＥが前記基地局とデータ伝送を遂行するのを支援する中継ＵＥとして作動する前記ステップは、
前記第２のＵＥによって、支援中継を必要とする前記データを前記基地局へ転送するステップ
を備える請求項４８または４９に記載の方法。
【請求項５１】
前記第２のＵＥが前記第１のＵＥに対する中継ＵＥとして作動することが可能であると判定する前記ステップの間に使用される基準は、
前記第２のＵＥのネットワーク状態、前記第２のＵＥと前記基地局の間のチャネル品質、前記第２のＵＥの電力消費、前記第２のＵＥの残存電力量、前記第２のＵＥのバッファ領域、前記第２のＵＥと前記第１のＵＥの間のデバイスツーデバイスＤ２Ｄチャネル品質、または前記第２のＵＥと前記第１のＵＥの間の相対距離
のうちの少なくとも１つを備える請求項２８乃至５０のいずれか一項に記載の方法。
【請求項５２】
第１のＵＥによって送信された中継要求メッセージを基地局によって受信するステップと、
前記基地局によって前記中継要求メッセージを第２のＵＥへ転送して、前記第２のＵＥに、中継ＵＥとして作動するように命令するステップと、
前記基地局によって、前記第２のＵＥを介して、前記第１のＵＥとデータ伝送を遂行するステップと
を備えるデータ伝送方法。
【請求項５３】
前記中継要求メッセージは、
要求理由、優先的に保証されることを要求されたサービスのアイデンティティＩＤ、または前記第１のＵＥの位置情報およびバッファ状態情報
のうちの少なくとも１つをさらに備える請求項５２に記載の方法。
【請求項５４】
前記基地局によって、前記第２のＵＥを介して、前記第１のＵＥとデータ伝送を遂行する前記ステップは、
前記基地局によって前記第２のＵＥからアップリンクデータを受信するステップであって、前記アップリンクデータは前記第２のＵＥによって前記第１のＵＥから受信されたものであるステップ、および／または
前記基地局によって前記第２のＵＥへダウンリンクデータを送信し、それにより、前記第２のＵＥが前記第１のＵＥへ前記ダウンリンクデータを転送するステップ
を備える請求項５２または５３に記載の方法。
【請求項５５】
前記基地局によって前記第２のＵＥを介して前記第１のＵＥとデータ伝送を遂行する前記ステップの後に、
前記基地局によって前記第２のＵＥへ中継解放要求メッセージを送信し、それにより、前記第２のＵＥが前記第１のＵＥに対するＤ２Ｄ接続を解放するステップ
をさらに備える請求項５２乃至５４のいずれか一項に記載の方法。
【請求項５６】
前記第２のＵＥによって送信された中継解放応答メッセージを前記基地局によって受信するステップ
をさらに備える請求項５５に記載の方法。
【請求項５７】
前記基地局によって前記第１のＵＥへ前記中継解放要求メッセージを送信し、それにより、前記第１のＵＥが前記第２のＵＥに対する前記Ｄ２Ｄ接続を解放するステップ
をさらに備える請求項５５に記載の方法。
【請求項５８】
前記第１のＵＥによって送信された中継解放応答メッセージを前記基地局によって受信するステップ
をさらに備える請求項５７に記載の方法。
【請求項５９】
前記基地局によって前記第２のＵＥへ中継解放要求メッセージを送信する前記ステップの前に、
前記第１のＵＥによって送信された中継解放要求メッセージを前記基地局によって受信するステップ
をさらに備える請求項５５に記載の方法。
【請求項６０】
前記基地局によって前記第１のＵＥへ中継解放応答メッセージを送信するステップ
をさらに備える請求項５９に記載の方法。
【請求項６１】
前記基地局によって前記第２のＵＥを介して前記第１のＵＥとデータ伝送を遂行する前記ステップの後に、
前記第２のＵＥによって送信された中継解放要求メッセージを前記基地局によって受信するステップと、
前記基地局によって前記中継解放要求メッセージを前記第１のＵＥへ転送し、それにより、前記第１のＵＥが前記第２のＵＥに対するＤ２Ｄ接続を解放するステップと
をさらに備える請求項５２乃至５４のいずれか一項に記載の方法。
【請求項６２】
前記基地局によって前記第２のＵＥへ中継解放応答メッセージを送信するステップ
をさらに備える請求項６１に記載の方法。
【請求項６３】
ユーザ機器であって、前記ユーザ機器ＵＥは第１のＵＥであり、
第２のＵＥによって送信された第１のメッセージを受信するように構成された受信ユニットであって、前記第１のメッセージは、前記第２のＵＥが中継ＵＥとして作動することが可能であることの指示情報を備える受信ユニットと、
前記第２のＵＥを介して基地局とデータ伝送を遂行するように構成された処理ユニットであって、前記第２のＵＥは中継ＵＥとして作動する処理ユニットと
を備えるユーザ機器。
【請求項６４】
中継要求メッセージを送信するように構成された送信ユニットであって、前記第１のメッセージは中継応答メッセージである送信ユニットをさらに備える請求項６３に記載のユーザ機器。
【請求項６５】
前記受信ユニットは、
前記基地局によって、ブロードキャストのやり方で、または専用シグナリングを使用することによって送信されたデバイスツーデバイスＤ２Ｄ中継構成情報を受信するようにさらに構成されている請求項６４に記載のユーザ機器。
【請求項６６】
前記受信ユニットは、
少なくとも１つのＵＥによって送信された少なくとも１つの中継応答メッセージを受信するように特に構成されており、前記少なくとも１つの中継応答メッセージは前記少なくとも１つのＵＥと一対一で対応し、前記少なくとも１つのＵＥは前記第２のＵＥを備え、
前記処理ユニットは、前記少なくとも１つのＵＥの中の前記第２のＵＥを前記中継ＵＥとして判定するようにさらに構成されている請求項６５に記載のユーザ機器。
【請求項６７】
前記中継応答メッセージは、
前記第２のＵＥと前記基地局の間のチャネルの品質情報、前記第２のＵＥと前記第１のＵＥの間のＤ２Ｄチャネルの品質情報、前記第２のＵＥの現在の中継サービス状態、前記第１のＵＥと前記第２のＵＥの間にＤ２Ｄ接続を確立するためのパラメータ、前記第２のＵＥが現在とどまっているセルのアイデンティティＩＤ、または前記第２のＵＥが現在とどまっているセルの基地局のＩＤ
のうちの少なくとも１つを備える請求項６６に記載のユーザ機器。
【請求項６８】
前記処理ユニットは、所定の基準に基づき、前記中継応答メッセージに従って、前記少なくとも１つのＵＥから前記第２のＵＥを選択し、前記第２のＵＥを前記中継ＵＥとして判定するように特に構成されている請求項６６または６７に記載のユーザ機器。
【請求項６９】
前記所定の基準は、前記中継応答メッセージのフィードバックが最も高速であること、および／または前記中継応答メッセージの遅延が最も小さいことを備える請求項６８に記載のユーザ機器。
【請求項７０】
前記送信ユニットは、前記基地局へ前記中継要求メッセージを送信し、それにより、前記基地局が前記中継要求メッセージを前記第２のＵＥへ転送するように特に構成されており、
前記中継要求メッセージは、中継要求理由、優先的に保証されることを要求されたサービスのアイデンティティＩＤ、または前記第１のＵＥの位置情報およびバッファ状態情報といった情報のうちの少なくとも１つを備える請求項６４乃至６９のいずれか一項に記載のユーザ機器。
【請求項７１】
中継要求メッセージを送信するように構成された送信ユニットをさらに備え、
前記受信ユニットは、前記第２のＵＥによって送信された中継応答メッセージを受信するようにさらに構成されている請求項６３に記載のユーザ機器。
【請求項７２】
前記第１のメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項７１に記載のユーザ機器。
【請求項７３】
前記中継要求メッセージは、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、またはグループ通信のターゲットＩＤ
のうちの少なくとも１つを備える請求項６４乃至７２のいずれか一項に記載のユーザ機器。
【請求項７４】
前記送信ユニットは、
プロセッサのタイマによって設定された期間内に前記中継応答メッセージが受信されないとき、前記中継要求メッセージを再伝送する
ようにさらに構成されている請求項６４乃至７３のいずれか一項に記載のユーザ機器。
【請求項７５】
前記第１のメッセージは、前記第２のＵＥによってＤ２Ｄブロードキャストのやり方で送信され、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項６３に記載のユーザ機器。
【請求項７６】
前記第１のメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続のチャネル品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項７５に記載のユーザ機器。
【請求項７７】
前記処理ユニットは、
前記第１のＵＥが前記基地局とデータ伝送を直接遂行することができないとき、支援中継サービスを開始することを判定する
ようにさらに構成されている請求項６３乃至７６のいずれか一項に記載のユーザ機器。
【請求項７８】
前記第１のＵＥが前記基地局とデータ伝送を直接遂行することができないことは、
前記第１のＵＥが前記基地局のサービス範囲の内部に配置されていないこと、または
前記第１のＵＥと前記基地局の間の信号品質が前記事前設定の信号品質閾値よりも低いこと、または
前記第１のＵＥの電力量が事前設定の電力量閾値未満であること、または
前記第１のＵＥが前記基地局への無線リソース制御ＲＲＣ接続を確立することができないこと
を備える請求項７７に記載のユーザ機器。
【請求項７９】
前記処理ユニットは、
デバイスツーデバイスＤ２Ｄ通信のやり方で前記第２のＵＥへアップリンクデータを送信するように前記送信ユニットを制御し、それにより、前記第２のＵＥが前記基地局へ前記アップリンクデータを転送するように特に構成されており、かつ／または
デバイスツーデバイスＤ２Ｄ通信のやり方で前記第２のＵＥからダウンリンクデータを受信するように前記受信ユニットを制御し、前記ダウンリンクデータが前記第２のＵＥによって前記基地局から受信されるように特に構成されている請求項６３乃至７８のいずれか一項に記載のユーザ機器。
【請求項８０】
前記送信ユニットは、
あらかじめ構成されたＤ２Ｄリソースプールを使用することにより、前記第２のＵＥへ前記アップリンクデータを送信する
ように特に構成されている請求項７９に記載のユーザ機器。
【請求項８１】
前記第１のメッセージはＤ２Ｄリソースプールを備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールであり、
前記送信ユニットは、前記Ｄ２Ｄリソースプールを使用することによって前記第２のＵＥへ前記アップリンクデータを送信するように特に構成されており、
前記受信ユニットは、前記Ｄ２Ｄリソースプールを使用することによって前記第２のＵＥから前記ダウンリンクデータを受信するように特に構成されている請求項７９に記載のユーザ機器。
【請求項８２】
前記送信ユニットは、前記第２のＵＥへ中継解放要求メッセージを送信するようにさらに構成されており、
前記処理ユニットは、前記第２のＵＥに対する前記Ｄ２Ｄ接続を解放するようにさらに構成されている請求項６３乃至８１のいずれか一項に記載のユーザ機器。
【請求項８３】
前記受信ユニットは、前記第２のＵＥによって送信された中継解放応答メッセージを受信するようにさらに構成されている請求項８２に記載のユーザ機器。
【請求項８４】
前記受信ユニットは、前記第２のＵＥによって送信された中継解放要求メッセージを受信するようにさらに構成されており、
前記処理ユニットは、前記中継解放要求メッセージに従って、前記第２のＵＥに対する前記Ｄ２Ｄ接続を解放するようにさらに構成されている請求項６３乃至８１のいずれか一項に記載のユーザ機器。
【請求項８５】
前記送信ユニットは、前記第２のＵＥへ中継解放応答メッセージを送信するようにさらに構成されている請求項８４に記載のユーザ機器。
【請求項８６】
前記第１のＵＥは前記基地局の前記受信可能範囲の内部に配置されており、
前記送信ユニットは、前記基地局へ中継解放要求メッセージを送信するようにさらに構成されており、
前記処理ユニットは、前記第２のＵＥに対する前記Ｄ２Ｄ接続を解放するようにさらに構成されている請求項６３乃至８１のいずれか一項に記載のユーザ機器。
【請求項８７】
前記受信ユニットは、前記基地局によって送信された中継解放応答メッセージを受信するようにさらに構成されている請求項８６に記載のユーザ機器。
【請求項８８】
前記第１のＵＥは前記基地局の前記受信可能範囲の内部に配置されており、
前記受信ユニットは、前記基地局によって送信された中継解放要求メッセージを受信するようにさらに構成されており、
前記処理ユニットは、前記中継解放要求メッセージに従って、前記第２のＵＥに対する前記Ｄ２Ｄ接続を解放するようにさらに構成されている請求項６３乃至８１のいずれか一項に記載のユーザ機器。
【請求項８９】
前記送信ユニットは、前記基地局へ中継解放応答メッセージを送信するようにさらに構成されている請求項８８に記載のユーザ機器。
【請求項９０】
ユーザ機器であって、前記ユーザ機器ＵＥは第２のＵＥであり、
第１のＵＥまたは基地局によって送信された中継要求メッセージを前記ＵＥのために受信するように構成された受信ユニットであって、前記中継要求メッセージは、前記第１のＵＥが支援中継サービスを必要とすることを指示する受信ユニットと、
前記中継要求メッセージに従って、前記第２のＵＥが前記第１のＵＥに対する中継ＵＥとして作動することができると判定するように構成された処理ユニットであって、
前記第１のＵＥが前記基地局とデータ伝送を遂行するのを支援するための中継ＵＥとして前記第２のＵＥを使用するようにさらに構成されている処理ユニットと
を備えるユーザ機器。
【請求項９１】
前記第１のＵＥへ中継応答メッセージを送信するよう構成された送信ユニットをさらに備える請求項９０に記載のユーザ機器。
【請求項９２】
前記中継要求メッセージは、前記基地局により、下方へのセルラーリンクを使用することによって送信され、
要求理由、優先的に保証されることを要求されたサービスのＩＤ、または前記第１のＵＥの位置情報およびバッファ状態情報
のうちの少なくとも１つをさらに備える請求項９１に記載のユーザ機器。
【請求項９３】
前記中継要求メッセージは、前記第１のＵＥにより、デバイスツーデバイスＤ２Ｄリンクを使用することによって送信され、
支援中継を必要とするデータの指示情報、支援中継を必要とするデータのデータ量の大きさ、支援中継を必要とするデータのバッファサイズ、支援中継を必要とするデータのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、またはグループ通信のターゲットＩＤ
のうちの少なくとも１つをさらに備える請求項９１に記載のユーザ機器。
【請求項９４】
前記受信ユニットは、前記基地局により、ブロードキャストのやり方で、または専用シグナリングを使用することによって送信されたデバイスツーデバイスＤ２Ｄ中継構成情報を受信するようにさらに構成されており、
前記処理ユニットが、前記Ｄ２Ｄ中継構成情報に従って、前記第２のＵＥが中継サービスを提供する能力を有すると判定したとき、前記送信ユニットは、Ｄ２Ｄブロードキャストのやり方でブロードキャストメッセージを送信するようにさらに構成され、前記ブロードキャストメッセージは、前記第２のＵＥが中継ＵＥとして作動することが可能であることを指示するために使用される指示情報を備える請求項９３に記載のユーザ機器。
【請求項９５】
前記ブロードキャストメッセージは、
前記第２のＵＥと前記基地局の間のチャネルの品質情報、前記第２のＵＥの現在の中継サービス状態、前記第２のＵＥが現在とどまっているセルのアイデンティティＩＤ、または前記第２のＵＥが現在とどまっているセルの基地局のＩＤ
のうちの少なくとも１つをさらに備える請求項９４に記載のユーザ機器。
【請求項９６】
前記ブロードキャストメッセージは、
前記第２のＵＥが前記基地局の受信可能範囲の内部に配置されていること、
前記第２のＵＥが前記基地局への無線リソース制御ＲＲＣ接続を確立したこと、
前記第２のＵＥによって前記基地局に対して確立された前記無線リソース制御ＲＲＣ接続の信号品質が事前設定の信号品質閾値よりも高いこと、
前記第２のＵＥの残存バッテリー電力量が事前設定の電力量閾値よりも大きいこと、
前記第２のＵＥの伝送電力が事前設定の伝送電力閾値未満であること、または
前記第２のＵＥが、前記基地局から、ブロードキャストメッセージを送信するように前記第２のＵＥに命令する情報を受信すること
のうちの少なくとも１つをさらに備える請求項９４または９５に記載のユーザ機器。
【請求項９７】
前記中継応答メッセージは、
前記第２のＵＥと前記基地局の間のチャネルの品質情報、前記第２のＵＥと前記第１のＵＥの間のデバイスツーデバイスＤ２Ｄチャネルの品質情報、前記第２のＵＥの前記現在の中継サービス状態、前記第２のＵＥが現在とどまっている前記セルの前記アイデンティティＩＤ、または前記第２のＵＥが現在とどまっている前記セルの前記基地局の前記ＩＤ
のうちの少なくとも１つを備える請求項９１乃至９６のいずれか一項に記載のユーザ機器。
【請求項９８】
前記中継応答メッセージはＤ２Ｄリソースプールをさらに備え、前記Ｄ２Ｄリソースプールは、前記基地局によって、ブロードキャストのやり方で、もしくは専用シグナリングを使用することにより、前記第２のＵＥに分配されたＤ２Ｄリソースプール、または前記第２のＵＥによって選択されたＤ２Ｄリソースプールである請求項９７に記載のユーザ機器。
【請求項９９】
前記処理ユニットは、中継準備を遂行するようにさらに構成されている請求項９１乃至９８のいずれか一項に記載のユーザ機器。
【請求項１００】
前記処理ユニットは、
前記第２のＵＥがアイドル状態にある場合、無線リソース制御ＲＲＣ接続を確立し、
前記第２のＵＥが、接続された状態にあるものの、前記アップリンクにおいて現在同期ずれである場合、ランダムアクセスチャネルＲＡＣＨ処理を実行して前記アップリンクの同期を保ち、または
前記第２のＵＥが接続された状態にあり、前記基地局に対して正常に接続されているものの、アップリンク伝送リソースを有しない場合、前記基地局からアップリンク伝送リソースを要求する
ように特に構成されている請求項９９に記載のユーザ機器。
【請求項１０１】
前記基地局から前記アップリンク伝送リソースを要求するステップは、
前記送信ユニットによって前記基地局へ中継送信リソース要求メッセージを送信するステップと、
前記基地局によって送信された中継送信リソーススケジューリング情報を前記受信ユニットによって受信するステップと
を備える請求項１００に記載のユーザ機器。
【請求項１０２】
前記中継送信リソース要求メッセージは、
中継を必要とする前記第１のＵＥのデータの識別情報、中継を必要とする前記第１のＵＥのデータのデータ量の大きさ、中継を必要とする前記第１のＵＥのデータの出所アドレスおよび／もしくは宛先アドレス、中継を必要とする前記第１のＵＥのデータのサービス品質ＱｏＳクラス、または前記第１のＵＥの信号品質情報
のうちの少なくとも１つを備えることがある請求項１０１に記載のユーザ機器。
【請求項１０３】
前記処理ユニットは、
前記第１のＵＥによって送信されたアップリンクデータをデバイスツーデバイスＤ２Ｄ通信のやり方で受信するように前記受信ユニットを制御し、前記基地局へ前記アップリンクデータを送信するように前記送信ユニットを制御するように、特に構成されており、かつ／または
前記基地局によって送信されたダウンリンクデータを受信するように前記受信ユニットを制御し、前記ダウンリンクデータをデバイスツーデバイスＤ２Ｄ通信のやり方で前記第１のＵＥへ送信するように前記送信ユニットを制御するように、特に構成されている請求項９１乃至１０２のいずれか一項に記載のユーザ機器。
【請求項１０４】
前記受信ユニットは、前記第１のＵＥによって送信された中継解放要求メッセージを受信するようにさらに構成されており、
前記処理ユニットは、前記中継解放要求メッセージに従って、前記第１のＵＥに対するＤ２Ｄ接続を解放するようにさらに構成されている請求項９１乃至１０３のいずれか一項に記載のユーザ機器。
【請求項１０５】
前記送信ユニットは、前記第１のＵＥへ中継解放応答メッセージを送信するようにさらに構成されている請求項１０４に記載のユーザ機器。
【請求項１０６】
前記送信ユニットは、前記第１のＵＥへ中継解放要求メッセージを送信するようにさらに構成されており、
前記処理ユニットは、前記第１のＵＥに対するＤ２Ｄ接続を解放するようにさらに構成されている請求項９１乃至１０３のいずれか一項に記載のユーザ機器。
【請求項１０７】
前記受信ユニットは、前記第１のＵＥによって送信された中継解放応答メッセージを受信するようにさらに構成されている請求項１０６に記載のユーザ機器。
【請求項１０８】
前記受信ユニットは、前記基地局によって送信された中継解放要求メッセージを受信するようにさらに構成されており、
前記処理ユニットは、前記中継解放要求メッセージに従って、前記第１のＵＥに対するＤ２Ｄ接続を解放するようにさらに構成されている請求項９１乃至１０３のいずれか一項に記載のユーザ機器。
【請求項１０９】
前記送信ユニットは、前記基地局へ中継解放応答メッセージを送信するようにさらに構成されている請求項１０８に記載のユーザ機器。
【請求項１１０】
前記中継要求メッセージは、前記第１のＵＥにより、デバイスツーデバイスＤ２Ｄリンクを使用することによって送信され、支援中継を必要とするデータを備え、支援中継を必要とする前記データの宛先アドレスは前記基地局である請求項９０に記載のユーザ機器。
【請求項１１１】
前記中継要求メッセージは、
支援中継を必要とする前記データの指示情報、支援中継を必要とする前記データのデータ量の大きさ、支援中継を必要とする前記データのバッファサイズ、支援中継を必要とする前記データのサービスタイプ、優先的に選択されるべき中継ＵＥのアイデンティティＩＤ、前記第１のＵＥが最後にとどまるセルのＩＤ、前記第１のＵＥが最後にとどまるセルの基地局のＩＤ、中継データの宛先セルのＩＤ、またはグループ通信のターゲットＩＤ
のうちの少なくとも１つをさらに備える請求項１１０に記載のユーザ機器。
【請求項１１２】
前記処理ユニットは、
支援中継を必要とする前記データを前記基地局へ転送する
ように特に構成されている請求項１１０または１１１に記載のユーザ機器。
【請求項１１３】
前記第２のＵＥが前記第１のＵＥに対する中継ＵＥとして作動することができると判定するために前記処理ユニットによって使用される基準は、
前記第２のＵＥのネットワーク状態、前記第２のＵＥと前記基地局の間のチャネル品質、前記第２のＵＥの電力消費、前記第２のＵＥの残存電力量、前記第２のＵＥのバッファ領域、前記第２のＵＥと前記第１のＵＥの間のデバイスツーデバイスＤ２Ｄチャネル品質、または前記第２のＵＥと前記第１のＵＥの間の相対距離
のうちの少なくとも１つを備える請求項９０乃至１１２のいずれか一項に記載のユーザ機器。
【請求項１１４】
第１のＵＥによって送信された中継要求メッセージを受信するように構成された受信ユニットと、
前記中継要求メッセージを第２のＵＥへ転送して、前記第２のＵＥに、中継ＵＥとして作動するように命令するように構成された送信ユニットと、
前記第２のＵＥを介して前記第１のＵＥとデータ伝送を遂行するように構成された処理ユニットと
を備えるデータ伝送基地局。
【請求項１１５】
前記中継要求メッセージは、
要求理由、優先的に保証されることを要求されたサービスのアイデンティティＩＤ、または前記第１のＵＥの位置情報およびバッファ状態情報
のうちの少なくとも１つをさらに備える請求項１１４に記載の基地局。
【請求項１１６】
前記処理ユニットは、
前記第２のＵＥによって前記第１のＵＥから受信されたアップリンクデータを前記第２のＵＥから受信するように前記受信ユニットを制御するように、特に構成されており、かつ／または
前記第２のＵＥへダウンリンクデータを送信するように前記送信ユニットを制御し、それにより、前記第２のＵＥが前記ダウンリンクデータを前記第１のＵＥへ転送するように、特に構成されている請求項１１４または１１５に記載の基地局。
【請求項１１７】
前記送信ユニットは、前記第２のＵＥへ中継解放要求メッセージを送信し、それにより、前記第２のＵＥが前記第１のＵＥに対するＤ２Ｄ接続を解放するようにさらに構成されている請求項１１４乃至１１６のいずれか一項に記載の基地局。
【請求項１１８】
前記受信ユニットは、前記第２のＵＥによって送信された中継解放応答メッセージを受信するようにさらに構成されている請求項１１７に記載の基地局。
【請求項１１９】
前記受信ユニットは、前記第１のＵＥへ前記中継解放要求メッセージを送信し、それにより、前記第１のＵＥが前記第２のＵＥに対する前記Ｄ２Ｄ接続を解放するようにさらに構成されている請求項１１７に記載の基地局。
【請求項１２０】
前記受信ユニットは、前記第１のＵＥによって送信された中継解放応答メッセージを受信するようにさらに構成されている請求項１１９に記載の基地局。
【請求項１２１】
前記受信ユニットは、前記第１のＵＥによって送信された中継解放要求メッセージを受信するようにさらに構成されている請求項１１７に記載の基地局。
【請求項１２２】
前記送信ユニットは、前記第１のＵＥへ中継解放応答メッセージを送信するようにさらに構成されている請求項１２１に記載の基地局。
【請求項１２３】
前記受信ユニットは、前記第２のＵＥによって送信された中継解放要求メッセージを受信するようにさらに構成されており、
前記送信ユニットは、前記中継解放要求メッセージを前記第１のＵＥへ転送し、それにより、前記第１のＵＥが前記第２のＵＥに対するＤ２Ｄ接続を解放するようにさらに構成されている請求項１１４乃至１１６のいずれか一項に記載の基地局。
【請求項１２４】
前記送信ユニットは、前記第２のＵＥへ中継解放応答メッセージを送信するようにさらに構成されている請求項１２３に記載の基地局。
【請求項１２５】
コンピュータによって実行されたときに前記コンピュータに請求項１乃至６２に記載の方法のステップを実行させる命令を含むコンピュータ可読記憶媒体。
【手続補正２】
【補正対象書類名】明細書
【補正対象項目名】００１９
【補正方法】変更
【補正の内容】
【００１９】
本発明の実施形態では、基地局はＧＳＭまたはＣＤＭＡの基地局（Ｂａｓｅ  Ｔｒａｎｓｃｅｉｖｅｒ  Ｓｔａｔｉｏｎ、ＢＴＳ）であることがあり、ＷＣＤＭＡの基地局（ＮｏｄｅＢ、ＮＢ）であることがあり、ＬＴＥの進化型ＮｏｄｅＢ（Ｅｖｏｌｖｅｄ  Ｎｏｄｅ  Ｂ、ｅＮＢ、またはｅＮｏｄｅＢ）または将来の５Ｇネットワークの基地局デバイスであることがあることをさらに理解されたい。これは本発明では限定されない。
【手続補正３】
【補正対象書類名】明細書
【補正対象項目名】００７５
【補正方法】変更
【補正の内容】
【００７５】
第１のＵＥ２０によって送信された中継要求メッセージを受信したＵＥが自己評価を遂行することが理解されることもある。
【手続補正４】
【補正対象書類名】明細書
【補正対象項目名】００８９
【補正方法】変更
【補正の内容】
【００８９】
しかしながら、第５のＵＥと第１のＵＥ２０の間でＤ２Ｄ通信が遂行されることが可能だが、第５のＵＥと第２のＵＥ３１の間ではＤ２Ｄ通信が遂行されることが可能でない、と想定されているような場合があることが理解されることがある。この場合、第２のＵＥ３１がＤ２Ｄブロードキャストのやり方で中継応答メッセージを送信しても、第５のＵＥは中継応答メッセージを受信することができない。したがって、第５のＵＥは、自己評価を遂行した後、第５のＵＥが第１のＵＥ２０に対して中継サービスを提供することができる場合には、第１のＵＥ２０へ（エンドツーエンド形式で、またはＤ２Ｄブロードキャストのやり方で）中継応答メッセージを送信する。
【手続補正５】
【補正対象書類名】明細書
【補正対象項目名】０１１５
【補正方法】変更
【補正の内容】
【０１１５】
たとえば、第２のＵＥ３１がアイドル状態であれば、ＲＲＣ接続を確立するようにランダムアクセスチャネル（Ｒａｎｄｏｍ  Ａｃｃｅｓｓ  Ｃｈａｎｎｅｌ、ＲＡＣＨ）処理が実行される必要がある。
【手続補正６】
【補正対象書類名】明細書
【補正対象項目名】０１２２
【補正方法】変更
【補正の内容】
【０１２２】
たとえば、３０３における中継要求メッセージが、中継を必要とする第１のＵＥ２０のデータのバッファサイズを含んでいる場合、第２のＵＥ３１はバッファ状態報告（Ｂｕｆｆｅｒ  Ｓｔａｔｕｓ  Ｒｅｐｏｒｔ、ＢＳＲ）に関する情報を更新することがある。
【手続補正７】
【補正対象書類名】明細書
【補正対象項目名】０１４０
【補正方法】変更
【補正の内容】
【０１４０】
別の場合には、３０３の中継要求メッセージは優先的に選択された中継ＵＥのＩＤを含み、優先的に選択された中継ＵＥのＩＤは第２のＵＥ３１のＩＤであると想定されている。さらに、３０４において、第２のＵＥ３１は、第２のＵＥ３１が第１のＵＥ２０に対して中継サービスを提供することができると判定する。この場合、第２のＵＥ３１は、３０５が遂行される前もしくは後に、または３０５が遂行されるのと同時に、３０８を遂行することがある。すなわち、第２のＵＥ３１に関して、本発明のこの実施形態における実行順序は、３０４→３０５→３０８→３０９、または３０４→３０８→３０５→３０９、または３０４→３０５、３０８→３０９であることがある。
【手続補正８】
【補正対象書類名】明細書
【補正対象項目名】０３４２
【補正方法】変更
【補正の内容】
【０３４２】
第１のＵＥ２０によって送信された中継要求メッセージを受信したＵＥが自己評価を遂行することが理解されることもある。
【手続補正９】
【補正対象書類名】明細書
【補正対象項目名】０３８０
【補正方法】変更
【補正の内容】
【０３８０】
具体的には、第１のＵＥは、基地局とデータ伝送を直接遂行することができないとき、支援中継サービスを開始することを第１のＵＥが判定する。詳細な説明については９０３を参照されたい。本明細書において詳細が再び説明されることはない。
【手続補正１０】
【補正対象書類名】明細書
【補正対象項目名】０３８１
【補正方法】変更
【補正の内容】
【０３８１】
任意選択で、第１のＵＥが、複数のＵＥによって送信された中継応答メッセージを受信する場合、複数のＵＥは第２のＵＥを含み、この場合、この方法は、第１のＵＥが中継応答メッセージを受信した後、複数のＵＥの中の第２のＵＥを中継ＵＥとして判定するステップをさらに含むことがある。
【手続補正１１】
【補正対象書類名】明細書
【補正対象項目名】０４３８
【補正方法】変更
【補正の内容】
【０４３８】
本発明のこの実施形態では、第２のＵＥは、中継要求メッセージに従って、第１のＵＥのために中継サービスが提供されることが可能であると判定した後、さらに、第２のＵＥは、第１のＵＥが基地局とデータ伝送を遂行するのを支援するための中継ＵＥとして作動し、それにより、データ伝送効率が保証されることが可能となる。
【手続補正１２】
【補正対象書類名】明細書
【補正対象項目名】０５５６
【補正方法】変更
【補正の内容】
【０５５６】
任意選択で、別の実施形態では、第２のＵＥによって基地局からアップリンク伝送リソースを要求するステップは、送信ユニット１９０３によって基地局へ中継送信リソース要求メッセージを送信するステップと、基地局によって送信された中継送信リソーススケジューリング情報を受信ユニット１９０１によって受信するステップとを含む。
【手続補正１３】
【補正対象書類名】明細書
【補正対象項目名】０５８８
【補正方法】変更
【補正の内容】
【０５８８】
本発明のこの実施形態におけるプロセッサは集積回路チップであることがあり、信号処理能力を有することに留意されたい。実施処理において、前述の方法の実施形態のそれぞれのステップは、プロセッサのハードウェア集積論理回路を使用することにより、またはソフトウェア形式の命令によって、実施されることがある。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラム可能な論理デバイス、個別のゲートもしくはトランジスタ論理デバイス、または個別のハードウェア構成要素であることがある。プロセッサは、本発明の実施形態において開示された方法、ステップ、および論理ブロック図を実施することがあり、または実行することがある。汎用プロセッサは、マイクロプロセッサであることがあり、またはプロセッサは任意の従来のプロセッサもしくは同種のものであることがある。本発明の実施形態を参照しながら開示された方法のステップは、ハードウェアを復号するプロセッサによって直接実行され、かつ完結されることがあり、または、ハードウェアと、この復号するプロセッサのソフトウェアモジュールとの組合せを使用することによって実行され、かつ完結されることがある。ソフトウェアモジュールは、ランダムアクセスメモリ、フラッシュメモリ、読取り専用メモリ、プログラム可能読取り専用メモリ、または電気的に消去可能なプログラム可能メモリ、またはレジスタなど、当技術における充分に発達した記憶媒体の中に配置されることがある。記憶媒体はメモリの中に配置されており、プロセッサは、メモリの中の情報を読み取り、プロセッサのハードウェアと組み合わせて、前述の方法のステップを完結する。
【国際調査報告】
2018513632.tif 000026
2018513632.tif 000027
2018513632.tif 000028
2018513632.tif 000029